(57)【要約】【課題】第１色盲を患う者は「濃い赤」（Ｒ＝２５５、Ｇ＝０、Ｂ＝０）は、ほとんど「黒」に見えて、「黒」と見分けられない。さらに暖色系の「濃い緑」は、「茶色」とほとんど見分けることが困難である。【解決手段】入力信号が「濃い赤」の場合は、「濃い赤」を検出する検出手段と、その検出結果に基づき補正信号を生成する補正信号生成手段と、その補正信号により入力信号を補正して出力する補正手段とにより、少しだけ白を混ぜた「明るい赤」（Ｒ＝２５５、Ｇ＝５１、Ｂ＝５１）や短波長（オレンジ）寄りの「朱色」（Ｒ＝２５５、Ｇ＝５１、Ｂ＝０）に補正した画像信号とすることを実行する画像信号補正手段の動作方法。【特許請求の範囲】
【請求項１】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準電圧を生成するＲ基準電圧生成手段と
Ｇ（緑）信号用の所望する基準電圧を生成するＧ基準電圧生成手段と
Ｂ（青）信号用の所望する基準電圧を生成するＢ基準電圧生成手段と
前記Ｒ入力端子とＲ基準電圧生成手段とに接続されたＲ比較手段と
前記Ｇ入力端子とＧ基準電圧生成手段とに接続されたＧ比較手段と
前記Ｂ入力端子とＢ基準電圧生成手段とに接続されたＢ比較手段と
それぞれの比較手段の結果の論理積の演算を行う論理積手段とを備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記検出手段に接続され、検出結果に基づき補正をかけるための、Ｇ（緑）信号用の補正信号を生成するＧ補正信号生成手段と、Ｂ（青）信号用の補正信号を生成するＢ補正信号生成手段と、を備える補正信号生成手段と、
前記Ｇ入力端子と検出手段とＧ補正信号生成手段とに接続され、検出結果と補正信号とに基づきＧ入力端子から入力されるＧ（緑）信号の補正を行うＧ補正手段と、
前記Ｂ入力端子と検出手段とＢ補正信号生成手段とに接続され、検出結果と補正信号とに基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である
入力されるＲ（赤）信号がＲ基準電圧生成手段で生成される基準電圧の値より大きく且つ
入力されるＧ（緑）信号がＧ基準電圧生成手段で生成される基準電圧の値より小さく且つ
入力されるＢ（青）信号がＢ基準電圧生成手段で生成される基準電圧の値より小さいことを検出し、その検出結果を補正信号生成手段に出力するステップと、
当該補正信号生成手段のＧ補正信号生成手段とＢ補正信号生成手段とが、前記検出手段の所望する条件が満たされた情報である検出結果に基づき、それぞれ補正信号を生成するステップと、
当該補正手段のＧ補正手段が、前記検出手段の所望する条件が満たされた情報である検出結果とＧ補正信号生成手段にて生成された補正信号に基づき、入力信号のＧ（緑）信号を前記Ｇ補正信号生成手段で生成した補正信号にて補正して、補正後のＧ（緑）信号を出力するステップ、
当該補正手段のＢ補正手段が、前記検出手段の所望する条件が満たされた情報である検出結果とＢ補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法。
【請求項２】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準電圧を生成するＲ基準電圧生成手段と
Ｇ（緑）信号用の所望する基準電圧を生成するＧ基準電圧生成手段と
Ｂ（青）信号用の所望する基準電圧を生成するＢ基準電圧生成手段と
前記Ｒ入力端子とＲ基準電圧生成手段とに接続されたＲ比較手段と
前記Ｇ入力端子とＧ基準電圧生成手段とに接続されたＧ比較手段と
前記Ｂ入力端子とＢ基準電圧生成手段とに接続されたＢ比較手段と
それぞれの比較手段の結果の論理積の演算を行う論理積手段と、を備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記検出手段に接続され、検出結果に基づき補正をかけるための、Ｂ（青）信号用の補正信号を生成するＢ補正信号生成手段を備える補正信号生成手段と、
前記Ｂ入力端子と検出手段とＢ補正信号生成手段とに接続され、検出結果と補正信号とに基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である、
入力されるＲ（赤）信号がＲ基準電圧生成手段で生成される基準電圧の値より小さく且つ
入力されるＧ（緑）信号がＧ基準電圧生成手段で生成される基準電圧の値より大きく且つ
入力されるＢ（青）信号がＢ基準電圧生成手段で生成される基準電圧の値より小さいことを検出し、その検出結果を補正信号生成手段に出力するステップと、
当該補正信号生成手段のＢ補正信号生成手段が、前記検出手段の所望する条件が満たされた情報である検出結果に基づき、補正信号を生成するステップと、
当該補正手段のＢ補正手段が、前記検出手段の所望する条件が満たされた情報である検出結果と補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法。
【請求項３】
３原色信号であるＲ（赤）信号、Ｇ（緑）信号、Ｂ（青）信号からなる画像信号を入力するＲ入力端子、Ｇ入力端子、Ｂ入力端子と、
Ｇ（緑）信号用の所望する基準電圧を生成するＧ基準電圧生成手段と
Ｂ（青）信号用の所望する基準電圧を生成するＢ基準電圧生成手段と
前記Ｇ入力端子とＧ基準電圧生成手段とに接続されたＧ比較手段と
前記Ｂ入力端子とＢ基準電圧生成手段とに接続されたＢ比較手段と、を備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記Ｒ入力端子とＧ入力端子と検出手段のＧ比較手段とに接続され、その入力端子から入力されるＲ（赤）信号とＧ（緑）信号と検出結果とにより補正をかけるための、Ｇ（緑）信号用の補正信号を生成するＧ補正信号生成手段と、
前記Ｒ入力端子とＢ入力端子と検出手段のＢ比較手段とに接続され、その入力端子から入力されるＲ（赤）信号とＢ（青）信号と検出結果とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段のＧ比較手段が、所望する条件である入力されるＧ（緑）信号がＧ基準電圧生成手段で生成される基準電圧の値より小さいことを検出し、その検出結果をＧ補正信号生成手段に出力するステップと、
当該検出手段のＢ比較手段が、所望する条件である入力されるＢ（青）信号がＢ基準電圧生成手段で生成される基準電圧の値より小さいことを検出し、その検出結果をＢ補正信号生成手段に出力するステップと、
当該補正信号生成手段のＧ補正信号生成手段が、前記検出手段のＧ比較手段からの所望する条件が満たされた情報である検出結果に基づき、入力されるＧ（緑）信号がＧ（緑）信号用の基準電圧より大きい場合には補正信号は生成せず、入力されるＧ（緑）信号がＧ（緑）信号用の基準電圧より小さい場合には補正信号を生成し、且つ、入力されるＲ（赤）信号の値とＧ（緑）信号の値とに応じて一意に値が決定される補正信号を生成するステップと、
当該補正信号生成手段のＢ補正信号生成手段が、前記検出手段のＢ比較手段からの所望する条件が満たされた情報である検出結果に基づき、入力されるＢ（青）信号がＢ（青）信号用の基準電圧より大きい場合には補正信号は生成せず、入力されるＢ（青）信号がＢ（青）信号用の基準電圧より小さい場合には補正信号を生成し、且つ、入力されるＲ（赤）信号の値とＢ（青）信号の値とに応じて一意に値が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップ、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップ、
を実行することを特徴とする画像信号補正手段の動作方法。
【請求項４】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準電圧を生成するＲ基準電圧生成手段と
Ｇ（緑）信号用の所望する基準電圧を生成するＧ基準電圧生成手段と
Ｂ（青）信号用の所望する基準電圧を生成するＢ基準電圧生成手段と
前記Ｒ入力端子とＲ基準電圧生成手段とに接続されたＲ比較手段と
前記Ｇ入力端子とＧ基準電圧生成手段とに接続されたＧ比較手段と
前記Ｂ入力端子とＢ基準電圧生成手段とに接続されたＢ比較手段と
それぞれの比較手段の結果の論理積の演算を行う論理積手段と、を備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記Ｇ入力端子とＢ入力端子と検出手段とに接続され、入力端子から入力されるＧ（緑）信号とＢ（青）信号と検出結果とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該検出手段が、所望する条件である、
入力されるＲ（赤）信号がＲ基準電圧生成手段で生成される基準電圧の値より小さく且つ
入力されるＧ（緑）信号がＧ基準電圧生成手段で生成される基準電圧の値より大きく且つ
入力されるＢ（青）信号がＢ基準電圧生成手段で生成される基準電圧の値より小さいことを検出し、その検出結果を補正信号生成手段に出力するステップと、
当該補正信号生成手段のＢ補正信号生成手段が、前記入力端子から入力されたＧ（緑）信号とＢ（青）信号と検出手段からの所望する条件が満たされた情報である検出結果に基づき、検出手段からの所望する条件が満たされており、且つ、入力されるＢ（青）信号がＢ（青）信号用の基準電圧より大きい場合には補正信号は生成せず、入力されるＢ（青）信号がＢ（青）信号用の基準電圧より小さい場合に補正信号を生成し、且つ、入力されるＧ（緑）信号の値とＢ（青）信号の値とに応じて一意に値が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップ、
を実行することを特徴とする画像信号補正手段の動作方法。
【請求項５】
３原色信号であるＲ（赤）信号、Ｇ（緑）信号、Ｂ（青）信号からなる画像信号を入力するＲ入力端子、Ｇ入力端子、Ｂ入力端子と、
Ｂ（青）信号用の所望する基準電圧を生成するＢ基準電圧生成手段と、
前記Ｂ入力端子とＢ基準電圧生成手段とに接続された比較手段と、を備え、
Ｂ入力端子から入力されたＢ（青）信号と、Ｂ基準電圧生成手段にて生成された基準電圧とを比較し、入力されたＢ（青）信号が所望する条件を満たすかを検出する検出手段と、
前記Ｒ入力端子とＧ入力端子とＢ入力端子と検出手段とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号と前記検出手段の検出結果とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該検出手段が、所望する条件である入力されるＢ（青）信号がＢ基準電圧生成手段で生成される基準電圧の値より小さいことを検出し、その検出結果を補正信号生成手段のＢ補正信号生成手段に出力するステップと、
当該補正信号生成手段のＢ補正信号生成手段が、前記検出手段のＢ比較手段からの所望する条件が満たされた情報である検出結果に基づき、入力される画像信号のＢ（青）信号がＢ（青）信号用の基準電圧より大きい場合には補正信号は生成せず、入力される画像信号のＢ（青）信号がＢ（青）信号用の基準電圧より小さい場合に補正信号を生成し、且つ、入力される画像信号のＲ（赤）信号、Ｇ（緑）信号、Ｂ（青）信号から変換して得られたＹ（輝度）信号の値とＢ（青）信号の値とに応じて一意に値が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップ、
を実行することを特徴とする画像信号補正手段の動作方法。
【請求項６】
入力される画像信号を表す量子化ｂｉｔ数は、８ｂｉｔ以外の所望するｂｉｔ数であること、若しくは８ｂｉｔ以外の所望するｂｉｔ数であり、且つ負を表すことが可能なサインビットを備えること、を特徴とする特許請求の範囲第１項から第５項の画像信号補正手段の動作方法。
【請求項７】
補正信号生成手段は、ルックアップテーブル方式であるデジタル化された階調のデータを任意の階調に補正するための入力と出力の対照表、つまり補正信号生成手段に入力されるＲ（赤）信号若しくはＧ（緑）信号若しくはＢ（青）信号若しくは検出手段からの検出結果の情報である入力値に対して一意に出力値を定める対応表、を利用することによる所望の補正値により、入力に対する所望の出力特性とする補正信号値の生成が可能であることを特徴とする特許請求の範囲第１項から第５項の補正信号生成手段の動作方法。
【発明の詳細な説明】
【技術分野】
【０００１】
本発明は、表示装置等に利用されている画像信号の信号補正方法に関する。
【背景技術】
【０００２】
従来の表示装置は、３原色信号であるＲ（赤）信号、Ｇ（緑）信号、Ｂ（青）信号を、被写体の色を忠実に再現する処理が行われていた。
又、画質調整処理として所望の色を調整することが可能であったが、一定の割合で補正を行うことや特定の色を特定の色に変換することが行われている。
尚、表示装置にて一般的に採用されている画像信号としてＲ（赤）信号、Ｇ（緑）信号、Ｂ（青）信号や、Ｙ（輝度信号）、ＣｂＣｒ（色）信号等がある。これらのＲ（赤）信号、Ｇ（緑）信号、Ｂ（青）信号等の表し方としては、デジタルで表した一例として８ｂｉｔで表すと０から２５５、アナログで表すと０から１の実数、さらに０％から１００％等の表し方がある。さらには、ｘｖＹＣＣ規格の様な、さらに広い色域を表すことも規格化されている。つまりアナログで表すと０以下の負の実数、若しくは１以上の実数で表わされる色域も利用されている。
【０００３】
この３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。例えば第１色盲を患う者は「濃い赤」（Ｒ＝１００％、Ｇ＝０％、Ｂ＝０％）は、ほとんど「黒」に見える。さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。
さらに、視覚の基本特性である分光視感度特性は加齢とともに短波長側、すなわち青色系統の感度が低下する。このため高齢者は青色系統の色画像が見づらいものである。
又、あらかじめ登録された色盲 および色弱者にとって誤認傾向のある色に関する情報を参照して、入力された画像データに誤認要因となる色が含まれているか判断し画像データの色を所定の色に変換する考案がされている。
【特許文献１】特開２００４−２６６８２１
【特許文献２】特開２００６−２４６０７２
【発明の開示】
【発明が解決しようとする課題】
【０００４】
３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。
例えば第１色盲を患う者は「濃い赤」（Ｒ＝１００％、Ｇ＝０％、Ｂ＝０％）は、ほとんど「黒」に見える。この「濃い赤」は使わずに、少しだけ白を混ぜた「明るい赤」（Ｒ＝１００％、Ｇ＝２０％、Ｂ＝２０％）や短波長（オレンジ）寄りの「朱色」（Ｒ＝１００％、Ｇ＝２０％、Ｂ＝０％）を使うと，同じ赤でも緑視物質や青視物質を刺激することが可能となり、黒と分別が可能になる。例えば黒い文字列の中でも「明るい赤」の文字であれば強調され、暗い背景の中でも文字が読めるようになる。
さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。一方道路標識の緑のように青みが強い緑は、茶色と間違えにくい。また明るい緑は，暖色系だと黄色や赤と間違えることがあるが、青みが強ければ間違えにくい。道路標識や交通信号は。同じ緑でも青みの強い色に限ることが定められている。
又、視覚の基本特性である分光視感度特性は加齢とともに短波長側、すなわち青色系統の感度が低下する。このため高齢者は青色系統の色画像が見づらいものである。
この発明は、上記の事情に鑑みてなされたものであり、視覚に病を患う者に見やすい画像に補正して表示することや、高齢者の青色系統の色画像が見づらいものを補正して表示すること、が可能な表示装置のための信号補正方法の提供を目的とする。
つまり、画像信号の３原色信号であるＲ（赤）信号、Ｇ（緑）信号、Ｂ（青）信号のそれぞれの値が、所望の条件に合致するとき、それぞれの信号の値に応じて補正量を変えて補正することができる信号補正方法である。
【課題を解決するための手段】
【０００５】
本発明は、入力される画像信号の３原色信号であるＲ（赤）信号、Ｇ（緑）信号、Ｂ（青）信号のそれぞれの値が、視覚に病を患う者が認識し難い色の条件に合致するかを検出し、その条件に合致することが検出された際は、入力される画像信号の値にに応じて補正をかけるための補正信号を生成し、入力の画像信号に補正を行い出力することを最も主要な特徴とする。その詳細は以下に示す。
【０００６】
請求項１に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準電圧を生成するＲ基準電圧生成手段と
Ｇ（緑）信号用の所望する基準電圧を生成するＧ基準電圧生成手段と
Ｂ（青）信号用の所望する基準電圧を生成するＢ基準電圧生成手段と
前記Ｒ入力端子とＲ基準電圧生成手段とに接続されたＲ比較手段と
前記Ｇ入力端子とＧ基準電圧生成手段とに接続されたＧ比較手段と
前記Ｂ入力端子とＢ基準電圧生成手段とに接続されたＢ比較手段と
それぞれの比較手段の結果の論理積の演算を行う論理積手段とを備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記検出手段に接続され、検出結果に基づき補正をかけるための、Ｇ（緑）信号用の補正信号を生成するＧ補正信号生成手段と、Ｂ（青）信号用の補正信号を生成するＢ補正信号生成手段と、を備える補正信号生成手段と、
前記Ｇ入力端子と検出手段とＧ補正信号生成手段とに接続され、検出結果と補正信号とに基づきＧ入力端子から入力されるＧ（緑）信号の補正を行うＧ補正手段と、
前記Ｂ入力端子と検出手段とＢ補正信号生成手段とに接続され、検出結果と補正信号とに基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である
入力されるＲ（赤）信号がＲ基準電圧生成手段で生成される基準電圧の値より大きく且つ
入力されるＧ（緑）信号がＧ基準電圧生成手段で生成される基準電圧の値より小さく且つ
入力されるＢ（青）信号がＢ基準電圧生成手段で生成される基準電圧の値より小さいことを検出し、その検出結果を補正信号生成手段に出力するステップと、
当該補正信号生成手段のＧ補正信号生成手段とＢ補正信号生成手段とが、前記検出手段の所望する条件が満たされた情報である検出結果に基づき、それぞれ補正信号を生成するステップと、
当該補正手段のＧ補正手段が、前記検出手段の所望する条件が満たされた情報である検出結果とＧ補正信号生成手段にて生成された補正信号に基づき、入力信号のＧ（緑）信号を前記Ｇ補正信号生成手段で生成した補正信号にて補正して、補正後のＧ（緑）信号を出力するステップ、
当該補正手段のＢ補正手段が、前記検出手段の所望する条件が満たされた情報である検出結果とＢ補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、それぞれの信号の値に応じて補正を加えることができる。
従って、「濃い赤」であるＲ（赤）信号＝１００％、Ｇ（緑）信号＝０％、Ｂ（青）信号＝０％  を検出して、少しだけ白を混ぜた「明るい赤」例えば、Ｒ（赤）信号＝１００％、Ｇ（緑）信号＝２０％、Ｂ信号（青）＝２０％  や、短波長（オレンジ）寄りの「朱色」（Ｒ（赤）信号＝１００％、Ｇ（緑）信号＝２０％、Ｂ（青）信号＝０％）に補正することができる。
【０００７】
請求項２に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準電圧を生成するＲ基準電圧生成手段と
Ｇ（緑）信号用の所望する基準電圧を生成するＧ基準電圧生成手段と
Ｂ（青）信号用の所望する基準電圧を生成するＢ基準電圧生成手段と
前記Ｒ入力端子とＲ基準電圧生成手段とに接続されたＲ比較手段と
前記Ｇ入力端子とＧ基準電圧生成手段とに接続されたＧ比較手段と
前記Ｂ入力端子とＢ基準電圧生成手段とに接続されたＢ比較手段と
それぞれの比較手段の結果の論理積の演算を行う論理積手段と、を備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記検出手段に接続され、検出結果に基づき補正をかけるための、Ｂ（青）信号用の補正信号を生成するＢ補正信号生成手段を備える補正信号生成手段と、
前記Ｂ入力端子と検出手段とＢ補正信号生成手段とに接続され、検出結果と補正信号とに基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である、
入力されるＲ（赤）信号がＲ基準電圧生成手段で生成される基準電圧の値より小さく且つ
入力されるＧ（緑）信号がＧ基準電圧生成手段で生成される基準電圧の値より大きく且つ
入力されるＢ（青）信号がＢ基準電圧生成手段で生成される基準電圧の値より小さいことを検出し、その検出結果を補正信号生成手段に出力するステップと、
当該補正信号生成手段のＢ補正信号生成手段が、前記検出手段の所望する条件が満たされた情報である検出結果に基づき、補正信号を生成するステップと、
当該補正手段のＢ補正手段が、前記検出手段の所望する条件が満たされた情報である検出結果と補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、それぞれの信号の値に応じて補正を加えることができる。
従って、「濃い緑」であるＲ（赤）信号＝０％、Ｇ（緑）信号＝１００％、Ｂ（青）信号＝０％を検出して、少しだけ青を混ぜた色Ｒ（赤）信号＝０％、Ｇ（緑）信号＝１００％、Ｂ（青）信号＝２０％に補正することができる。
【０００８】
請求項３に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｇ（緑）信号用の所望する基準電圧を生成するＧ基準電圧生成手段と
Ｂ（青）信号用の所望する基準電圧を生成するＢ基準電圧生成手段と
前記Ｇ入力端子とＧ基準電圧生成手段とに接続されたＧ比較手段と
前記Ｂ入力端子とＢ基準電圧生成手段とに接続されたＢ比較手段と、を備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記Ｒ入力端子とＧ入力端子と検出手段のＧ比較手段とに接続され、その入力端子から入力されるＲ（赤）信号とＧ（緑）信号と検出結果とにより補正をかけるための、Ｇ（緑）信号用の補正信号を生成するＧ補正信号生成手段と、
前記Ｒ入力端子とＢ入力端子と検出手段のＢ比較手段とに接続され、その入力端子から入力されるＲ（赤）信号とＢ（青）信号と検出結果とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段のＧ比較手段が、所望する条件である入力されるＧ（緑）信号がＧ基準電圧生成手段で生成される基準電圧の値より小さいことを検出し、その検出結果をＧ補正信号生成手段に出力するステップと、
当該検出手段のＢ比較手段が、所望する条件である入力されるＢ（青）信号がＢ基準電圧生成手段で生成される基準電圧の値より小さいことを検出し、その検出結果をＢ補正信号生成手段に出力するステップと、
当該補正信号生成手段のＧ補正信号生成手段が、前記検出手段のＧ比較手段からの所望する条件が満たされた情報である検出結果に基づき、入力されるＧ（緑）信号がＧ（緑）信号用の基準電圧より大きい場合には補正信号は生成せず、入力されるＧ（緑）信号がＧ（緑）信号用の基準電圧より小さい場合には補正信号を生成し、且つ、入力されるＲ（赤）信号の値とＧ（緑）信号の値とに応じて一意に値が決定される補正信号を生成するステップと、
当該補正信号生成手段のＢ補正信号生成手段が、前記検出手段のＢ比較手段からの所望する条件が満たされた情報である検出結果に基づき、入力されるＢ（青）信号がＢ（青）信号用の基準電圧より大きい場合には補正信号は生成せず、入力されるＢ（青）信号がＢ（青）信号用の基準電圧より小さい場合には補正信号を生成し、且つ、入力されるＲ（赤）信号の値とＢ（青）信号の値とに応じて一意に値が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップ、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）、Ｇ（緑）信号、Ｂ（青）信号のそれぞれの値が、所望する条件であるとき、それぞれの信号の値に応じて補正量を変えて補正することができる。
つまりＢ（青）信号＝４０％以下を検出したときには、Ｒ（赤）信号の値とＢ（青）信号の値とに応じた値の補正を行う事ができる。
さらにＧ（緑）信号＝４０％以下を検出したときには、Ｒ（赤）信号の値とＧ（緑）信号の値とに応じた値の補正を行う事ができる。
【０００９】
請求項４に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準電圧を生成するＲ基準電圧生成手段と
Ｇ（緑）信号用の所望する基準電圧を生成するＧ基準電圧生成手段と
Ｂ（青）信号用の所望する基準電圧を生成するＢ基準電圧生成手段と
前記Ｒ入力端子とＲ基準電圧生成手段とに接続されたＲ比較手段と
前記Ｇ入力端子とＧ基準電圧生成手段とに接続されたＧ比較手段と
前記Ｂ入力端子とＢ基準電圧生成手段とに接続されたＢ比較手段と
それぞれの比較手段の結果の論理積の演算を行う論理積手段と、を備え、
前記それぞれの入力端子から入力された画像信号と、それぞれの基準電圧生成手段にて生成された基準電圧とをそれぞれ比較する、つまり入力された画像信号が所望する条件を満たすかを検出する検出手段と、
前記Ｇ入力端子とＢ入力端子と検出手段とに接続され、入力端子から入力されるＧ（緑）信号とＢ（青）信号と検出結果とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該検出手段が、所望する条件である、
入力されるＲ（赤）信号がＲ基準電圧生成手段で生成される基準電圧の値より小さく且つ
入力されるＧ（緑）信号がＧ基準電圧生成手段で生成される基準電圧の値より大きく且つ
入力されるＢ（青）信号がＢ基準電圧生成手段で生成される基準電圧の値より小さいことを検出し、その検出結果を補正信号生成手段に出力するステップと、
当該補正信号生成手段のＢ補正信号生成手段が、前記入力端子から入力されたＧ（緑）信号とＢ（青）信号と検出手段からの所望する条件が満たされた情報である検出結果に基づき、検出手段からの所望する条件が満たされており、且つ、入力されるＢ（青）信号がＢ（青）信号用の基準電圧より大きい場合には補正信号は生成せず、入力されるＢ（青）信号がＢ（青）信号用の基準電圧より小さい場合に補正信号を生成し、且つ、入力されるＧ（緑）信号の値とＢ（青）信号の値とに応じて一意に値が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップ、
を実行することを特徴とする画像信号補正手段の動作方法である。
この発明により、画像信号の３原色信号であるＲ（赤）、Ｇ（緑）信号、Ｂ（青）信号のそれぞれの値が、所望する条件であるとき、それぞれの信号の値に応じて補正量を変えて補正することができる。
つまりＢ（青）信号＝４０％以下を検出したときには、Ｒ（赤）信号の値とＢ（青）信号の値とに応じた値の補正を行う事ができる。
【００１０】
請求項５に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｂ（青）信号用の所望する基準電圧を生成するＢ基準電圧生成手段と、
前記Ｂ入力端子とＢ基準電圧生成手段とに接続された比較手段と、を備え、
Ｂ入力端子から入力されたＢ（青）信号と、Ｂ基準電圧生成手段にて生成された基準電圧とを比較し、入力されたＢ（青）信号が所望する条件を満たすかを検出する検出手段と、
前記Ｒ入力端子とＧ入力端子とＢ入力端子と検出手段とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号と前記検出手段の検出結果とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該検出手段が、所望する条件である入力されるＢ（青）信号がＢ基準電圧生成手段で生成される基準電圧の値より小さいことを検出し、その検出結果を補正信号生成手段のＢ補正信号生成手段に出力するステップと、
当該補正信号生成手段のＢ補正信号生成手段が、前記検出手段のＢ比較手段からの所望する条件が満たされた情報である検出結果に基づき、入力される画像信号のＢ（青）信号がＢ（青）信号用の基準電圧より大きい場合には補正信号は生成せず、入力される画像信号のＢ（青）信号がＢ（青）信号用の基準電圧より小さい場合に補正信号を生成し、且つ、入力される画像信号のＲ（赤）信号、Ｇ（緑）信号、Ｂ（青）信号から変換して得られたＹ（輝度）信号の値とＢ（青）信号の値とに応じて一意に値が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップ、
を実行することを特徴とする画像信号補正手段の動作方法である。
この発明により、画像信号の３原色信号であるＲ（赤）、Ｇ（緑）信号、Ｂ（青）信号のそれぞれの値が、所望する条件であるとき、それぞれの信号の値に応じて補正量を変えて補正することができる。
つまりＢ（青）信号＝４０％以下を検出したとき、Ｒ（赤）信号、Ｇ（緑）信号、Ｂ（青）信号から変換したＹ（輝度）信号の値とＢ（青）信号の値とに応じた値の補正を行う事ができる。
【００１１】
請求項６に記載の発明は、入力される画像信号を表す量子化ｂｉｔ数は、８ｂｉｔ以外の所望するｂｉｔ数であること、若しくは８ｂｉｔ以外の所望するｂｉｔ数であり、且つ負を表すことが可能なサインビットを備えること、を特徴とする特許請求の範囲第１項から第５項の画像信号補正手段の動作方法である。
つまり、デジタルで８ｂｉｔで量子化して表される０から２５５の範囲以外のより広い色域を表現する場合にも、特許請求の範囲第１項から第５項の画像信号補正手段の動作方法が可能である。
【００１２】
請求項７に記載の発明は、補正信号生成手段は、ルックアップテーブル方式であるデジタル化された階調のデータを任意の階調に補正するための入力と出力の対照表、つまり補正信号生成手段に入力されるＲ（赤）信号若しくはＧ（緑）信号若しくはＢ（青）信号若しくは検出手段からの検出結果の情報である入力値に対して一意に出力値を定める対応表、を利用することによる所望の補正値により、入力に対する所望の出力特性とする補正信号値の生成が可能であることを特徴とする特許請求の範囲第１項から第５項の補正信号生成手段の動作方法である。
つまり前記特許請求の範囲第１項から第５項の補正信号生成手段で生成される補正信号は、入力信号値に対して任意の出力特性である出力信号値を得られる補正信号の生成が可能である。
【発明の効果】
【００１３】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
「濃い赤」であるＲ（赤）信号＝１００％、Ｇ（緑）信号＝０％、Ｂ（青）信号＝０％  を検出して、少しだけ白を混ぜた「明るい赤」例えば、Ｒ（赤）信号＝１００％、Ｇ（緑）信号＝２０％、Ｂ信号（青）＝２０％  や、短波長（オレンジ）寄りの「朱色」（Ｒ（赤）信号＝１００％、Ｇ（緑）信号＝２０％、Ｂ（青）信号＝０％）に補正することができる。
さらにＢ（青）信号＝４０％以下を検出したときの、Ｒ（赤）信号の値に応じたＢ（青）信号の補正を行う事や、Ｇ（緑）信号＝４０％以下を検出したときの、Ｒ（赤）信号の値に応じたＧ（緑）信号の補正を行う事もできる。
さらに「濃い緑」であるＲ（赤）信号＝０％、Ｇ（緑）信号＝１００％、Ｂ（青）信号＝０％を検出して、少しだけ青を混ぜた色Ｒ（赤）信号＝０％、Ｇ（緑）信号＝１００％、Ｂ（青）信号＝２０％に補正する事もできる。
さらにＢ（青）信号＝４０％以下を検出したときの、Ｒ（赤）信号、Ｇ（緑）信号、Ｂ（青）信号から変換したＹ（輝度）信号の値に応じたＢ（青）信号の補正を行う事もできる。
従って、第１色盲を患う者でも上記の条件では判別が困難であったが、補正を行う事により判別が可能な表示とすることができ、健常者にも上記の条件以外では補正を行わないため違和感のない表示を可能とすることを特徴とする画像信号補正手段を提供できる。
又、加齢ととも低下した青色系統の感度を補うため、輝度の低い場合にはＢ（青）信号を補正し、輝度の高い場合にはＢ（青）信号を補正しないことにより、高齢者には低い輝度の場合ではＢ（青）信号を補正しているため見やすくなり、輝度の高い場合にはＢ（青）信号補正しないため高齢者以外の者にも違和感の少ない画像を表示することができることを特徴とする画像信号補正手段を提供できる。
【発明を実施するための最良の形態】
【００１４】
３原色の入力信号であるＲ（赤）信号、Ｇ（緑）信号、Ｂ（青）信号からなる画像信号が、所望する条件に合致するかを検出し、その検出結果に基づき補正信号を生成し、その前記補正信号に基づき前記入力の画像信号に補正を加え出力することで実現した。
【実施例】
【００１５】
以下に、本発明の実施の形態例を詳細に説明する。しかし、この実施の形態例によって、この発明が限定されるものではない。先ず、最初に図面について簡単に説明を行う。
図１は、本発明に係る実施の形態例の画像信号補正手段１０の構成を説明するブロック図である。
図２は、本発明に係る実施の形態例の画像信号補正手段１０Ａの構成を説明するブロック図である。
図３は、本発明に係る実施の形態例の画像信号補正手段１０Ｂの構成を説明するブロック図である。
図４は、本発明に係る実施の形態例の画像信号補正手段１０Ｃの構成を説明するブロック図である。
図５は、本発明に係る実施の形態例の画像信号補正手段１０Ｄの構成を説明するブロック図である。
図６は、本発明に係る実施例１と実施例２との補正前の入力信号に対する補正後の出力信号の関係を表す図である。
図７は、本発明に係る実施例３の補正前の入力信号に対する補正後の出力信号の関係を表す一例の図である。
図８は、本発明に係る実施例３の補正前の入力信号に対する補正後の出力信号の関係を表す図７以外の一例の図である。
図９は、図８の例の際の補正信号値の代表値の表である。
【００１６】
先ず図１を参照して、画像信号補正手段１０を例に説明を行う。
画像信号補正手段１０は、
画像信号の赤色成分であるＲ（赤）信号が入力される入力端子２０と、
画像信号の緑色成分であるＧ（緑）信号が入力される入力端子３０と、
画像信号の緑色成分であるＢ（青）信号が入力される入力端子４０と、
その入力端子２０、３０、４０と後段の補正信号生成手段６０と補正手段７０とに接続された検出手段５０と、
検出手段５０と後段の補正手段７０との間に介在し接続された補正信号生成手段６０と、
前記入力端子３０、４０と検出手段５０と補正信号生成手段６０と出力端子９０、１００とに接続された補正手段７０と、
前記入力端子２０に接続された出力端子８０と、前記補正手段７０に接続された出力端子９０、１００とが備えられている。
【００１７】
検出手段５０は、Ｒ基準信号生成手段５１と、Ｇ基準信号生成手段５２と、Ｂ基準信号生成手段５３と、
入力端子２０とＲ基準信号生成手段５１と後段の論理積手段５７とに接続された比較手段５４と、
入力端子３０とＧ基準信号生成手段５２と後段の論理積手段５７とに接続された比較手段５５と、
入力端子４０とＢ基準信号生成手段５３と後段の論理積手段５７とに接続された比較手段５６と、
前記それぞれの比較手段５４、５５、５６と後段の補正信号生成手段６０と補正手段７０とに接続された論理積手段５７とを、備える。
比較手段５４は、入力端子２０から入力されたＲ（赤）信号とＲ基準信号生成手段５１にて生成されたＲ用の基準信号とを比較し、その比較結果、つまり所望する条件である入力端子２０からのＲ（赤）信号がＲ用の基準信号値以上である検出結果を論理積手段５７に出力し、
比較手段５５は、入力端子３０から入力されたＧ（緑）信号とＧ基準信号生成手段５２にて生成されたＧ用の基準信号とを比較し、その比較結果、つまり所望する条件である入力端子３０からのＧ（緑）信号がＧ用の基準電圧値以下である検出結果を論理積手段５７に出力し、
比較手段５６は、入力端子４０から入力されたＢ（青）信号とＢ基準信号生成手段５３にて生成されたＢ用の基準信号とを比較し、その比較結果、つまり所望する条件である入力端子４０からのＢ（青）信号がＢ用の基準電圧値以下である検出結果を論理積手段５７に出力し、
論理積手段５７は、前記それぞれの比較手段からの結果を論理積（ＡＮＤ）の演算を行い、その演算結果を補正信号生成手段６０と補正手段７０とに出力する。
【００１８】
補正信号生成手段６０は、
前記検出手段５０の論理積手段５７と後段の補正手段７０のＧ補正手段７１とに接続されたＧ補正信号生成手段６１と、
前記検出手段５０の論理積手段５７と後段の補正手段７０のＢ補正手段７２とに接続されたＢ補正信号生成手段６２とを備え、
論理積手段５７からの検出結果に基づき、Ｇ補正信号生成手段６１が補正信号を生成してＧ補正手段７１に出力し、Ｂ補正信号生成手段６２が補正信号を生成してＢ補正手段７２に出力する。
【００１９】
補正手段７０は、
入力端子３０と検出手段５０の論理積手段５７と補正信号生成手段６０のＧ補正信号生成手段６１と出力端子９０とに接続されたＧ補正手段７１と、
入力端子４０と検出手段５０の論理積手段５７と補正信号生成手段６０のＢ補正信号生成手段６２と出力端子１００とに接続されたＢ補正手段７２とを備え、
Ｇ補正手段７１は、入力端子３０からのＧ（緑）信号に、論理積手段５７からの検出結果の信号とＧ補正信号生成手段６１からの補正信号とに基づき補正を行い補正後の信号を出力端子９０に出力し、
Ｂ補正手段７２は、入力端子４０からのＢ（青）信号に、論理積手段５７からの検出結果の信号とＢ補正信号生成手段６２からの補正信号とに基づき補正を行い補正後の信号を出力端子１００に出力する。
【００２０】
上記のように構成された画像信号補正手段１０に、「濃い赤」であるＲ（赤）信号＝１００％、Ｇ（緑）信号＝０％、Ｂ（青）信号＝０％が入力された際に、
Ｒ（赤）信号はそのままで、Ｇ（緑）信号＝２０％、Ｂ（青）信号＝２０％に補正する場合を、図１を参照して説明を行う。
尚、８ｂｉｔで量子化し四捨五入し表すと、信号＝１００％は２５５、信号＝０％は０、信号＝２０％は５１（０．２×２５５＝５１）のデジタル値で表される。
又、Ｒ基準信号生成手段５１は９０％の基準電圧を生成し、Ｇ基準信号生成手段５２とＢ基準信号生成手段５３とは２０％の基準電圧を生成する例とする。
従って、
比較手段５４は、入力端子２０から入力されたＲ（赤）信号とＲ基準信号生成手段５１にて生成された基準信号とを比較し、その比較結果、つまり所望する条件である入力端子２０からのＲ（赤）信号が９０％以上の値である検出結果を論理積手段５７に出力し、
比較手段５５は、入力端子３０から入力されたＧ（緑）信号とＧ基準信号生成手段５２にて生成された基準信号とを比較し、その比較結果、つまり所望する条件である入力端子３０からのＧ（緑）信号が２０％以下の値である検出結果を論理積手段５７に出力し、
比較手段５６は、入力端子４０から入力されたＢ（青）信号とＢ基準信号生成手段５３にて生成された基準信号とを比較し、その比較結果、つまり所望する条件である入力端子４０からのＢ（青）信号が２０％以下の値である検出結果を論理積手段５７に出力する。
さらに、Ｇ補正信号生成手段６１は２０％の補正信号を生成し、Ｂ補正信号生成手段６２も２０％の補正信号を生成するものとする。
【００２１】
画像信号補正手段１０の入力端子２０、３０、４０には、それぞれＲ（赤）信号＝１００％、Ｇ（緑）信号＝０％、Ｂ（青）信号＝０％が入力される。
入力端子２０には、画像信号の赤色成分であるＲ（赤）信号が入力され、
入力端子３０には、画像信号の緑色成分であるＧ（緑）信号が入力され、
入力端子４０には、画像信号の緑色成分であるＢ（青）信号が入力される。
従って、
Ｒ（赤）信号は、検出手段５０の比較手段５４とに入力されと共に出力端子８０にて出力され、
Ｇ（緑）信号は、検出手段５０の比較手段５５と補正手段７０のＧ補正手段７１とに入力され、
Ｂ（青）信号は、検出手段５０の比較手段５６と補正手段７０のＢ補正手段７２とに入力される。
【００２２】
検出手段５０には、前記入力端子２０、３０、４０からの画像３原色信号であるＲ（赤）信号とＧ（緑）信号とＢ（青）信号とが入力される。
比較手段５４は、Ｒ基準電圧生成手段５１からの基準電圧（９０％）と入力されたＲ（赤）信号とを比較し、Ｒ（赤）信号が基準電圧である９０％より大きい場合には”Ｈ”の信号を出力し、小さい場合は”Ｌ”の信号を出力する。
従って比較手段５４は、入力されているＲ（赤）信号は基準電圧である９０％より大きいことを検出し”Ｈ”の信号を出力する。
比較手段５５は、Ｇ基準電圧生成手段５２からの基準電圧（２０％）と入力されたＧ（緑）信号とを比較し、Ｇ（緑）信号が基準電圧である２０％より小さい場合には”Ｈ”の信号を出力し、大きい場合は”Ｌ”の信号を出力する。
従って比較手段５５は、入力されているＧ（緑）信号は基準電圧である２０％より小さいことを検出し”Ｈ”の信号を出力する。
比較手段５６は、Ｂ基準電圧生成手段５３からの基準電圧（２０％）と入力されたＢ（青）信号とを比較し、Ｂ（青）信号が基準電圧である２０％より小さい場合には”Ｈ”の信号を出力し、大きい場合は”Ｌ”の信号を出力する。
従って比較手段５６は、入力されているＢ（青）信号は基準電圧である２０％より小さいことを検出し”Ｈ”の信号を出力する。
論理積手段５７は、前記それぞれの比較手段の結果が全て”Ｈ”であるため、全ての条件が満たされたことを検出しその結果を補正信号生成手段６０のＧ補正信号生成手段６１とＢ補正信号生成手段６２と補正手段７０のＧ補正手段７１とＢ補正手段７２とに出力する。
【００２３】
補正信号生成手段６０のＧ補正信号生成手段６１は、前記検出手段５０の論理積手段５７からの信号が”Ｈ”である検出結果に基づき、２０％の補正信号を生成し、補正手段７０のＧ補正手段７１に出力する。
補正信号生成手段６０のＢ補正信号生成手段６２は、前記検出手段５０の論理積手段５７からの信号が”Ｈ”である検出結果に基づき、２０％の補正信号を生成し、補正手段７０のＢ補正手段７２に出力する。
【００２４】
補正手段７０のＧ補正手段７１は、入力端子３０からのＧ（緑）信号に、前記検出手段５０の論理積手段５７からの検出結果の情報とＧ補正信号生成手段６１からの補正信号とに基づき補正を行い、補正後の２０％の信号を出力端子９０に出力する。
補正手段７０のＢ補正手段７２は、入力端子４０からのＢ（青）信号に、前記検出手段５０の論理積手段５７からの検出結果の情報とＢ補正信号生成手段６２からの補正信号とに基づき補正を行い、補正後の２０％の信号を出力端子１００に出力する。
【００２５】
その結果、「濃い赤」であるＲ（赤）信号＝１００％、Ｇ（緑）信号＝０％、Ｂ（青）信号＝０％が入力された際に、Ｇ（緑）信号＝２０％、Ｂ（青）信号＝２０％に補正することができる。
尚、画像信号補正手段１０による入力Ｇ（緑）信号と出力Ｇ（緑）信号との関係、若しくは、入力Ｂ（青）信号と出力Ｂ（青）信号との関係である、補正前の入力信号と補正後の出力信号との関係を図６に示す。
【００２６】
次に図２を参照して、画像信号補正手段１０Ａを例に説明を行う。
画像信号補正手段１０Ａは、
画像信号の赤色成分であるＲ（赤）信号が入力される入力端子２０と、
画像信号の緑色成分であるＧ（緑）信号が入力される入力端子３０と、
画像信号の緑色成分であるＢ（青）信号が入力される入力端子４０と、
その入力端子２０、３０、４０と後段の補正信号生成手段６０Ａと補正手段７０Ａとに接続された検出手段５０Ａと、
前記検出手段５０Ａと後段の補正手段７０Ａとの間に介在し接続された補正信号生成手段６０Ａと、
前記入力端子４０と検出手段５０Ａと補正信号生成手段６０Ａと出力端子１００とに接続された補正手段７０Ａと、
前記入力端子２０に接続された出力端子８０と、
前記入力端子３０に接続された出力端子９０と、
前記補正手段７０Ａに接続された出力端子１００とが備えられている。
【００２７】
検出手段５０Ａは、Ｒ基準信号生成手段５１Ａと、Ｇ基準信号生成手段５２Ａと、Ｂ基準信号生成手段５３Ａと、
入力端子２０とＲ基準信号生成手段５１Ａと後段の論理積手段５７Ａとに接続された比較手段５４と、
入力端子３０とＧ基準信号生成手段５２Ａと後段の論理積手段５７Ａとに接続された比較手段５５と、
入力端子４０とＢ基準信号生成手段５３Ａと後段の論理積手段５７Ａとに接続された比較手段５６と、
前記それぞれの比較手段と後段の補正信号生成手段６０Ａと補正手段７０Ａとに接続された論理積手段５７Ａとを、備える。
比較手段５４は、入力端子２０から入力されたＲ（赤）信号とＲ基準信号生成手段５１Ａにて生成されたＲ用の基準信号とを比較し、その比較結果、つまり所望する条件である入力端子２０からのＲ（赤）信号がＲ用の基準信号値以下である検出結果を論理積手段５７Ａに出力し、
比較手段５５は、入力端子３０から入力されたＧ（緑）信号とＧ基準信号生成手段５２Ａにて生成されたＧ用の基準信号とを比較し、その比較結果、つまり所望する条件である入力端子３０からのＧ（緑）信号がＧ用の基準電圧値以上である検出結果を論理積手段５７Ａに出力し、
比較手段５６は、入力端子４０から入力されたＢ（青）信号とＢ基準信号生成手段５３Ａにて生成されたＢ用の基準信号とを比較し、その比較結果、つまり所望する条件である入力端子４０からのＢ（青）信号がＢ用の基準電圧値以下である検出結果を論理積手段５７Ａに出力し、
論理積手段５７Ａは、前記それぞれの比較手段の結果を論理積（ＡＮＤ）の演算を行い、その演算結果を補正信号生成手段６０Ａと補正手段７０Ａとに出力する。
【００２８】
補正信号生成手段６０Ａは、
前記検出手段５０Ａの論理積手段５７Ａと後段の補正手段７０ＡのＢ補正手段７２Ａとに接続されたＢ補正信号生成手段６２Ａを備え、
検出手段５０Ａの論理積手段５７Ａからの検出結果に基づき、Ｂ補正信号生成手段６２Ａが補正信号を生成して補正手段７０ＡのＢ補正手段７２Ａに出力する。
【００２９】
補正手段７０Ａは、
入力端子４０と検出手段５０Ａの論理積手段５７Ａと補正信号生成手段６０ＡのＢ補正信号生成手段６２Ａと出力端子１００とに接続されたＢ補正手段７２Ａを備え、
Ｂ補正手段７２Ａは、入力端子４０からのＢ（青）信号に、論理積手段５７からの検出結果の信号とＢ補正信号生成手段６２Ａからの補正信号に基づき補正を行い補正後の信号を出力端子１００に出力する。
【００３０】
上記のように構成された画像信号補正手段１０Ａに、「濃い緑」であるＲ（赤）信号＝０％、Ｇ（緑）信号＝１００％、Ｂ（青）信号＝０％が入力された際に、少しだけ青を混ぜた色Ｒ（赤）信号＝０％、Ｇ（緑）信号＝１００％、Ｂ（青）信号＝２０％に補正する場合の説明を行う。
尚、Ｒ基準信号生成手段５１Ａは２０％の基準電圧を生成し、Ｇ基準信号生成手段５２Ａは９０％の基準電圧を生成し、Ｂ基準信号生成手段５３Ａは２０％の基準電圧を生成する例とする。
従って、  比較手段５４は、入力端子２０から入力されたＲ（赤）信号とＲ基準信号生成手段５１Ａにて生成された基準信号とを比較し、その比較結果、つまり所望する条件である入力端子２０からのＲ（赤）信号が２０％以下の値である検出結果を論理積手段５７Ａに出力し、
比較手段５５は、入力端子３０から入力されたＧ（緑）信号とＧ基準信号生成手段５２Ａにて生成された基準信号とを比較し、その比較結果、つまり所望する条件である入力端子３０からのＧ（緑）信号が９０％以上の値である検出結果を論理積手段５７Ａに出力し、
比較手段５６は、入力端子４０から入力されたＢ（青）信号とＢ基準信号生成手段５３Ａにて生成された基準信号とを比較し、その比較結果、つまり所望する条件である入力端子４０からのＢ（青）信号が２０％以下の値である検出結果を論理積手段５７Ａに出力する。
さらに、Ｂ補正信号生成手段６２Ａは２０％の補正信号を生成するものとする。
【００３１】
画像信号補正手段１０Ａの入力端子２０、３０、４０には、それぞれＲ（赤）信号＝０％、Ｇ（緑）信号＝１００％、Ｂ（青）信号＝０％が入力される。
入力端子２０には、画像信号の赤色成分であるＲ（赤）信号が入力され、
入力端子３０には、画像信号の緑色成分であるＧ（緑）信号が入力され、
入力端子４０には、画像信号の緑色成分であるＢ（青）信号が入力される。
従って、
Ｒ（赤）信号は、検出手段５０Ａの比較手段５４に入力されると共に出力端子８０にて出力され、
Ｇ（緑）信号は、検出手段５０Ａの比較手段５５に入力されると共に出力端子９０にて出力され、
Ｂ（青）信号は、検出手段５０Ａの比較手段５６と補正手段７０のＢ補正手段７２Ａとに入力される。
【００３２】
検出手段５０Ａには、前記入力端子２０、３０、４０からの画像３原色信号であるＲ（赤）信号とＧ（緑）信号とＢ（青）信号とが入力される。
比較手段５４は、Ｒ基準電圧生成手段５１Ａからの基準電圧（２０％）と入力されたＲ（赤）信号とを比較し、Ｒ（赤）信号が基準電圧である２０％より小さい場合には、”Ｈ”の信号を出力し、大きい場合は”Ｌ”の信号を出力する。
従って比較手段５４は、入力されているＲ（赤）信号は基準電圧である２０％より小さいことを検出し”Ｈ”の信号を出力する。
比較手段５５は、Ｇ基準電圧生成手段５２Ａからの基準電圧（９０％）と入力されたＧ（緑）信号とを比較し、Ｇ（緑）信号が基準電圧である９０％より大きい場合には、”Ｈ”の信号を出力し、小さい場合は”Ｌ”の信号を出力する。
従って比較手段５５は、入力されているＧ（緑）信号は基準電圧である９０％より大きいことを検出し”Ｈ”の信号を出力する。
比較手段５６は、Ｂ基準電圧生成手段５３Ａからの基準電圧（２０％）と入力されたＢ（青）信号とを比較し、Ｂ（青）信号が基準電圧である２０％より小さい場合には、”Ｈ”の信号を出力し、大きい場合は”Ｌ”の信号を出力する。
従って比較手段５６は、入力されているＢ（青）信号は基準電圧である２０％より小さいことを検出し”Ｈ”の信号を出力する。
論理積手段５７Ａは、前記それぞれの比較手段の結果が全て”Ｈ”であるため、全ての条件が満たされたことを検出しその結果を補正信号生成手段６０ＡのＢ補正信号生成手段６２Ａと補正手段７０ＡのＢ補正手段７２Ａとに出力する。
【００３３】
補正信号生成手段６０ＡのＢ補正信号生成手段６２Ａは、前記検出手段５０Ａの論理積手段５７Ａからの信号が”Ｈ”である検出結果に基づき、２０％の補正信号を生成し、補正手段７０ＡのＢ補正手段７２Ａに出力する。
【００３４】
補正手段７０ＡのＢ補正手段７２Ａは、入力端子４０からのＢ（青）信号に、前記検出手段５０の論理積手段５７からの検出結果の情報とＢ補正信号生成手段６２Ａからの補正信号とに基づき補正を行い出力端子１００に出力する。
【００３５】
その結果、「濃い緑」であるＲ（赤）信号＝０％、Ｇ（緑）信号＝１００％、Ｂ（青）信号＝０％を検出して、少しだけ青を混ぜた色Ｒ（赤）信号＝０％、Ｇ（緑）信号＝１００％、Ｂ（青）信号＝２０％に補正することができる。
尚、画像信号補正手段１０Ａによる入力Ｂ（青）信号と出力Ｂ（青）信号との関係である、補正前の入力信号と補正後の出力信号との関係を図６に示す。
【００３６】
次に図３を参照して、画像信号補正手段１０Ｂを例に、Ｒ（赤）信号の値に対応してＧ（緑）信号を補正し、Ｒ（赤）信号の値に対応してＢ（青）信号を補正する場合の説明を行う。
【００３７】
画像信号補正手段１０Ｂは、
画像信号の赤色成分であるＲ（赤）信号が入力される入力端子２０と、
画像信号の緑色成分であるＧ（緑）信号が入力される入力端子３０と、
画像信号の緑色成分であるＢ（青）信号が入力される入力端子４０と、
その入力端子３０、４０と後段の補正信号生成手段６０Ｂとの間に介在し接続された検出手段５０Ｂと、
前記入力端子２０、３０、４０と検出手段５０Ｂと後段の補正手段７０Ｂとに接続された補正信号生成手段６０Ｂと、
前記入力端子３０、４０と補正信号生成手段６０Ｂと出力端子９０、１００とに接続された補正手段７０Ｂと、
前記入力端子２０に接続された出力端子８０と、
前記補正手段７０Ｂに接続された出力端子９０、１００とが備えられている。
【００３８】
検出手段５０Ｂは、Ｇ基準信号生成手段５２Ｂと、Ｂ基準信号生成手段５３Ｂと、
入力端子３０とＧ基準信号生成手段５２Ｂと後段の補正信号生成手段６０ＢのＧ補正信号生成手段６１Ｂとに接続された比較手段５５と、
入力端子４０とＢ基準信号生成手段５３Ｂと後段の補正信号生成手段６０ＢのＢ補正信号生成手段６２Ｂとに接続された比較手段５６と、を備える。
比較手段５５は、入力端子３０から入力されたＧ（緑）信号とＧ基準信号生成手段５２Ｂにて生成されたＧ用の基準信号とを比較し、その比較結果、つまり所望する条件である入力端子３０からのＧ（緑）信号がＧ用の基準電圧値以下の値である検出結果を補正信号生成手段６０ＢのＧ補正信号生成手段６１Ｂに出力し、
比較手段５６は、入力端子４０から入力されたＢ（青）信号とＢ基準信号生成手段５３Ｂにて生成されたＢ用の基準信号とを比較し、その比較結果、つまり所望する条件である入力端子４０からのＢ（青）信号がＢ用の基準電圧値以下の値である検出結果を補正信号生成手段６０ＢのＢ補正信号生成手段６２Ｂに出力する。
【００３９】
補正信号生成手段６０Ｂは、
前記入力端子２０、３０と検出手段５０Ｂの比較手段５５と後段の補正手段７０ＢのＧ補正手段７１Ｂとに接続されたＧ補正信号生成手段６１Ｂと
前記入力端子２０、４０と検出手段５０Ｂの比較手段５６と後段の補正手段７０ＢのＢ補正手段７２Ｂとに接続されたＢ補正信号生成手段６２Ｂとを備え、
Ｇ補正信号生成手段６１Ｂは、Ｒ（赤）信号とＧ（緑）信号と検出手段５０Ｂの比較手段５５からの検出結果とに基づき補正信号を生成してＧ補正手段７１Ｂに出力し、
Ｂ補正信号生成手段６２Ｂは、Ｒ（赤）信号とＢ（青）信号と検出手段５０Ｂの比較手段５６からの検出結果とに基づき補正信号を生成してＢ補正手段７２Ｂに出力する。
【００４０】
補正手段７０Ｂは、
入力端子３０とＧ補正信号生成手段６１Ｂと出力端子９０とに接続されたＧ補正手段７１Ｂと、
入力端子４０とＢ補正信号生成手段６２Ｂと出力端子１００とに接続されたＢ補正手段７２Ｂとを備え、
Ｇ補正手段７１Ｂは、入力端子３０からのＧ（緑）信号にＧ補正信号生成手段６１Ｂからの補正信号に基づき補正を行い補正後の信号を出力端子９０に出力し、
Ｂ補正手段７２Ｂは、入力端子４０からのＢ（青）信号にＢ補正信号生成手段６２Ｂからの補正信号に基づき補正を行い補正後の信号を出力端子１００に出力する。
【００４１】
上記のように構成された画像信号補正手段１０Ｂに、それぞれＲ（赤）信号＝１００％、Ｇ（緑）信号＝０％、Ｂ（青）信号＝０％が入力された際に、
Ｇ（緑）信号とＢ（青）信号とを補正する場合を、図３を参照して説明を行う。
又、Ｇ基準信号生成手段５２ＢとＢ基準信号生成手段５３Ｂとは４０％の基準電圧を生成する例とする。
従って、比較手段５５は、入力端子３０から入力されたＧ（緑）信号とＧ基準信号生成手段５２Ｂにて生成された基準信号とを比較し、その比較結果、つまり所望する条件である入力端子３０からのＧ（緑）信号が４０％以下の値である検出結果をＧ補正信号生成手段６１Ｂに出力し、
比較手段５６は、入力端子４０から入力されたＢ（青）信号とＢ基準信号生成手段５３Ｂにて生成された基準信号とを比較し、その比較結果、つまり所望する条件である入力端子４０からのＢ（青）信号が４０％以下の値である検出結果をＢ補正信号生成手段６２Ｂに出力する。
さらにＧ補正信号生成手段６１Ｂは、Ｒ（赤）信号とＧ（緑）信号の値に応じた補正信号を生成し、Ｂ補正信号生成手段６２Ｂは、Ｒ（赤）信号とＢ（青）信号との値に応じた補正信号を生成する。
【００４２】
画像信号補正手段１０Ｂの入力端子２０、３０、４０には、それぞれＲ（赤）信号＝１００％、Ｇ（緑）信号＝０％、Ｂ（青）信号＝０％が入力される。
入力端子２０には、画像信号の赤色成分であるＲ（赤）信号が入力され、
入力端子３０には、画像信号の緑色成分であるＧ（緑）信号が入力され、
入力端子４０には、画像信号の緑色成分であるＢ（青）信号が入力される。
従って
Ｒ（赤）信号は、補正信号生成手段６０ＢのＧ補正信号生成手段６１ＢとＢ補正信号生成手段６２Ｂとに入力され、さらに出力端子８０にて出力される。
Ｇ（緑）信号は、検出手段５０Ｂの比較手段５５と補正信号生成手段６０ＢのＧ補正信号生成手段６１Ｂと補正手段７０ＢのＧ補正手段７１Ｂとに入力される。
Ｂ（青）信号は、検出手段５０Ｂの比較手段５６と補正信号生成手段６０ＢのＢ補正信号生成手段６２Ｂと補正手段７０ＢのＢ補正手段７２Ｂとに入力される。
【００４３】
検出手段５０Ｂには、前記入力端子３０、４０からのＧ（緑）信号とＢ（青）信号が入力される。
比較手段５５は、Ｇ基準電圧生成手段５２Ｂからの基準電圧（４０％）と入力されたＧ（緑）信号とを比較し、Ｇ（緑）信号が基準電圧である４０％より小さい場合には、”Ｈ”の信号を出力し、大きい場合は”Ｌ”の信号を出力する。
従って比較手段５５は、入力されているＧ（緑）信号が基準電圧である４０％より小さいことを検出し”Ｈ”の信号を出力する。
比較手段５６は、Ｂ基準電圧生成手段５３Ｂからの基準電圧（４０％）と入力されたＢ（青）信号とを比較し、Ｂ（青）信号が基準電圧である４０％より小さい場合には、”Ｈ”の信号を出力し、大きい場合は”Ｌ”の信号を出力する。
従って比較手段５６は、入力されているＢ（青）信号が基準電圧である４０％より小さいことを検出し”Ｈ”の信号を出力する。
【００４４】
補正信号生成手段６０ＢのＧ補正信号生成手段６１Ｂは、前記検出手段５０の比較手段５５からの信号が”Ｈ”である検出結果と入力されているＲ（赤）信号とＧ（緑）信号の値に基づき、一意に値が決定される補正信号を生成し、補正手段７０ＢのＧ補正手段７１Ｂに出力する。
尚、Ｇ補正信号生成手段６１Ｂが生成する補正信号の一例として、
ＧＫ１は所望する係数であり一例として２．５、
ＧＫ２は所望する係数であり一例として５、
入力されるＲ（赤）信号をＲ、ただしＲは０〜１００％、
入力されるＧ（緑）信号をＧ、ただしＧは０〜１００％とするとき、
（Ｒ―（Ｇ×ＧＫ１））が負の値の場合では、生成される補正信号Ｇは０％、
（Ｒ―（Ｇ×ＧＫ１））が正の値の場合では、
補正信号Ｇ＝（Ｒ―（Ｇ×ＧＫ１））÷ＧＫ２％、
である補正信号Ｇを生成する。
この例の補正前の信号と補正後の信号との関係を図７に示す。
【００４５】
補正信号生成手段６０ＢのＢ補正信号生成手段６２Ｂは、前記検出手段５０の比較手段５６からの信号が”Ｈ”である検出結果と入力されているＲ（赤）信号とＢ（青）信号の値に基づき、一意に値が決定される補正信号を生成し、補正手段７０ＢのＢ補正手段７２Ｂに出力する。
尚、Ｂ補正信号生成手段６２Ｂが生成する補正信号の一例として、
ＢＫ１は所望する係数であり一例として２．５、
ＢＫ２は所望する係数であり一例として５、
入力されるＲ（赤）信号をＲ、ただしＲは０〜１００％、
入力されるＢ（青）信号をＢ、ただしＢは０〜１００％とするとき、
（Ｒ―（Ｂ×ＢＫ１））が負の値の場合では、生成される補正信号Ｂは０％、
（Ｒ―（Ｂ×ＢＫ１））が正の値の場合では、
補正信号Ｂ＝（Ｒ―（Ｂ×ＢＫ１））÷ＢＫ２％、
である補正信号Ｂを生成する。
又、補正信号の値を決める別な一例として、
入力されるＢ（青）信号をＢ、ただしＢは０〜１００％とするとき、
補正信号Ｂ＝２０÷１００×（１００―Ｂ）％、である補正信号Ｂを生成する場合でも、入力されているＢ（青）信号の値に基づき、一意に値が決定される補正信号を生成できる。
さらに又、補正信号の値を決める別な一例として、
logは、１０を低とする対数とし、
入力されるＲ（赤）信号をＲ、ただしＲは０〜１００％、
入力されるＢ（青）信号をＢ、ただしＢは０〜１００％とするとき、
（１−log（（Ｂ＋１０）÷１０））が負の値の場合では、生成される補正信号Ｂは０％、
（１−log（（Ｂ＋１０）÷１０））が正の値の場合では、
補正信号Ｂ＝２０×Ｒ÷１００×（１−log（（Ｂ＋１０）÷１０））％、
である補正信号Ｂを生成する。従って、入力されているＲ（赤）信号とＢ（青）信号の値に基づき、一意に値が決定される補正信号を生成できる。
この例の補正前の信号と補正後の信号との関係を図８に、補正信号の代表値を図９に示す。
さらに又、補正信号の値を決める別な一例として、
ルックアップテーブル方式、つまりデジタル化された階調のデータを任意の階調に補正するために使用される、入力と出力の対照表を利用することによる所望の補正値により入力に対する所望の出力特性とする補正値の生成が可能であることであっても一意に値が決定される補正信号を生成できる。
【００４６】
補正手段７０ＢのＧ補正手段７１Ｂは、入力端子３０からのＧ（緑）信号に、Ｇ補正信号生成手段６１Ｂからの補正信号に基づき補正を行い出力端子９０に出力する。
補正手段７０ＢのＢ補正手段７２Ｂは、入力端子４０からのＢ（青）信号に、Ｂ補正信号生成手段６２Ｂからの補正信号に基づき補正を行い出力端子１００に出力する。
【００４７】
その結果、Ｒ（赤）信号＝１００％、Ｇ（緑）信号＝０％、Ｂ（青）信号＝０％が入力された際に、Ｇ（緑）信号＝２０％、Ｂ（青）信号＝２０％に補正することができる。
従って、図７のごとくＲ（赤）信号の値に対応したＧ（緑）信号、若しくはＢ（青）信号に補正することができる。
【００４８】
次に図４を参照して、画像信号補正手段１０Ｃを例に説明を行う。
画像信号補正手段１０Ｃは、
画像信号の赤色成分であるＲ（赤）信号が入力される入力端子２０と、
画像信号の緑色成分であるＧ（緑）信号が入力される入力端子３０と、
画像信号の緑色成分であるＢ（青）信号が入力される入力端子４０と、
その入力端子２０、３０、４０と後段の補正信号生成手段６０Ｃとに接続された検出手段５０Ｃと、
前記入力端子３０、４０と検出手段５０Ｃと後段の補正手段７０Ｃとの間に介在し接続された補正信号生成手段６０Ｃと、
前記入力端子４０と補正信号生成手段６０Ｃと出力端子１００とに接続された補正手段７０Ｃと、
前記入力端子２０に接続された出力端子８０と、
前記入力端子３０に接続された出力端子９０と、
前記補正手段７０Ｃに接続された出力端子１００とが備えられている。
【００４９】
検出手段５０Ｃは、Ｒ基準信号生成手段５１Ｃと、Ｇ基準信号生成手段５２Ｃと、Ｂ基準信号生成手段５３Ｃと、
入力端子２０とＲ基準信号生成手段５１Ｃと後段の論理積手段５７Ｃとに接続された比較手段５４と、
入力端子３０とＧ基準信号生成手段５２Ｃと後段の論理積手段５７Ｃとに接続された比較手段５５と、
入力端子４０とＢ基準信号生成手段５３Ｃと後段の論理積手段５７Ｃとに接続された比較手段５６と、
前記それぞれの比較手段と後段の補正信号生成手段６０Ｃとに接続された論理積手段５７Ｃとを、備える。
比較手段５４は、入力端子２０から入力されたＲ（赤）信号とＲ基準信号生成手段５１Ｃにて生成されたＲ用の基準信号とを比較し、その比較結果、つまり所望する条件である入力端子２０からのＲ（赤）信号がＲ用の基準信号値以下である検出結果を論理積手段５７Ｃに出力し、
比較手段５５は、入力端子３０から入力されたＧ（緑）信号とＧ基準信号生成手段５２Ｃにて生成されたＧ用の基準信号とを比較し、その比較結果、つまり所望する条件である入力端子３０からのＧ（緑）信号がＧ用の基準電圧値以上である検出結果を論理積手段５７Ｃに出力し、
比較手段５６は、入力端子４０から入力されたＢ（青）信号とＢ基準信号生成手段５３Ｃにて生成されたＢ用の基準信号とを比較し、その比較結果、つまり所望する条件である入力端子４０からのＢ（青）信号がＢ用の基準電圧値以下である検出結果を論理積手段５７Ｃに出力し、
論理積手段５７Ｃは、前記それぞれの比較手段の結果を論理積（ＡＮＤ）の演算を行い、その演算結果を補正信号生成手段６０Ｃに出力する。
【００５０】
補正信号生成手段６０Ｃは、
前記入力端子３０、４０と検出手段５０Ｃの論理積手段５７Ｃと後段の補正手段７０ＣのＢ補正手段７２Ｃとに接続されたＢ補正信号生成手段６２Ｃを備え、
入力されるＧ（緑）信号とＢ（青）信号と検出手段５０Ｃの論理積手段５７Ｃからの検出結果とに基づき、Ｂ補正信号生成手段６２Ｃが補正信号を生成して補正手段７０ＣのＢ補正手段７２Ｃに出力する。
【００５１】
補正手段７０Ｃは、
入力端子４０と補正信号生成手段６０ＣのＢ補正信号生成手段６２Ｃと出力端子１００とに接続されたＢ補正手段７２Ｃを備え、
Ｂ補正手段７２Ｃは、入力端子４０からのＢ（青）信号に、Ｂ補正信号生成手段６２Ｃからの補正信号に基づき補正を行い補正後の信号を出力端子１００に出力する。
【００５２】
上記のように構成された画像信号補正手段１０Ｃに、「濃い緑」であるＲ（赤）信号＝０％、Ｇ（緑）信号＝１００％、Ｂ（青）信号＝０％が入力された際に、少しだけ青を混ぜた色Ｒ（赤）信号＝０％、Ｇ（緑）信号＝１００％、Ｂ（青）信号＝２０％に補正する場合の説明を行う。
尚、Ｒ基準信号生成手段５１Ｃは２０％の基準電圧を生成し、Ｇ基準信号生成手段５２Ｃは９０％の基準電圧を生成し、Ｂ基準信号生成手段５３Ｃは４０％の基準電圧を生成する例とする。
従って、
比較手段５４は、入力端子２０から入力されたＲ（赤）信号とＲ基準信号生成手段５１Ｃにて生成された基準信号とを比較し、その比較結果、つまり所望する条件である入力端子２０からのＲ（赤）信号が２０％以下の値である検出結果を論理積手段５７Ｃに出力し、
比較手段５５は、入力端子３０から入力されたＧ（緑）信号とＧ基準信号生成手段５２Ｃにて生成された基準信号とを比較し、その比較結果、つまり所望する条件である入力端子３０からのＧ（緑）信号が９０％以上の値である検出結果を論理積手段５７Ｃに出力し、
比較手段５６は、入力端子４０から入力されたＢ（青）信号とＢ基準信号生成手段５３Ｃにて生成された基準信号とを比較し、その比較結果、つまり所望する条件である入力端子４０からのＢ（青）信号が４０％以下の値である検出結果を論理積手段５７Ｃに出力する。
さらに、Ｂ補正信号生成手段６２Ｃは入力されたＧ（緑）信号と（青）信号との値に応じた補正信号を生成するものとする。
【００５３】
画像信号補正手段１０Ｃの入力端子２０、３０、４０には、それぞれＲ（赤）信号＝０％、Ｇ（緑）信号＝１００％、Ｂ（青）信号＝０％が入力される。
入力端子２０には、画像信号の赤色成分であるＲ（赤）信号が入力され、
入力端子３０には、画像信号の緑色成分であるＧ（緑）信号が入力され、
入力端子４０には、画像信号の緑色成分であるＢ（青）信号が入力される。
従って、
Ｒ（赤）信号は、検出手段５０Ｃの比較手段５４に入力されると共に出力端子８０にて出力され、
Ｇ（緑）信号は、検出手段５０Ｃの比較手段５５と補正信号生成手段６０ＣのＢ補正信号生成手段６２Ｃに入力されると共に出力端子９０にて出力され、
Ｂ（青）信号は、検出手段５０Ｃの比較手段５６と補正信号生成手段６０ＣのＢ補正信号生成手段６２Ｃと補正手段７０ＣのＢ補正手段７２Ｃとに入力される。
【００５４】
検出手段５０Ｃには、前記入力端子２０、３０、４０からの画像３原色信号であるＲ（赤）信号とＧ（緑）信号とＢ（青）信号とが入力される。
比較手段５４は、Ｒ基準電圧生成手段５１Ｃからの基準電圧（２０％）と入力されたＲ（赤）信号とを比較し、Ｒ（赤）信号が基準電圧である２０％より小さい場合には、”Ｈ”の信号を出力し、大きい場合は”Ｌ”の信号を出力する。
従って比較手段５４は、入力されているＲ（赤）信号は基準電圧である２０％より小さいことを検出し”Ｈ”の信号を出力する。
比較手段５５は、Ｇ基準電圧生成手段５２Ｃからの基準電圧（９０％）と入力されたＧ（緑）信号とを比較し、Ｇ（緑）信号が基準電圧である９０％より大きい場合には、”Ｈ”の信号を出力し、小さい場合は”Ｌ”の信号を出力する。
従って比較手段５５は、入力されているＧ（緑）信号は基準電圧である９０％より大きいことを検出し”Ｈ”の信号を出力する。
比較手段５６は、Ｂ基準電圧生成手段５３Ｃからの基準電圧（４０％）と入力されたＢ（青）信号とを比較し、Ｂ（青）信号が基準電圧である４０％より小さい場合には、”Ｈ”の信号を出力し、大きい場合は”Ｌ”の信号を出力する。
従って比較手段５６は、入力されているＢ（青）信号は基準電圧である４０％より小さいことを検出し”Ｈ”の信号を出力する。
論理積手段５７Ｃは、前記それぞれの比較手段の結果が全て”Ｈ”であるため、全ての条件が満たされたことを検出しその結果を補正信号生成手段６０ＣのＢ補正信号生成手段６２Ｃに出力する。
【００５５】
補正信号生成手段６０ＣのＢ補正信号生成手段６２Ｃは、検出手段５０Ｃの論理積手段５７Ｃからの信号が”Ｈ”である検出結果と入力されるＧ（緑）信号とＢ（青）信号との値に応じ一意に値が決定される補正信号を生成し、補正手段７０ＣのＢ補正手段７２Ｃに出力する。
尚、Ｂ補正信号生成手段６２Ｃが生成する補正信号の一例として、
ＢＫ１は所望する係数であり一例として２．５、
ＢＫ２は所望する係数であり一例として５、
入力されるＧ（緑）信号をＧ、ただしＧは０〜１００％
入力されるＢ（青）信号をＢ、ただしＢは０〜１００％とするとき、
（Ｇ―（Ｂ×ＢＫ１））が負の値の場合では、生成される補正信号Ｂは０％、
（Ｇ―（Ｂ×ＢＫ１））が正の値の場合では、
補正信号Ｂ＝（Ｇ―（Ｂ×ＢＫ１））÷ＢＫ２％、
である補正信号Ｂを生成する。
この例の補正前の信号と補正後の信号との関係を図７に示す。
【００５６】
補正手段７０ＣのＢ補正手段７２Ｃは、入力端子４０からのＢ（青）信号に、前記Ｂ補正信号生成手段６２Ｃからの補正信号に基づき補正を行い出力端子１００に出力する。
【００５７】
その結果、「濃い緑」であるＲ（赤）信号＝０％、Ｇ（緑）信号＝１００％、Ｂ（青）信号＝０％を検出して、少しだけ青を混ぜた色Ｒ（赤）信号＝０％、Ｇ（緑）信号＝１００％、Ｂ（青）信号＝２０％に補正することができる。
【００５８】
次に図５を参照して画像信号補正手段１０Ｄを例に、入力されたＲ（赤）信号、Ｇ（緑）信号、Ｂ（青）信号をＹ（輝度）信号に変換し、そのＹ（輝度）信号の値に応じて、Ｂ（青）信号を補正する場合の説明を行う。
【００５９】
画像信号補正手段１０Ｄは、
画像信号の赤色成分であるＲ（赤）信号が入力される入力端子２０と、
画像信号の緑色成分であるＧ（緑）信号が入力される入力端子３０と、
画像信号の緑色成分であるＢ（青）信号が入力される入力端子４０と、
その入力端子４０と後段の補正信号生成手段６０Ｄとの間に介在し接続された検出手段５０Ｄと、
前記入力端子２０、３０、４０と検出手段５０Ｄと後段の補正手段７０Ｄとに接続された補正信号生成手段６０Ｄと、
前記入力端子４０と補正信号生成手段６０Ｄと後段の出力端子１００とに接続された補正手段７０Ｄと、
前記入力端子２０に接続された出力端子８０と、前記入力端子３０に接続された出力端子９０と、
前記補正手段７０Ｄに接続された出力端子１００とが備えられている。
【００６０】
検出手段５０Ｄは、Ｂ基準信号生成手段５３Ｄと、
入力端子４０とＢ基準信号生成手段５３Ｄと後段の補正信号生成手段６０Ｄとに接続された比較手段５６と、を備える。
比較手段５６は、入力端子４０から入力されたＢ（青）信号とＢ基準信号生成手段５３Ｄにて生成された基準信号とを比較し、その比較結果、つまり所望する条件である入力端子４０からのＢ（青）信号がＢ用基準電圧値以下の値である検出結果を補正信号生成手段６０Ｄに出力する。
【００６１】
補正信号生成手段６０Ｄは、入力端子２０、３０、４０と後段のＢ補正信号生成手段６２Ｄとに接続され、入力されたＲ（赤）信号、Ｇ（緑）信号、Ｂ（青）信号をＹ（輝度）信号に変換する変換手段６３Ｄと、その変換手段６３Ｄと入力端子４０と検出手段５０Ｄの比較手段５６と後段の補正手段７０ＤのＢ補正手段７２Ｄとに接続されたＢ補正信号生成手段６２Ｄと、を備える。
Ｂ補正信号生成手段６２Ｄは、検出手段５０Ｄの比較手段５６からの検出結果と変換手段６３ＤからのＹ（輝度）信号と入力端子４０から入力されたＢ（青）信号とに基づき、補正信号を生成して補正手段７０ＤのＢ補正手段７２Ｄに出力する。
【００６２】
補正手段７０Ｄは、前記入力端子４０と補正信号生成手段６０ＤのＢ補正信号生成手段６２Ｄと出力端子１００とに接続されたＢ補正手段７２Ｄを備え、
入力端子４０からのＢ（青）信号に、補正信号生成手段６０ＤのＢ補正信号生成手段６２Ｄからの補正信号に基づき補正を行い補正後の信号を出力端子１００に出力する。
【００６３】
出力端子８０は、前記入力端子２０に接続され、入力端子２０からの信号を出力する。
出力端子９０は、前記入力端子３０に接続され、入力端子３０からの信号を出力する。
【００６４】
出力端子１００は、前記補正手段７０ＤのＢ補正手段７２Ｄに接続され補正後の信号を出力する。
【００６５】
上記のように構成された画像信号補正手段１０Ｄに、それぞれＲ（赤）信号＝５０％、Ｇ（緑）信号＝４０％、Ｂ（青）信号＝３０％が入力された際に、
Ｂ（青）信号を補正する場合を、図５を参照して説明を行う。
又、Ｂ基準信号生成手段５３Ｄは４０％の基準電圧を生成する例とする。
従って、
比較手段５６は、入力端子４０から入力されたＢ（青）信号とＢ基準信号生成手段５３Ｄにて生成された基準信号とを比較し、その比較結果、つまり所望する条件である入力端子４０からのＢ（青）信号が４０％以下の値である検出結果をに出力する。
さらにＢ補正信号生成手段６２Ｄは、Ｙ（輝度）信号とＢ（青）信号の値に応じて一意に値が決定される補正信号を生成する。
【００６６】
画像信号補正手段１０Ｄに、それぞれＲ（赤）信号＝５０％、Ｇ（緑）信号＝４０％、Ｂ（青）信号＝３０％が入力される。
入力端子２０には、画像信号の赤色成分であるＲ（赤）信号が入力され、
入力端子３０には、画像信号の緑色成分であるＧ（緑）信号が入力され、
入力端子４０には、画像信号の緑色成分であるＢ（青）信号が入力される。
Ｒ（赤）信号は、補正信号生成手段６０Ｄの変換手段６３Ｄに入力されると共に出力端子８０にて出力される。
Ｇ（緑）信号は、補正信号生成手段６０Ｄの変換手段６３Ｄに入力されると共に出力端子９０にて出力される。
Ｂ（青）信号は、検出手段５０Ｄの比較手段５６と補正信号生成手段６０ＤのＢ補正信号生成手段６２Ｄと変換手段６３Ｄと補正手段７０ＤのＢ補正手段７２Ｄとに入力される。
【００６７】
検出手段５０Ｄの比較手段５６は、Ｂ基準電圧生成手段５３Ｄからの基準電圧（４０％）と入力されたＢ（青）信号とを比較し、Ｂ（青）信号が基準電圧である４０％より小さい場合には、”Ｈ”の信号を出力し、大きい場合は”Ｌ”の信号を出力する。
従って比較手段５６は、入力されているＢ（青）信号が基準電圧である４０％より小さいことを検出し”Ｈ”の信号を出力する。
【００６８】
補正信号生成手段６０Ｄの変換手段６３Ｄは、入力端子２０、３０、４０からのＲ（赤）信号、Ｇ（緑）信号、Ｂ（青）信号をＹ（輝度）信号に変換し、Ｂ補正信号生成手段６２Ｄに出力する。
尚、８bit量子化にて表したＲＧＢ信号を、ＹＣｂＣｒ信号に変換する変換式の一例としてＩＴＵ−Ｒ  ＢＴ．６０１に規定されている、色変換式のＹ信号に関する式を例として次に示す。
入力されるＲ（赤）信号をＲ、ただしＲは０〜１００％、
入力されるＧ（緑）信号をＧ、ただしＧは０〜１００％、
入力されるＢ（青）信号をＢ、ただしＢは０〜１００とするとき、
Ｙ＝（７７×Ｒ／２５６）＋（１５０×Ｇ／２５６）＋（２９×Ｂ／２５６）
従って、Ｒ（赤）信号＝５０％、Ｇ（緑）信号＝４０％、Ｂ（青）信号＝３０％が入力された際のＹ信号の値は、約４２％である。
【００６９】
補正信号生成手段６０ＤのＢ補正信号生成手段６２Ｄは、前記検出手段５０Ｄの比較手段５６からの信号（”Ｈ”）に基づき、変換手段６３ＤからのＹ（輝度）信号と入力端子４０からのＢ（青）信号との値に応じて一意に値が決定される補正信号を生成し補正手段７２Ｄへ出力する。
尚、Ｂ補正信号生成手段６２Ｄが生成する補正信号の一例として、
ＢＫ１は所望する係数であり一例として２．５、
ＢＫ２は所望する係数であり一例として５、
入力端子２０、３０、４０からのＲ（赤）信号、Ｇ（緑）信号、Ｂ（青）信号をＹ（輝度）信号に変換したＹ（輝度）信号をＹ、ただしＹは０〜１００％、
入力されるＢ（青）信号をＢとするとき、
（Ｙ―（Ｂ×ＢＫ１））が負の値の場合では、生成される補正信号Ｂは０％、
（Ｙ―（Ｂ×ＢＫ１））が正の値の場合では、生成される補正信号Ｂは、
補正信号Ｂ＝（Ｙ―（Ｂ×ＢＫ１））÷ＢＫ２％、
である補正信号を生成する。
【００７０】
補正手段７０Ｄの補正手段７２Ｄは、入力端子４０からのＢ（青）信号に、Ｂ補正信号生成手段６２Ｄから入力した補正信号に基づき補正を行い出力端子１００へ出力する。
【００７１】
その結果、Ｒ（赤）信号、Ｇ（緑）信号、Ｂ（青）信号を変換したＹ（輝度）信号の値とＢ（青）信号との値とに応じた補正信号で、Ｂ（青）信号が４０％以上の場合には補正を行わず、Ｂ（青）信号が４０％未満の低い場合には補正してＢ（青）信号を補正することができる。
【００７２】
尚、入力３原色信号を表す量子化ｂｉｔ数は、８ｂｉｔ以外の所望のｂｉｔ数であること、若しくは８ｂｉｔ以外の所望のｂｉｔ数であり、且つ負を表すことが可能なサインビットを備える量子化方法であっても同様な効果が得られる。
【００７３】
さらに、実施例で説明に使用したＢＫ１とＢＫ２とＧＫ１とＧＫ２等の係数は、他の所望する値であっても同様な効果が得られる。
【００７４】
補正信号生成手段は、ルックアップテーブル方式であるデジタル化された階調のデータを任意の階調に補正するために入力と出力の対照表を利用することによる所望の補正値により、入力に対する所望の直線的な出力特性とする補正値、さらに入力に対する所望の曲線的な出力特性とする補正値の生成が可能であることであっても一意に値が決定される補正信号を生成でき同様な効果が得られる。
【００７５】
又、画像信号で表わされる色空間がｓＲＧＢ表色系と、一意に変換が可能な表色系、例えばＲＧＢＡ表色系、若しくはＹＩＱ表色系、若しくはＹＣｂＣｒ表色系、若しくはＹＰｂＰｒ表色系、若しくはＸＹＺ表色系、若しくはｘｙＹ表色系、若しくはｘｖＹＣＣ表色系、で補正を行うことであっても同様な効果が得られる。
【産業上の利用可能性】
【００７６】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
「濃い赤」であるＲ（赤）信号＝１００％、Ｇ（緑）信号＝０％、Ｂ（青）信号＝０％  を検出して、少しだけ白を混ぜた「明るい赤」例えば、Ｒ（赤）信号＝１００％、Ｇ（緑）信号＝２０％、Ｂ信号（青）＝２０％  や、短波長（オレンジ）寄りの「朱色」（Ｒ（赤）信号＝１００％、Ｇ（緑）信号＝２０％、Ｂ（青）信号＝０％）に補正することができる。
さらにＢ（青）信号＝４０％以下を検出したときの、Ｒ（赤）信号の値に応じたＢ（青）信号の補正を行う事や、Ｇ（緑）信号＝４０％以下を検出したときの、Ｒ（赤）信号の値に応じたＧ（緑）信号の補正を行う事もできる。
さらに「濃い緑」であるＲ（赤）信号＝０％、Ｇ（緑）信号＝１００％、Ｂ（青）信号＝０％を検出して、少しだけ青を混ぜた色Ｒ（赤）信号＝０％、Ｇ（緑）信号＝１００％、Ｂ（青）信号＝２０％に補正する事もできる。
さらにＢ（青）信号＝４０％以下を検出したときの、Ｒ（赤）信号、Ｇ（緑）信号、Ｂ（青）信号から変換したＹ（輝度）信号の値に応じたＢ（青）信号の補正を行う事もできる。
従って、第１色盲を患う者でも上記の条件では判別が困難であったが、補正を行う事により判別が可能な表示とすることができ、健常者にも上記の条件以外では補正を行わないため違和感のない表示を可能とすることを特徴とする表示装置を提供できる。
又、加齢ととも低下した青色系統の感度を補うため、輝度の低い場合にはＢ（青）信号を補正し、輝度の高い場合にはＢ（青）信号を補正しないことにより、高齢者には低い輝度の場合ではＢ（青）信号を補正しているため見やすくなり、輝度の高い場合にはＢ（青）信号補正しないため高齢者以外の者にも違和感の少ない画像を表示することができることを特徴とする表示装置を提供できる。
【図面の簡単な説明】
【００７７】
【図１】本発明に係る実施の形態例の画像信号補正手段１０の構成を説明するブロック図である。（実施例１）
【図２】本発明に係る実施の形態例の画像信号補正手段１０Ａの構成を説明するブロック図である。（実施例２）
【図３】本発明に係る実施の形態例の画像信号補正手段１０Ｂの構成を説明するブロック図である。（実施例３）
【図４】本発明に係る実施の形態例の画像信号補正手段１０Ｃの構成を説明するブロック図である。（実施例４）
【図５】本発明に係る実施の形態例の画像信号補正手段１０Ｄの構成を説明するブロック図である。（実施例５）
【図６】本発明に係る実施例１と実施例２との補正前の入力信号に対する補正後の出力信号の関係を表す図である。
【図７】本発明に係る実施例３の補正前の入力信号に対する補正後の出力信号の関係を表す一例の図である。
【図８】本発明に係る実施例３の補正前の入力信号に対する補正後の出力信号の関係を表す図７以外の一例の図である。
【図９】図８の例の際の補正信号値の代表値の表である。
【符号の説明】
【００７８】
１０    画像信号補正手段
１０Ａ  画像信号補正手段
１０Ｂ  画像信号補正手段
１０Ｃ  画像信号補正手段
１０Ｄ  画像信号補正手段
２０    入力信号Ｒ用入力端子
３０    入力信号Ｇ用入力端子
４０    入力信号Ｂ用入力端子
５０    検出手段
５０Ａ  検出手段
５０Ｂ  検出手段
５０Ｃ  検出手段
５０Ｄ  検出手段
５１    Ｒ基準電圧生成手段
５１Ａ  Ｒ基準電圧生成手段
５１Ｃ  Ｒ基準電圧生成手段
５２    Ｇ基準電圧生成手段
５２Ａ  Ｇ基準電圧生成手段
５２Ｂ  Ｇ基準電圧生成手段
５２Ｃ  Ｇ基準電圧生成手段
５３    Ｂ基準電圧生成手段
５３Ａ  Ｂ基準電圧生成手段
５３Ｂ  Ｂ基準電圧生成手段
５３Ｃ  Ｂ基準電圧生成手段
５３Ｄ  Ｂ基準電圧生成手段
５４    比較手段
５５    比較手段
５６    比較手段
５７    論理積手段
５７Ａ  論理積手段
５７Ｃ  論理積手段
６０    補正信号生成手段
６０Ａ  補正信号生成手段
６０Ｂ  補正信号生成手段
６０Ｃ  補正信号生成手段
６０Ｄ  補正信号生成手段
６１    Ｇ補正信号生成手段
６１Ｂ  Ｇ補正信号生成手段
６２    Ｂ補正信号生成手段
６２Ａ  Ｂ補正信号生成手段
６２Ｂ  Ｂ補正信号生成手段
６２Ｃ  Ｂ補正信号生成手段
６２Ｄ  Ｂ補正信号生成手段
６３Ｄ  変換手段
７０    補正手段
７０Ａ  補正手段
７０Ｂ  補正手段
７０Ｃ  補正手段
７０Ｄ  補正手段
７１    Ｇ補正手段
７１Ｂ  Ｇ補正手段
７２    Ｂ補正手段
７２Ａ  Ｂ補正手段
７２Ｂ  Ｂ補正手段
７２Ｃ  Ｂ補正手段
７２Ｄ  Ｂ補正手段
８０    出力信号Ｒ用出力端子
９０    出力信号Ｇ用出力端子
１００  出力信号Ｂ用出力端子
【図１】
2008286891.tif 000002
【図２】
2008286891.tif 000003
【図３】
2008286891.tif 000004
【図４】
2008286891.tif 000005
【図５】
2008286891.tif 000006
【図６】
2008286891.tif 000007
【図７】
2008286891.tif 000008
【図８】
2008286891.tif 000009
【図９】
2008286891.tif 000010
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段とを備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記検出手段に接続され、検出結果に基づき補正をかけるための、Ｇ（緑）信号用の補正信号を生成するＧ補正信号生成手段と、Ｂ（青）信号用の補正信号を生成するＢ補正信号生成手段と、を備える補正信号生成手段と、
前記Ｇ入力端子と検出手段とＧ補正信号生成手段とに接続され、検出結果と補正信号とに基づきＧ入力端子から入力されるＧ（緑）信号の補正を行うＧ補正手段と、
前記Ｂ入力端子と検出手段とＢ補正信号生成手段とに接続され、検出結果と補正信号とに基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である
入力されるＲ（赤）信号がＲ基準信号生成手段で生成される基準信号の値より大きく、且つ、
入力されるＧ（緑）信号がＧ基準信号生成手段で生成される基準信号の値より小さく、且つ、
入力されるＢ（青）信号がＢ基準信号生成手段で生成される基準信号の値より小さいことを検出し、その検出結果を補正信号生成手段に出力するステップと、
当該補正信号生成手段のＧ補正信号生成手段とＢ補正信号生成手段とが、前記検出手段の所望する条件が満たされた情報である検出結果に基づき、それぞれ補正信号を生成するステップと、
当該補正手段のＧ補正手段が、前記検出手段の所望する条件が満たされた情報である検出結果とＧ補正信号生成手段にて生成された補正信号に基づき、入力信号のＧ（緑）信号を前記Ｇ補正信号生成手段で生成した補正信号にて補正して、補正後のＧ（緑）信号を出力するステップ、
当該補正手段のＢ補正手段が、前記検出手段の所望する条件が満たされた情報である検出結果とＢ補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法。
【請求項２】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記検出手段に接続され、検出結果に基づき補正をかけるための、Ｂ（青）信号用の補正信号を生成するＢ補正信号生成手段を備える補正信号生成手段と、
前記Ｂ入力端子と検出手段とＢ補正信号生成手段とに接続され、検出結果と補正信号とに基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である、
入力されるＲ（赤）信号がＲ基準信号生成手段で生成される基準信号の値より小さく、且つ、
入力されるＧ（緑）信号がＧ基準信号生成手段で生成される基準信号の値より大きく、且つ、
入力されるＢ（青）信号がＢ基準信号生成手段で生成される基準信号の値より小さいことを検出し、その検出結果を補正信号生成手段に出力するステップと、
当該補正信号生成手段のＢ補正信号生成手段が、検出結果に基づき、補正信号を生成するステップと、
当該補正手段のＢ補正手段が、前記検出手段の所望する条件が満たされた情報である検出結果と補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法。
【請求項３】
３原色信号であるＲ（赤）信号、Ｇ（緑）信号、Ｂ（青）信号からなる画像信号を入力するＲ入力端子、Ｇ入力端子、Ｂ入力端子と、
Ｇ（緑）信号用の所望する基準信号を生成するＧ基準信号生成手段と
Ｂ（青）信号用の所望する基準信号を生成するＢ基準信号生成手段と
前記Ｇ入力端子とＧ基準信号生成手段とに接続されたＧ比較手段と
前記Ｂ入力端子とＢ基準信号生成手段とに接続されたＢ比較手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｒ入力端子とＧ入力端子と検出手段のＧ比較手段とに接続され、その入力端子から入力されるＲ（赤）信号とＧ（緑）信号と検出結果とにより補正をかけるための、Ｇ（緑）信号用の補正信号を生成するＧ補正信号生成手段と、
前記Ｒ入力端子とＢ入力端子と検出手段のＢ比較手段とに接続され、その入力端子から入力されるＲ（赤）信号とＢ（青）信号と検出結果とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段のＧ比較手段が、所望する条件である入力されるＧ（緑）信号がＧ基準信号生成手段で生成される基準信号の値より小さいことを検出し、その検出結果をＧ補正信号生成手段に出力するステップと、
当該検出手段のＢ比較手段が、所望する条件である入力されるＢ（青）信号がＢ基準信号生成手段で生成される基準信号の値より小さいことを検出し、その検出結果をＢ補正信号生成手段に出力するステップと、
当該補正信号生成手段のＧ補正信号生成手段が、前記検出手段のＧ比較手段からの所望する条件が満たされた情報である検出結果に基づき、入力されるＧ（緑）信号がＧ（緑）信号用の基準信号より大きい場合には補正信号は生成せず、入力されるＧ（緑）信号がＧ（緑）信号用の基準信号より小さい場合には補正信号を生成し、且つ、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、前記検出手段のＢ比較手段からの所望する条件が満たされた情報である検出結果に基づき、入力されるＢ（青）信号がＢ（青）信号用の基準信号より大きい場合には補正信号は生成せず、入力されるＢ（青）信号がＢ（青）信号用の基準信号より小さい場合には補正信号を生成し、且つ、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップ、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップ、
を実行することを特徴とする画像信号補正手段の動作方法。
【請求項４】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｇ入力端子とＢ入力端子と検出手段とに接続され、入力端子から入力されるＧ（緑）信号とＢ（青）信号と検出結果とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該検出手段が、所望する条件である、
入力されるＲ（赤）信号がＲ基準信号生成手段で生成される基準信号の値より小さく、且つ、
入力されるＧ（緑）信号がＧ基準信号生成手段で生成される基準信号の値より大きく、且つ、
入力されるＢ（青）信号がＢ基準信号生成手段で生成される基準信号の値より小さいことを検出し、その検出結果を補正信号生成手段に出力するステップと、
当該補正信号生成手段のＢ補正信号生成手段が、前記入力端子から入力されたＧ（緑）信号とＢ（青）信号と検出手段からの所望する条件が満たされた情報である検出結果に基づき、検出手段からの所望する条件が満たされており、且つ、入力されるＧ（緑）信号の値とＢ（青）信号の値とに応じて一意に値が決定される、つまりＧ（緑）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップ、
を実行することを特徴とする画像信号補正手段の動作方法。
【請求項５】
３原色信号であるＲ（赤）信号、Ｇ（緑）信号、Ｂ（青）信号からなる画像信号を入力するＲ入力端子、Ｇ入力端子、Ｂ入力端子と、
Ｂ（青）信号用の所望する基準信号を生成するＢ基準信号生成手段と、
前記Ｂ入力端子とＢ基準信号生成手段とに接続された比較手段と、を備え、
Ｂ入力端子から入力されたＢ（青）信号と、Ｂ基準信号生成手段にて生成された基準信号とを比較し、入力されたＢ（青）信号が所望する条件を満たすかを検出する検出手段と、
前記Ｒ入力端子とＧ入力端子とＢ入力端子と検出手段とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号と前記検出手段の検出結果とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該検出手段が、所望する条件である入力されるＢ（青）信号がＢ基準信号生成手段で生成される基準信号の値より小さいことを検出し、その検出結果を補正信号生成手段のＢ補正信号生成手段に出力するステップと、
当該補正信号生成手段の変換手段が、入力端子から入力されるＲ（赤）信号、Ｇ（緑）信号、Ｂ（青）信号をＹ（輝度）信号に変換し、その変換したＹ（輝度）信号を出力するステップと、
当該補正信号生成手段のＢ補正信号生成手段が、前記検出手段のＢ比較手段からの所望する条件が満たされた情報である検出結果に基づき、入力される画像信号のＢ（青）信号がＢ（青）信号用の基準信号より大きい場合には補正信号は生成せず、入力される画像信号のＢ（青）信号がＢ（青）信号用の基準信号より小さい場合に補正信号を生成し、且つ、入力される画像信号のＲ（赤）信号、Ｇ（緑）信号、Ｂ（青）信号から変換して得られたＹ（輝度）信号の値とＢ（青）信号の値とに応じて一意に値が決定される、つまりＹ（輝度）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップ、
を実行することを特徴とする画像信号補正手段の動作方法。
【請求項６】
入力される画像信号を表す量子化ｂｉｔ数は、８ｂｉｔ以外の所望するｂｉｔ数であること、若しくは８ｂｉｔ以外の所望するｂｉｔ数であり、且つ負を表すことが可能なサインビットを備えること、を特徴とする特許請求の範囲第１項から第５項の画像信号補正手段の動作方法。
【請求項７】
補正信号生成手段は、ルックアップテーブル方式であるデジタル化された階調のデータを任意の階調に補正するための入力と出力の対照表、つまり補正信号生成手段に入力されるＲ（赤）信号若しくはＧ（緑）信号若しくはＢ（青）信号若しくはＹ（輝度）信号若しくは検出手段からの検出結果の情報である入力値に対して一意に出力値を定める対応表、を利用することによる所望の補正値により、入力に対する所望の出力特性とする補正信号値の生成が可能であることを特徴とする特許請求の範囲第１項から第５項の補正信号生成手段。
【手続補正２】
【補正対象書類名】明細書
【補正対象項目名】全文
【補正方法】変更
【補正の内容】
【発明の詳細な説明】
【技術分野】
【０００１】
本発明は、表示装置等に利用されている画像信号の信号補正方法に関する。
【背景技術】
【０００２】
従来の表示装置は、３原色信号であるＲ（赤）信号、Ｇ（緑）信号、Ｂ（青）信号にて、被写体の色を忠実に再現する処理が行われていた。
又、画質調整処理として所望の色を調整することが可能であったが、一定の割合で補正を行うことや、特定の色を特定の色に変換すること等が行われている。
尚、表示装置にて一般的に採用されている画像信号としてＲ（赤）信号、Ｇ（緑）信号、Ｂ（青）信号や、Ｙ（輝度信号）、ＣｂＣｒ（色）信号等がある。これらのＲ（赤）信号、Ｇ（緑）信号、Ｂ（青）信号等の表し方としては、デジタルで表した一例として８ｂｉｔで表すと０から２５５、アナログで表すと０から１の実数、さらに０％から１００％等の表し方がある。さらには、ｘｖＹＣＣ規格の様な、さらに広い色域を表すことも規格化されている。つまりアナログで表すと０以下の負の実数、若しくは１以上の実数で表わされる色域も利用されている。
以後表記は、特にことわり無き場合は、デジタル８ｂｉｔで量子化した０〜２５５で表記する。小数点以下は四捨五入して整数で表すものとする。
【０００３】
この３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。例えば第１色盲を患う者は「濃い赤」（Ｒ＝２５５、Ｇ＝０、Ｂ＝０）は、ほとんど「黒」に見える。さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。
さらに、視覚の基本特性である分光視感度特性は加齢とともに短波長側、すなわち青色系統の感度が低下する。このため高齢者は青色系統の色画像が見づらいものである。
又、あらかじめ登録された色盲 および色弱者にとって誤認傾向のある色に関する情報を参照して、入力された画像データに誤認要因となる色が含まれているか判断し画像データの色を所定の色に変換する考案がされている。
【特許文献１】特開２００４−２６６８２１
【特許文献２】特開２００６−２４６０７２
【発明の開示】
【発明が解決しようとする課題】
【０００４】
３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。
例えば第１色盲を患う者は「濃い赤」（Ｒ＝２５５、Ｇ＝０、Ｂ＝０）は、ほとんど「黒」に見える。この「濃い赤」は使わずに、少しだけ白を混ぜた「明るい赤」（Ｒ＝２５５、Ｇ＝５１、Ｂ＝５１）や短波長（オレンジ）寄りの「朱色」（Ｒ＝２５５、Ｇ＝５１、Ｂ＝０）を使うと，同じ赤でも緑視物質や青視物質を刺激することが可能となり、黒と分別が可能になる。例えば黒い文字列の中でも「明るい赤」の文字であれば強調され、暗い背景の中でも文字が読めるようになる。
さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。一方道路標識の緑のように青みが強い緑は、茶色と間違えにくい。また明るい緑は，暖色系だと黄色や赤と間違えることがあるが、青みが強ければ間違えにくい。
道路標識や交通信号は、同じ緑でも青みの強い色に限ることが定められている。
又、視覚の基本特性である分光視感度特性は加齢とともに短波長側、すなわち青色系統の感度が低下する。このため高齢者は青色系統の色画像が見づらいものである。
この発明は、上記の事情に鑑みてなされたものであり、視覚に病を患う者に見やすい画像に補正して表示することや、高齢者の青色系統の色画像が見づらいものを補正して表示し、且つ健常者にとっても違和感の少ない表示を可能とすること、が可能な表示装置のための信号補正方法の提供を目的とする。
つまり、画像信号の３原色信号であるＲ（赤）信号、Ｇ（緑）信号、Ｂ（青）信号のそれぞれの値が、所望の条件つまり上記の不具合の条件に合致するとき、それぞれの信号の値に応じて補正量を変えて補正することができる信号補正方法である。
【課題を解決するための手段】
【０００５】
本発明は、入力される画像信号の３原色信号であるＲ（赤）信号、Ｇ（緑）信号、Ｂ（青）信号のそれぞれの値が、視覚に病を患う者が認識し難い色の条件に合致するかを検出し、その条件に合致することが検出された際は、入力される画像信号の値に応じて補正をかけるための補正信号を生成し、入力の画像信号に補正を行い出力することを最も主要な特徴とする。その詳細は以下に示す。
【０００６】
請求項１に記載の発明は、
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段とを備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記検出手段に接続され、検出結果に基づき補正をかけるための、Ｇ（緑）信号用の補正信号を生成するＧ補正信号生成手段と、Ｂ（青）信号用の補正信号を生成するＢ補正信号生成手段と、を備える補正信号生成手段と、
前記Ｇ入力端子と検出手段とＧ補正信号生成手段とに接続され、検出結果と補正信号とに基づきＧ入力端子から入力されるＧ（緑）信号の補正を行うＧ補正手段と、
前記Ｂ入力端子と検出手段とＢ補正信号生成手段とに接続され、検出結果と補正信号とに基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である
入力されるＲ（赤）信号がＲ基準信号生成手段で生成される基準信号の値より大きく、且つ、
入力されるＧ（緑）信号がＧ基準信号生成手段で生成される基準信号の値より小さく、且つ、
入力されるＢ（青）信号がＢ基準信号生成手段で生成される基準信号の値より小さいことを検出し、その検出結果を補正信号生成手段に出力するステップと、
当該補正信号生成手段のＧ補正信号生成手段とＢ補正信号生成手段とが、前記検出手段の所望する条件が満たされた情報である検出結果に基づき、それぞれ補正信号を生成するステップと、
当該補正手段のＧ補正手段が、前記検出手段の所望する条件が満たされた情報である検出結果とＧ補正信号生成手段にて生成された補正信号に基づき、入力信号のＧ（緑）信号を前記Ｇ補正信号生成手段で生成した補正信号にて補正して、補正後のＧ（緑）信号を出力するステップ、
当該補正手段のＢ補正手段が、前記検出手段の所望する条件が満たされた情報である検出結果とＢ補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、補正を加えることができる。
従って、「濃い赤」であるＲ（赤）信号＝２５５、Ｇ（緑）信号＝０、Ｂ（青）信号＝０を検出して、少しだけ白を混ぜた「明るい赤」例えば、Ｒ（赤）信号＝２５５、Ｇ（緑）信号＝５１、Ｂ信号（青）＝５１や、短波長（オレンジ）寄りの「朱色」（Ｒ（赤）信号＝２５５、Ｇ（緑）信号＝５１、Ｂ（青）信号＝０）に補正することができる。
【０００７】
請求項２に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記検出手段に接続され、検出結果に基づき補正をかけるための、Ｂ（青）信号用の補正信号を生成するＢ補正信号生成手段を備える補正信号生成手段と、
前記Ｂ入力端子と検出手段とＢ補正信号生成手段とに接続され、検出結果と補正信号とに基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である、
入力されるＲ（赤）信号がＲ基準信号生成手段で生成される基準信号の値より小さく、且つ、
入力されるＧ（緑）信号がＧ基準信号生成手段で生成される基準信号の値より大きく、且つ、
入力されるＢ（青）信号がＢ基準信号生成手段で生成される基準信号の値より小さいことを検出し、その検出結果を補正信号生成手段に出力するステップと、
当該補正信号生成手段のＢ補正信号生成手段が、前記検出手段の所望する条件が満たされた情報である検出結果に基づき、補正信号を生成するステップと、
当該補正手段のＢ補正手段が、前記検出手段の所望する条件が満たされた情報である検出結果と補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、補正を加えることができる。
従って、「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正することができる。
【０００８】
請求項３に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｇ（緑）信号用の所望する基準信号を生成するＧ基準信号生成手段と
Ｂ（青）信号用の所望する基準信号を生成するＢ基準信号生成手段と
前記Ｇ入力端子とＧ基準信号生成手段とに接続されたＧ比較手段と
前記Ｂ入力端子とＢ基準信号生成手段とに接続されたＢ比較手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｒ入力端子とＧ入力端子と検出手段のＧ比較手段とに接続され、その入力端子から入力されるＲ（赤）信号とＧ（緑）信号と検出結果とにより補正をかけるための、Ｇ（緑）信号用の補正信号を生成するＧ補正信号生成手段と、
前記Ｒ入力端子とＢ入力端子と検出手段のＢ比較手段とに接続され、その入力端子から入力されるＲ（赤）信号とＢ（青）信号と検出結果とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段のＧ比較手段が、所望する条件である入力されるＧ（緑）信号がＧ基準信号生成手段で生成される基準信号の値より小さいことを検出し、その検出結果をＧ補正信号生成手段に出力するステップと、
当該検出手段のＢ比較手段が、所望する条件である入力されるＢ（青）信号がＢ基準信号生成手段で生成される基準信号の値より小さいことを検出し、その検出結果をＢ補正信号生成手段に出力するステップと、
当該補正信号生成手段のＧ補正信号生成手段が、前記検出手段のＧ比較手段からの所望する条件が満たされた情報である検出結果に基づき、入力されるＧ（緑）信号がＧ（緑）信号用の基準信号より大きい場合には補正信号は生成せず、入力されるＧ（緑）信号がＧ（緑）信号用の基準信号より小さい場合には補正信号を生成し、且つ、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、前記検出手段のＢ比較手段からの所望する条件が満たされた情報である検出結果に基づき、入力されるＢ（青）信号がＢ（青）信号用の基準信号より大きい場合には補正信号は生成せず、入力されるＢ（青）信号がＢ（青）信号用の基準信号より小さい場合には補正信号を生成し、且つ、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップ、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）、Ｇ（緑）信号、Ｂ（青）信号のそれぞれの値が、所望する条件であるとき、それぞれの信号の値に応じて補正量を変えて補正することができる。
つまりＢ（青）信号が所望する基準信号値以下を検出したときには、Ｒ（赤）信号の値とＢ（青）信号の値とに応じた値の補正を行う事ができる。
さらにＧ（緑）信号が所望する基準信号値以下を検出したときには、Ｒ（赤）信号の値とＧ（緑）信号の値とに応じた値の補正を行う事ができる。
【０００９】
請求項４に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｇ入力端子とＢ入力端子と検出手段とに接続され、入力端子から入力されるＧ（緑）信号とＢ（青）信号と検出結果とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該検出手段が、所望する条件である、
入力されるＲ（赤）信号がＲ基準信号生成手段で生成される基準信号の値より小さく、且つ、
入力されるＧ（緑）信号がＧ基準信号生成手段で生成される基準信号の値より大きく、且つ、
入力されるＢ（青）信号がＢ基準信号生成手段で生成される基準信号の値より小さいことを検出し、その検出結果を補正信号生成手段に出力するステップと、
当該補正信号生成手段のＢ補正信号生成手段が、前記入力端子から入力されたＧ（緑）信号とＢ（青）信号と検出手段からの所望する条件が満たされた情報である検出結果に基づき、検出手段からの所望する条件が満たされており、且つ、入力されるＧ（緑）信号の値とＢ（青）信号の値とに応じて一意に値が決定される、つまりＧ（緑）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、それぞれの信号の値に応じて補正量を変えて補正することができる。
つまりＢ（青）信号が所望する基準信号値以下を検出したときには、Ｇ（緑）信号の値とＢ（青）信号の値とに応じた値の補正を行う事ができる。
【００１０】
請求項５に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｂ（青）信号用の所望する基準信号を生成するＢ基準信号生成手段と、
前記Ｂ入力端子とＢ基準信号生成手段とに接続された比較手段と、を備え、
Ｂ入力端子から入力されたＢ（青）信号と、Ｂ基準信号生成手段にて生成された基準信号とを比較し、入力されたＢ（青）信号が所望する条件を満たすかを検出する検出手段と、
前記Ｒ入力端子とＧ入力端子とＢ入力端子と検出手段とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号と前記検出手段の検出結果とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該検出手段が、所望する条件である入力されるＢ（青）信号がＢ基準信号生成手段で生成される基準信号の値より小さいことを検出し、その検出結果を補正信号生成手段のＢ補正信号生成手段に出力するステップと、
当該補正信号生成手段の変換手段が、入力端子から入力されるＲ（赤）信号、Ｇ（緑）信号、Ｂ（青）信号をＹ（輝度）信号に変換し、その変換したＹ（輝度）信号を出力するステップと、
当該補正信号生成手段のＢ補正信号生成手段が、前記検出手段のＢ比較手段からの所望する条件が満たされた情報である検出結果に基づき、入力される画像信号のＢ（青）信号がＢ（青）信号用の基準信号より大きい場合には補正信号は生成せず、入力される画像信号のＢ（青）信号がＢ（青）信号用の基準信号より小さい場合に補正信号を生成し、且つ、入力される画像信号のＲ（赤）信号、Ｇ（緑）信号、Ｂ（青）信号から変換して得られたＹ（輝度）信号の値とＢ（青）信号の値とに応じて一意に値が決定される、つまりＹ（輝度）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップ、
を実行することを特徴とする画像信号補正手段の動作方法である。
この発明により、Ｂ（青）信号が所望する基準信号値以下を検出したとき、Ｒ（赤）信号、Ｇ（緑）信号、Ｂ（青）信号から変換したＹ（輝度）信号の値とＢ（青）信号の値とに応じた値の補正を行う事ができる。
【００１１】
請求項６に記載の発明は、入力される画像信号を表す量子化ｂｉｔ数は、８ｂｉｔ以外の所望するｂｉｔ数であること、若しくは８ｂｉｔ以外の所望するｂｉｔ数であり、且つ負を表すことが可能なサインビットを備えること、を特徴とする特許請求の範囲第１項から第５項の画像信号補正手段の動作方法である。
つまり、デジタルで８ｂｉｔで量子化して表される０から２５５の範囲以外のより広い色域を表現する場合にも、特許請求の範囲第１項から第５項の画像信号補正手段の動作方法が可能である。
【００１２】
請求項７に記載の発明は、補正信号生成手段は、ルックアップテーブル方式であるデジタル化された階調のデータを任意の階調に補正するための入力と出力の対照表、つまり補正信号生成手段に入力されるＲ（赤）信号若しくはＧ（緑）信号若しくはＢ（青）信号若しくはＹ（輝度）信号若しくは検出手段からの検出結果の情報である入力値に対して一意に出力値を定める対応表、を利用することによる所望の補正値により、入力に対する所望の出力特性とする補正信号値の生成が可能であることを特徴とする特許請求の範囲第１項から第５項の補正信号生成手段である。
つまり前記特許請求の範囲第１項から第５項の補正信号生成手段で生成される補正信号は、入力信号値に対して任意の出力特性である出力信号値を得られる補正信号の生成が可能である。
【発明の効果】
【００１３】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
「濃い赤」であるＲ（赤）信号＝２５５、Ｇ（緑）信号＝０、Ｂ（青）信号＝０を検出して、少しだけ白を混ぜた「明るい赤」Ｒ（赤）信号＝２５５、Ｇ（緑）信号＝５１、Ｂ（青）信号＝５１や、短波長（オレンジ）寄りの「朱色」Ｒ（赤）信号＝２５５、Ｇ（緑）信号＝５１、Ｂ（青）信号＝０に補正することができる。
さらに「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正する事もできる。
さらにＢ（青）信号が所望する基準信号値以下を検出したときの、Ｒ（赤）信号の値に応じた補正信号を生成してＢ（青）信号の補正を行う事や、Ｇ（緑）信号が所望する基準信号値以下を検出したときの、Ｒ（赤）信号の値に応じた補正信号を生成してＧ（緑）信号の補正を行う事もできる。
さらにＲ（赤）信号、Ｇ（緑）信号、Ｂ（青）信号がそれぞれ所望する基準値との比較により、例えば「濃い緑」であるＲ（赤）信号＝０、Ｇ（緑）信号＝２５５、Ｂ（青）信号＝０を検出したとき、Ｇ（緑）信号の値に応じた補正信号を生成してＢ（青）信号の補正を行い、少しだけ青を混ぜた色Ｒ（赤）信号＝０、Ｇ（緑）信号＝２５５、Ｂ（青）信号＝５１に補正する事もできる。
さらにＢ（青）信号が所望する基準信号値以下を検出したときの、Ｒ（赤）信号、Ｇ（緑）信号、Ｂ（青）信号から変換したＹ（輝度）信号の値に応じたＢ（青）信号の補正を行う事もできる。
【発明を実施するための最良の形態】
【００１４】
３原色の入力信号であるＲ（赤）信号、Ｇ（緑）信号、Ｂ（青）信号からなる画像信号が、所望する条件に合致するかを検出し、その検出結果に基づき補正信号を生成し、その前記補正信号に基づき前記入力の画像信号に補正を加え出力することで実現した。
【実施例】
【００１５】
以下に、本発明の実施の形態例を詳細に説明する。しかし、この実施の形態例によって、この発明が限定されるものではない。先ず、最初に図面について簡単に説明を行う。
図１は、本発明に係る実施の形態例の画像信号補正手段１０の構成を説明するブロック図である。
図２は、本発明に係る実施の形態例の画像信号補正手段１０Ａの構成を説明するブロック図である。
図３は、本発明に係る実施の形態例の画像信号補正手段１０Ｂの構成を説明するブロック図である。
図４は、本発明に係る実施の形態例の画像信号補正手段１０Ｃの構成を説明するブロック図である。
図５は、本発明に係る実施の形態例の画像信号補正手段１０Ｄの構成を説明するブロック図である。
図６は、本発明に係る実施例１と実施例２との補正前の入力信号に対する補正後の出力信号の関係を表す図である。
図７は、本発明に係る実施例３の補正前の入力信号に対する補正後の出力信号の関係を表す一例の図である。
図８は、本発明に係る実施例３の補正前の入力信号に対する補正後の出力信号の関係を表す図７以外の一例の図である。
図９は、本発明に係る実施例４の補正前の入力信号に対する補正後の出力信号の関係を表す一例の図である。
【００１６】
先ず図１を参照して、画像信号補正手段１０を例に説明を行う。
画像信号補正手段１０は、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子２０、３０、４０と後段の補正信号生成手段６０と補正手段７０とに接続された検出手段５０と、
検出手段５０と後段の補正手段７０との間に介在し接続された補正信号生成手段６０と、
前記入力端子３０、４０と検出手段５０と補正信号生成手段６０と出力端子９０、１００とに接続された補正手段７０と、
前記入力端子２０に接続された出力端子８０と、前記補正手段７０に接続された出力端子９０、１００とが備えられている。
【００１７】
検出手段５０は、Ｒ基準信号生成手段５１と、Ｇ基準信号生成手段５２と、Ｂ基準信号生成手段５３と、
入力端子２０とＲ基準信号生成手段５１と後段の論理積手段５７とに接続された比較手段５４と、
入力端子３０とＧ基準信号生成手段５２と後段の論理積手段５７とに接続された比較手段５５と、
入力端子４０とＢ基準信号生成手段５３と後段の論理積手段５７とに接続された比較手段５６と、
前記それぞれの比較手段５４、５５、５６と後段の補正信号生成手段６０と補正手段７０とに接続された論理積手段５７とを、備える。
比較手段５４は、入力端子２０から入力されたＲ（赤）信号とＲ基準信号生成手段５１にて生成されたＲ用の基準信号とを比較し、その比較結果、つまり所望する条件である入力端子２０からのＲ（赤）信号がＲ用の基準信号値以上である検出結果を論理積手段５７に出力し、
比較手段５５は、入力端子３０から入力されたＧ（緑）信号とＧ基準信号生成手段５２にて生成されたＧ用の基準信号とを比較し、その比較結果、つまり所望する条件である入力端子３０からのＧ（緑）信号がＧ用の基準信号値以下である検出結果を論理積手段５７に出力し、
比較手段５６は、入力端子４０から入力されたＢ（青）信号とＢ基準信号生成手段５３にて生成されたＢ用の基準信号とを比較し、その比較結果、つまり所望する条件である入力端子４０からのＢ（青）信号がＢ用の基準信号値以下である検出結果を論理積手段５７に出力し、
論理積手段５７は、前記それぞれの比較手段５４、５５、５６からの結果を論理積（ＡＮＤ）の演算を行い、その演算結果を補正信号生成手段６０と補正手段７０とに出力する。
【００１８】
補正信号生成手段６０は、
前記検出手段５０の論理積手段５７と後段の補正手段７０のＧ補正手段７１とに接続されたＧ補正信号生成手段６１と、
前記検出手段５０の論理積手段５７と後段の補正手段７０のＢ補正手段７２とに接続されたＢ補正信号生成手段６２とを備え、
論理積手段５７からの検出結果に基づき、Ｇ補正信号生成手段６１が補正信号を生成してＧ補正手段７１に出力し、Ｂ補正信号生成手段６２が補正信号を生成してＢ補正手段７２に出力する。
【００１９】
補正手段７０は、
入力端子３０と検出手段５０の論理積手段５７と補正信号生成手段６０のＧ補正信号生成手段６１と出力端子９０とに接続されたＧ補正手段７１と、
入力端子４０と検出手段５０の論理積手段５７と補正信号生成手段６０のＢ補正信号生成手段６２と出力端子１００とに接続されたＢ補正手段７２とを備え、
Ｇ補正手段７１は、入力端子３０からのＧ（緑）信号に、論理積手段５７からの検出結果の信号とＧ補正信号生成手段６１からの補正信号とに基づき補正を行い補正後の信号を出力端子９０に出力し、
Ｂ補正手段７２は、入力端子４０からのＢ（青）信号に、論理積手段５７からの検出結果の信号とＢ補正信号生成手段６２からの補正信号とに基づき補正を行い補正後の信号を出力端子１００に出力する。
【００２０】
上記のように構成された画像信号補正手段１０に、「濃い赤」であるＲ（赤）信号＝２５５、Ｇ（緑）信号＝０、Ｂ（青）信号＝０が入力された際に、Ｒ（赤）信号はそのままで、Ｇ（緑）信号＝５１、Ｂ（青）信号＝５１に補正する場合を、図１を参照して説明を行う。
又、Ｒ基準信号生成手段５１は２３０の基準信号を生成し、Ｇ基準信号生成手段５２とＢ基準信号生成手段５３とは５１の基準信号を生成する例とする。
従って、
比較手段５４は、入力端子２０から入力されたＲ（赤）信号とＲ基準信号生成手段５１にて生成された基準信号とを比較し、その比較結果、つまり所望する条件である入力端子２０からのＲ（赤）信号が２３０以上の値である検出結果を論理積手段５７に出力し、
比較手段５５は、入力端子３０から入力されたＧ（緑）信号とＧ基準信号生成手段５２にて生成された基準信号とを比較し、その比較結果、つまり所望する条件である入力端子３０からのＧ（緑）信号が５１以下の値である検出結果を論理積手段５７に出力し、
比較手段５６は、入力端子４０から入力されたＢ（青）信号とＢ基準信号生成手段５３にて生成された基準信号とを比較し、その比較結果、つまり所望する条件である入力端子４０からのＢ（青）信号が５１以下の値である検出結果を論理積手段５７に出力する。
さらに、Ｇ補正信号生成手段６１は５１の値の補正信号を生成し、Ｂ補正信号生成手段６２も５１の値の補正信号を生成するものとする。
【００２１】
画像信号補正手段１０の入力端子２０、３０、４０には、それぞれＲ（赤）信号＝２５５、Ｇ（緑）信号＝０、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、
Ｒ（赤）信号は、検出手段５０の比較手段５４に入力されと共に出力端子８０にて出力され、
Ｇ（緑）信号は、検出手段５０の比較手段５５と補正手段７０のＧ補正手段７１とに入力され、
Ｂ（青）信号は、検出手段５０の比較手段５６と補正手段７０のＢ補正手段７２とに入力される。
【００２２】
検出手段５０には、前記入力端子２０、３０、４０からの画像３原色信号であるＲ（赤）信号とＧ（緑）信号とＢ（青）信号とが入力される。
比較手段５４は、Ｒ基準信号生成手段５１からの基準信号（２３０）と入力されたＲ（赤）信号とを比較し、Ｒ（赤）信号が基準信号である２３０より大きい場合には”Ｈ”の信号を出力し、小さい場合は”Ｌ”の信号を出力する。
従って比較手段５４は、入力されているＲ（赤）信号は基準信号である２３０より大きいことを検出し”Ｈ”の信号を出力する。
比較手段５５は、Ｇ基準信号生成手段５２からの基準信号（５１）と入力されたＧ（緑）信号とを比較し、Ｇ（緑）信号が基準信号である５１より小さい場合には”Ｈ”の信号を出力し、大きい場合は”Ｌ”の信号を出力する。
従って比較手段５５は、入力されているＧ（緑）信号は基準信号である５１より小さいことを検出し”Ｈ”の信号を出力する。
比較手段５６は、Ｂ基準信号生成手段５３からの基準信号（５１）と入力されたＢ（青）信号とを比較し、Ｂ（青）信号が基準信号である５１より小さい場合には”Ｈ”の信号を出力し、大きい場合は”Ｌ”の信号を出力する。
従って比較手段５６は、入力されているＢ（青）信号は基準信号である５１より小さいことを検出し”Ｈ”の信号を出力する。
論理積手段５７は、前記それぞれの比較手段５４、５５、５６の結果が全て”Ｈ”であるため、全ての条件が満たされたことを検出しその結果を補正信号生成手段６０のＧ補正信号生成手段６１とＢ補正信号生成手段６２と補正手段７０のＧ補正手段７１とＢ補正手段７２とに出力する。
【００２３】
補正信号生成手段６０のＧ補正信号生成手段６１は、前記検出手段５０の論理積手段５７からの信号が”Ｈ”である検出結果に基づき、５１の値の補正信号を生成し、補正手段７０のＧ補正手段７１に出力する。
補正信号生成手段６０のＢ補正信号生成手段６２は、前記検出手段５０の論理積手段５７からの信号が”Ｈ”である検出結果に基づき、５１の値の補正信号を生成し、補正手段７０のＢ補正手段７２に出力する。
【００２４】
補正手段７０のＧ補正手段７１は、入力端子３０からのＧ（緑）信号に、前記検出手段５０の論理積手段５７からの検出結果の情報とＧ補正信号生成手段６１からの補正信号とに基づき補正を行い、補正後の５１の値の信号を出力端子９０に出力する。
補正手段７０のＢ補正手段７２は、入力端子４０からのＢ（青）信号に、前記検出手段５０の論理積手段５７からの検出結果の情報とＢ補正信号生成手段６２からの補正信号とに基づき補正を行い、補正後の５１の値の信号を出力端子１００に出力する。
【００２５】
その結果、「濃い赤」であるＲ（赤）信号＝２５５、Ｇ（緑）信号＝０、Ｂ（青）信号＝０が入力された際に、Ｒ（赤）信号＝２５５、Ｇ（緑）信号＝５１、Ｂ（青）信号＝５１に補正することができる。
尚、画像信号補正手段１０による入力Ｇ（緑）信号と出力Ｇ（緑）信号との関係、若しくは、入力Ｂ（青）信号と出力Ｂ（青）信号との関係である、補正前の入力信号と補正後の出力信号との関係を図６に示す。
【００２６】
次に図２を参照して、画像信号補正手段１０Ａを例に説明を行う。
画像信号補正手段１０Ａは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子２０、３０、４０と後段の補正信号生成手段６０Ａと補正手段７０Ａとに接続された検出手段５０Ａと、
前記検出手段５０Ａと後段の補正手段７０Ａとの間に介在し接続された補正信号生成手段６０Ａと、
前記入力端子４０と検出手段５０Ａと補正信号生成手段６０Ａと出力端子１００とに接続された補正手段７０Ａと、
前記入力端子２０に接続された出力端子８０と、
前記入力端子３０に接続された出力端子９０と、
前記補正手段７０Ａに接続された出力端子１００とが備えられている。
【００２７】
検出手段５０Ａは、Ｒ基準信号生成手段５１Ａと、Ｇ基準信号生成手段５２Ａと、Ｂ基準信号生成手段５３Ａと、
入力端子２０とＲ基準信号生成手段５１Ａと後段の論理積手段５７Ａとに接続された比較手段５４と、
入力端子３０とＧ基準信号生成手段５２Ａと後段の論理積手段５７Ａとに接続された比較手段５５と、
入力端子４０とＢ基準信号生成手段５３Ａと後段の論理積手段５７Ａとに接続された比較手段５６と、
前記それぞれの比較手段５４、５５、５６と後段の補正信号生成手段６０Ａと補正手段７０Ａとに接続された論理積手段５７Ａとを、備える。
比較手段５４は、入力端子２０から入力されたＲ（赤）信号とＲ基準信号生成手段５１Ａにて生成されたＲ用の基準信号とを比較し、その比較結果、つまり所望する条件である入力端子２０からのＲ（赤）信号がＲ用の基準信号値以下である検出結果を論理積手段５７Ａに出力し、
比較手段５５は、入力端子３０から入力されたＧ（緑）信号とＧ基準信号生成手段５２Ａにて生成されたＧ用の基準信号とを比較し、その比較結果、つまり所望する条件である入力端子３０からのＧ（緑）信号がＧ用の基準信号値以上である検出結果を論理積手段５７Ａに出力し、
比較手段５６は、入力端子４０から入力されたＢ（青）信号とＢ基準信号生成手段５３Ａにて生成されたＢ用の基準信号とを比較し、その比較結果、つまり所望する条件である入力端子４０からのＢ（青）信号がＢ用の基準信号値以下である検出結果を論理積手段５７Ａに出力し、
論理積手段５７Ａは、前記それぞれの比較手段５４、５５、５６の結果を論理積（ＡＮＤ）の演算を行い、その演算結果を補正信号生成手段６０Ａと補正手段７０Ａとに出力する。
【００２８】
補正信号生成手段６０Ａは、
前記検出手段５０Ａの論理積手段５７Ａと後段の補正手段７０ＡのＢ補正手段７２Ａとに接続されたＢ補正信号生成手段６２Ａを備え、
検出手段５０Ａの論理積手段５７Ａからの検出結果に基づき、Ｂ補正信号生成手段６２Ａが補正信号を生成して補正手段７０ＡのＢ補正手段７２Ａに出力する。
【００２９】
補正手段７０Ａは、
入力端子４０と検出手段５０Ａの論理積手段５７Ａと補正信号生成手段６０ＡのＢ補正信号生成手段６２Ａと出力端子１００とに接続されたＢ補正手段７２Ａを備え、
Ｂ補正手段７２Ａは、入力端子４０からのＢ（青）信号に、論理積手段５７Ａからの検出結果の信号とＢ補正信号生成手段６２Ａからの補正信号とに基づき補正を行い補正後の信号を出力端子１００に出力する。
【００３０】
上記のように構成された画像信号補正手段１０Ａに、「濃い緑」であるＲ（赤）信号＝０、Ｇ（緑）信号＝２５５、Ｂ（青）信号＝０が入力された際に、少しだけ青を混ぜた色、Ｒ（赤）信号＝０、Ｇ（緑）信号＝２５５、Ｂ（青）信号＝５１に補正する場合の説明を行う。
尚、Ｒ基準信号生成手段５１Ａは５１の値の基準信号を生成し、Ｇ基準信号生成手段５２Ａは２３０の値の基準信号を生成し、Ｂ基準信号生成手段５３Ａは５１の値の基準信号を生成する例とする。
従って、比較手段５４は、入力端子２０から入力されたＲ（赤）信号とＲ基準信号生成手段５１Ａにて生成された基準信号とを比較し、その比較結果、つまり所望する条件である入力端子２０からのＲ（赤）信号が５１以下の値である検出結果を論理積手段５７Ａに出力し、
比較手段５５は、入力端子３０から入力されたＧ（緑）信号とＧ基準信号生成手段５２Ａにて生成された基準信号とを比較し、その比較結果、つまり所望する条件である入力端子３０からのＧ（緑）信号が２３０以上の値である検出結果を論理積手段５７Ａに出力し、
比較手段５６は、入力端子４０から入力されたＢ（青）信号とＢ基準信号生成手段５３Ａにて生成された基準信号とを比較し、その比較結果、つまり所望する条件である入力端子４０からのＢ（青）信号が５１以下の値である検出結果を論理積手段５７Ａに出力する。
さらに、Ｂ補正信号生成手段６２Ａは５１の値の補正信号を生成するものとする。
【００３１】
画像信号補正手段１０Ａの入力端子２０、３０、４０には、それぞれＲ（赤）信号＝０、Ｇ（緑）信号＝２５５、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、
Ｒ（赤）信号は、検出手段５０Ａの比較手段５４に入力されると共に出力端子８０にて出力され、
Ｇ（緑）信号は、検出手段５０Ａの比較手段５５に入力されると共に出力端子９０にて出力され、
Ｂ（青）信号は、検出手段５０Ａの比較手段５６と補正手段７０のＢ補正手段７２Ａとに入力される。
【００３２】
検出手段５０Ａには、前記入力端子２０、３０、４０からの画像３原色信号であるＲ（赤）信号とＧ（緑）信号とＢ（青）信号とが入力される。
比較手段５４は、Ｒ基準信号生成手段５１Ａからの基準信号（５１）と入力されたＲ（赤）信号とを比較し、Ｒ（赤）信号が基準信号である５１より小さい場合には、”Ｈ”の信号を出力し、大きい場合は”Ｌ”の信号を出力する。
従って比較手段５４は、入力されているＲ（赤）信号は基準信号である５１より小さいことを検出し”Ｈ”の信号を出力する。
比較手段５５は、Ｇ基準信号生成手段５２Ａからの基準信号（２３０）と入力されたＧ（緑）信号とを比較し、Ｇ（緑）信号が基準信号である２３０より大きい場合には、”Ｈ”の信号を出力し、小さい場合は”Ｌ”の信号を出力する。
従って比較手段５５は、入力されているＧ（緑）信号は基準信号である２３０より大きいことを検出し”Ｈ”の信号を出力する。
比較手段５６は、Ｂ基準信号生成手段５３Ａからの基準信号（５１）と入力されたＢ（青）信号とを比較し、Ｂ（青）信号が基準信号である５１より小さい場合には、”Ｈ”の信号を出力し、大きい場合は”Ｌ”の信号を出力する。
従って比較手段５６は、入力されているＢ（青）信号は基準信号である５１より小さいことを検出し”Ｈ”の信号を出力する。
論理積手段５７Ａは、前記それぞれの比較手段５４、５５、５６の結果が全て”Ｈ”であるため、全ての条件が満たされたことを検出しその結果を補正信号生成手段６０ＡのＢ補正信号生成手段６２Ａと補正手段７０ＡのＢ補正手段７２Ａとに出力する。
【００３３】
補正信号生成手段６０ＡのＢ補正信号生成手段６２Ａは、前記検出手段５０Ａの論理積手段５７Ａからの信号が”Ｈ”である検出結果に基づき、５１の値の補正信号を生成し、補正手段７０ＡのＢ補正手段７２Ａに出力する。
【００３４】
補正手段７０ＡのＢ補正手段７２Ａは、入力端子４０からのＢ（青）信号に、前記検出手段５０の論理積手段５７Ａからの検出結果の情報とＢ補正信号生成手段６２Ａからの補正信号とに基づき補正を行い出力端子１００に出力する。
【００３５】
その結果、「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正することができる。
尚、画像信号補正手段１０Ａによる入力Ｂ（青）信号と出力Ｂ（青）信号との関係である、補正前の入力信号と補正後の出力信号との関係を図６に示す。
【００３６】
次に図３を参照して、画像信号補正手段１０Ｂを例に、Ｒ（赤）信号の値に対応してＧ（緑）信号を補正する、若しくはＲ（赤）信号の値に対応してＢ（青）信号を補正する場合の説明を行う。
【００３７】
画像信号補正手段１０Ｂは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子３０、４０と後段の補正信号生成手段６０Ｂとの間に介在し接続された検出手段５０Ｂと、
前記入力端子２０、３０、４０と検出手段５０Ｂと後段の補正手段７０Ｂとに接続された補正信号生成手段６０Ｂと、
前記入力端子３０、４０と補正信号生成手段６０Ｂと出力端子９０、１００とに接続された補正手段７０Ｂと、
前記入力端子２０に接続された出力端子８０と、
前記補正手段７０Ｂに接続された出力端子９０、１００とが備えられている。
【００３８】
検出手段５０Ｂは、Ｇ基準信号生成手段５２Ｂと、Ｂ基準信号生成手段５３Ｂと、
入力端子３０とＧ基準信号生成手段５２Ｂと後段の補正信号生成手段６０ＢのＧ補正信号生成手段６１Ｂとに接続された比較手段５５と、
入力端子４０とＢ基準信号生成手段５３Ｂと後段の補正信号生成手段６０ＢのＢ補正信号生成手段６２Ｂとに接続された比較手段５６と、を備える。
比較手段５５は、入力端子３０から入力されたＧ（緑）信号とＧ基準信号生成手段５２Ｂにて生成されたＧ用の基準信号とを比較し、その比較結果、つまり所望する条件である入力端子３０からのＧ（緑）信号がＧ用の基準信号値以下の値である検出結果を補正信号生成手段６０ＢのＧ補正信号生成手段６１Ｂに出力し、
比較手段５６は、入力端子４０から入力されたＢ（青）信号とＢ基準信号生成手段５３Ｂにて生成されたＢ用の基準信号とを比較し、その比較結果、つまり所望する条件である入力端子４０からのＢ（青）信号がＢ用の基準信号値以下の値である検出結果を補正信号生成手段６０ＢのＢ補正信号生成手段６２Ｂに出力する。
【００３９】
補正信号生成手段６０Ｂは、
前記入力端子２０、３０と検出手段５０Ｂの比較手段５５と後段の補正手段７０ＢのＧ補正手段７１Ｂとに接続されたＧ補正信号生成手段６１Ｂと
前記入力端子２０、４０と検出手段５０Ｂの比較手段５６と後段の補正手段７０ＢのＢ補正手段７２Ｂとに接続されたＢ補正信号生成手段６２Ｂとを備え、
Ｇ補正信号生成手段６１Ｂは、Ｒ（赤）信号とＧ（緑）信号と検出手段５０Ｂの比較手段５５からの検出結果とに基づき補正信号を生成してＧ補正手段７１Ｂに出力し、
Ｂ補正信号生成手段６２Ｂは、Ｒ（赤）信号とＢ（青）信号と検出手段５０Ｂの比較手段５６からの検出結果とに基づき補正信号を生成してＢ補正手段７２Ｂに出力する。
【００４０】
補正手段７０Ｂは、
入力端子３０とＧ補正信号生成手段６１Ｂと出力端子９０とに接続されたＧ補正手段７１Ｂと、
入力端子４０とＢ補正信号生成手段６２Ｂと出力端子１００とに接続されたＢ補正手段７２Ｂとを備え、
Ｇ補正手段７１Ｂは、入力端子３０からのＧ（緑）信号にＧ補正信号生成手段６１Ｂからの補正信号に基づき補正を行い補正後の信号を出力端子９０に出力し、
Ｂ補正手段７２Ｂは、入力端子４０からのＢ（青）信号にＢ補正信号生成手段６２Ｂからの補正信号に基づき補正を行い補正後の信号を出力端子１００に出力する。
【００４１】
上記のように構成された画像信号補正手段１０Ｂに、それぞれＲ（赤）信号＝２５５、Ｇ（緑）信号＝０、Ｂ（青）信号＝０が入力された際に、Ｇ（緑）信号とＢ（青）信号とを補正する場合を、図３を参照して説明を行う。
又、Ｇ基準信号生成手段５２ＢとＢ基準信号生成手段５３Ｂとは１０２の値の基準信号を生成する例とする。
従って、比較手段５５は、入力端子３０から入力されたＧ（緑）信号とＧ基準信号生成手段５２Ｂにて生成された基準信号とを比較し、その比較結果、つまり所望する条件である入力端子３０からのＧ（緑）信号が１０２以下の値である検出結果をＧ補正信号生成手段６１Ｂに出力し、
比較手段５６は、入力端子４０から入力されたＢ（青）信号とＢ基準信号生成手段５３Ｂにて生成された基準信号とを比較し、その比較結果、つまり所望する条件である入力端子４０からのＢ（青）信号が１０２以下の値である検出結果をＢ補正信号生成手段６２Ｂに出力する。
さらにＧ補正信号生成手段６１Ｂは、Ｒ（赤）信号とＧ（緑）信号の値に応じた補正信号を生成し、Ｂ補正信号生成手段６２Ｂは、Ｒ（赤）信号とＢ（青）信号との値に応じた補正信号を生成する。
【００４２】
画像信号補正手段１０Ｂの入力端子２０、３０、４０には、それぞれＲ（赤）信号＝２５５、Ｇ（緑）信号＝０、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って
Ｒ（赤）信号は、補正信号生成手段６０ＢのＧ補正信号生成手段６１ＢとＢ補正信号生成手段６２Ｂとに入力され、さらに出力端子８０にて出力される。
Ｇ（緑）信号は、検出手段５０Ｂの比較手段５５と補正信号生成手段６０ＢのＧ補正信号生成手段６１Ｂと補正手段７０ＢのＧ補正手段７１Ｂとに入力される。
Ｂ（青）信号は、検出手段５０Ｂの比較手段５６と補正信号生成手段６０ＢのＢ補正信号生成手段６２Ｂと補正手段７０ＢのＢ補正手段７２Ｂとに入力される。
【００４３】
検出手段５０Ｂには、前記入力端子３０、４０からのＧ（緑）信号とＢ（青）信号が入力される。
比較手段５５は、Ｇ基準信号生成手段５２Ｂからの基準信号（１０２）と入力されたＧ（緑）信号とを比較し、Ｇ（緑）信号が基準信号である１０２より小さい場合には、”Ｈ”の信号を出力し、大きい場合は”Ｌ”の信号を出力する。
従って比較手段５５は、入力されているＧ（緑）信号が基準信号である１０２より小さいことを検出し”Ｈ”の信号を出力する。
比較手段５６は、Ｂ基準信号生成手段５３Ｂからの基準信号（１０２）と入力されたＢ（青）信号とを比較し、Ｂ（青）信号が基準信号である１０２より小さい場合には、”Ｈ”の信号を出力し、大きい場合は”Ｌ”の信号を出力する。
従って比較手段５６は、入力されているＢ（青）信号が基準信号である１０２より小さいことを検出し”Ｈ”の信号を出力する。
【００４４】
補正信号生成手段６０ＢのＧ補正信号生成手段６１Ｂは、前記検出手段５０Ｂの比較手段５５からの信号が”Ｈ”である検出結果と入力されているＲ（赤）信号とＧ（緑）信号の値に基づき、一意に値が決定される補正信号を生成し、補正手段７０ＢのＧ補正手段７１Ｂに出力する。
尚、Ｇ補正信号生成手段６１Ｂが生成する補正信号の例１Ｂとして、
ＧＫ１は所望する係数であり一例として２．５、
ＧＫ２は所望する係数であり一例として５、
入力されるＲ（赤）信号をＲ、ただしＲは０〜２５５、
入力されるＧ（緑）信号をＧ、ただしＧは０〜２５５とするとき、
（Ｒ−（Ｇ×ＧＫ１））が負の値の場合では、生成される補正信号Ｇは０、
（Ｒ−（Ｇ×ＧＫ１））が正の値の場合では、
補正信号Ｇ＝（Ｒ−（Ｇ×ＧＫ１））÷ＧＫ２、
である補正信号Ｇを生成する。
この例１Ｂの補正前の信号と補正後の信号との関係の代表値例を図７に示す。
【００４５】
補正信号生成手段６０ＢのＢ補正信号生成手段６２Ｂは、前記検出手段５０の比較手段５６からの信号が”Ｈ”である検出結果と入力されているＲ（赤）信号とＢ（青）信号の値に基づき、一意に値が決定される補正信号を生成し、補正手段７０ＢのＢ補正手段７２Ｂに出力する。
尚、Ｂ補正信号生成手段６２Ｂが生成する補正信号の例２Ｂとして、
ＢＫ１は所望する係数であり一例として２．５、
ＢＫ２は所望する係数であり一例として５、
入力されるＲ（赤）信号をＲ、ただしＲは０〜２５５、
入力されるＢ（青）信号をＢ、ただしＢは０〜２５５とするとき、
（Ｒ−（Ｂ×ＢＫ１））が負の値の場合では、生成される補正信号Ｂは０、
（Ｒ−（Ｂ×ＢＫ１））が正の値の場合では、
補正信号Ｂ＝（Ｒ−（Ｂ×ＢＫ１））÷ＢＫ２、
である補正信号Ｂを生成する。
この例２Ｂの補正前の信号と補正後の信号との関係の代表値例を図７に示す。
【００４６】
補正手段７０ＢのＧ補正手段７１Ｂは、入力端子３０からのＧ（緑）信号に、Ｇ補正信号生成手段６１Ｂからの補正信号に基づき補正を行い出力端子９０に出力する。
補正手段７０ＢのＢ補正手段７２Ｂは、入力端子４０からのＢ（青）信号に、Ｂ補正信号生成手段６２Ｂからの補正信号に基づき補正を行い出力端子１００に出力する。
【００４７】
その結果、Ｒ（赤）信号＝２５５、Ｇ（緑）信号＝０、Ｂ（青）信号＝０が入力された際に、Ｒ（赤）信号＝２５５、Ｇ（緑）信号＝５１、Ｂ（青）信号＝５１に補正することができる。
従って、図７のごとくＲ（赤）信号の値に対応したＧ（緑）信号、若しくはＢ（青）信号に補正することができる。
さらに又、補正信号の値を決める別な例３Ｂとして、
比較手段の結果とは無関係に、入力されるＲ（赤）信号と入力されるＢ（青）信号とに基づき、
logは、１０を低とする対数とし、
入力されるＲ（赤）信号をＲ、ただしＲは０〜１００、
入力されるＢ（青）信号をＢ、ただしＢは０〜１００とするとき、
（１−log（（Ｂ＋１０）÷１０））が負の値の場合では、生成される補正信号Ｂは０、
（１−log（（Ｂ＋１０）÷１０））が正の値の場合では、
補正信号Ｂ＝（２０×（Ｒ÷１００））×（１−log（（Ｂ＋１０）÷１０））、
である補正信号Ｂを生成する。
従って、入力されているＲ（赤）信号とＢ（青）信号の値に基づき、一意に値が決定される補正信号を生成できる。
【００４８】
この例３Ｂの補正前の信号と補正後の信号との関係の代表値例を図８に示し、さらに入力されているＲ（赤）信号とＢ（青）信号の値に基づき生成される補正信号の代表値例を表１に示す。
【表１】
2008286891.tif 000011
【００４９】
さらに又、補正信号の値を決める別な例４Ｂとして、
ルックアップテーブル方式、つまりデジタル化された階調のデータを任意の階調に補正するために使用される、入力されるＲ（赤）信号とＢ（青）信号と、出力である補正信号との対照表を利用することによる所望の補正値により、入力に対する所望の出力特性とする補正値の生成が可能であることであっても一意に値が決定される補正信号を生成できる。
尚、上記例はＢ補正信号生成手段６２Ｂの例であるが、Ｇ補正信号生成手段６１Ｂも同様である。
【００５０】
次に図４を参照して、画像信号補正手段１０Ｃを例に説明を行う。
画像信号補正手段１０Ｃは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子２０、３０、４０と後段の補正信号生成手段６０Ｃとに接続された検出手段５０Ｃと、
前記入力端子３０、４０と検出手段５０Ｃと後段の補正手段７０Ｃとの間に介在し接続された補正信号生成手段６０Ｃと、
前記入力端子４０と補正信号生成手段６０Ｃと出力端子１００とに接続された補正手段７０Ｃと、
前記入力端子２０に接続された出力端子８０と、
前記入力端子３０に接続された出力端子９０と、
前記補正手段７０Ｃに接続された出力端子１００とが備えられている。
【００５１】
検出手段５０Ｃは、Ｒ基準信号生成手段５１Ｃと、Ｇ基準信号生成手段５２Ｃと、Ｂ基準信号生成手段５３Ｃと、
入力端子２０とＲ基準信号生成手段５１Ｃと後段の論理積手段５７Ｃとに接続された比較手段５４と、
入力端子３０とＧ基準信号生成手段５２Ｃと後段の論理積手段５７Ｃとに接続された比較手段５５と、
入力端子４０とＢ基準信号生成手段５３Ｃと後段の論理積手段５７Ｃとに接続された比較手段５６と、
前記それぞれの比較手段５４、５５、５６と後段の補正信号生成手段６０Ｃとに接続された論理積手段５７Ｃとを、備える。
比較手段５４は、入力端子２０から入力されたＲ（赤）信号とＲ基準信号生成手段５１Ｃにて生成されたＲ用の基準信号とを比較し、その比較結果、つまり所望する条件である入力端子２０からのＲ（赤）信号がＲ用の基準信号値以下である検出結果を論理積手段５７Ｃに出力し、
比較手段５５は、入力端子３０から入力されたＧ（緑）信号とＧ基準信号生成手段５２Ｃにて生成されたＧ用の基準信号とを比較し、その比較結果、つまり所望する条件である入力端子３０からのＧ（緑）信号がＧ用の基準信号値以上である検出結果を論理積手段５７Ｃに出力し、
比較手段５６は、入力端子４０から入力されたＢ（青）信号とＢ基準信号生成手段５３Ｃにて生成されたＢ用の基準信号とを比較し、その比較結果、つまり所望する条件である入力端子４０からのＢ（青）信号がＢ用の基準信号値以下である検出結果を論理積手段５７Ｃに出力し、
論理積手段５７Ｃは、前記それぞれの比較手段５４、５５、５６の結果を論理積（ＡＮＤ）の演算を行い、その演算結果を補正信号生成手段６０Ｃに出力する。
【００５２】
補正信号生成手段６０Ｃは、
前記入力端子３０、４０と検出手段５０Ｃの論理積手段５７Ｃと後段の補正手段７０ＣのＢ補正手段７２Ｃとに接続されたＢ補正信号生成手段６２Ｃを備え、
入力されるＧ（緑）信号とＢ（青）信号と検出手段５０Ｃの論理積手段５７Ｃからの検出結果とに基づき、Ｂ補正信号生成手段６２Ｃが補正信号を生成して補正手段７０ＣのＢ補正手段７２Ｃに出力する。
【００５３】
補正手段７０Ｃは、
入力端子４０と補正信号生成手段６０ＣのＢ補正信号生成手段６２Ｃと出力端子１００とに接続されたＢ補正手段７２Ｃを備え、
Ｂ補正手段７２Ｃは、入力端子４０からのＢ（青）信号に、Ｂ補正信号生成手段６２Ｃからの補正信号に基づき補正を行い補正後の信号を出力端子１００に出力する。
【００５４】
上記のように構成された画像信号補正手段１０Ｃに、「濃い緑」であるＲ（赤）信号＝０、Ｇ（緑）信号＝２５５、Ｂ（青）信号＝０が入力された際に、少しだけ青を混ぜた色Ｒ（赤）信号＝０、Ｇ（緑）信号＝２５５、Ｂ（青）信号＝５１に補正する場合の説明を行う。
尚、Ｒ基準信号生成手段５１Ｃは５１の値の基準信号を生成し、Ｇ基準信号生成手段５２Ｃは２３０の値の基準信号を生成し、Ｂ基準信号生成手段５３Ｃは１０２の値の基準信号を生成する例とする。
従って、比較手段５４は、入力端子２０から入力されたＲ（赤）信号とＲ基準信号生成手段５１Ｃにて生成された基準信号とを比較し、その比較結果、つまり所望する条件である入力端子２０からのＲ（赤）信号が５１以下の値である検出結果を論理積手段５７Ｃに出力し、
比較手段５５は、入力端子３０から入力されたＧ（緑）信号とＧ基準信号生成手段５２Ｃにて生成された基準信号とを比較し、その比較結果、つまり所望する条件である入力端子３０からのＧ（緑）信号が２３０以上の値である検出結果を論理積手段５７Ｃに出力し、
比較手段５６は、入力端子４０から入力されたＢ（青）信号とＢ基準信号生成手段５３Ｃにて生成された基準信号とを比較し、その比較結果、つまり所望する条件である入力端子４０からのＢ（青）信号が１０２以下の値である検出結果を論理積手段５７Ｃに出力する。
さらに、Ｂ補正信号生成手段６２Ｃは入力されたＧ（緑）信号とＢ（青）信号との値に応じた補正信号を生成するものとする。
【００５５】
画像信号補正手段１０Ｃの入力端子２０、３０、４０には、それぞれＲ（赤）信号＝０、Ｇ（緑）信号＝２５５、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、
Ｒ（赤）信号は、検出手段５０Ｃの比較手段５４に入力されると共に出力端子８０にて出力され、
Ｇ（緑）信号は、検出手段５０Ｃの比較手段５５と補正信号生成手段６０ＣのＢ補正信号生成手段６２Ｃに入力されると共に出力端子９０にて出力され、
Ｂ（青）信号は、検出手段５０Ｃの比較手段５６と補正信号生成手段６０ＣのＢ補正信号生成手段６２Ｃと補正手段７０ＣのＢ補正手段７２Ｃとに入力される。
【００５６】
検出手段５０Ｃには、前記入力端子２０、３０、４０からの画像３原色信号であるＲ（赤）信号とＧ（緑）信号とＢ（青）信号とが入力される。
比較手段５４は、Ｒ基準信号生成手段５１Ｃからの基準信号（５１）と入力されたＲ（赤）信号とを比較し、Ｒ（赤）信号が基準信号である５１より小さい場合には、”Ｈ”の信号を出力し、大きい場合は”Ｌ”の信号を出力する。
従って比較手段５４は、入力されているＲ（赤）信号は基準信号である５１より小さいことを検出し”Ｈ”の信号を出力する。
比較手段５５は、Ｇ基準信号生成手段５２Ｃからの基準信号（２３０）と入力されたＧ（緑）信号とを比較し、Ｇ（緑）信号が基準信号である２３０より大きい場合には、”Ｈ”の信号を出力し、小さい場合は”Ｌ”の信号を出力する。
従って比較手段５５は、入力されているＧ（緑）信号は基準信号である２３０より大きいことを検出し”Ｈ”の信号を出力する。
比較手段５６は、Ｂ基準信号生成手段５３Ｃからの基準信号（１０２）と入力されたＢ（青）信号とを比較し、Ｂ（青）信号が基準信号である１０２より小さい場合には、”Ｈ”の信号を出力し、大きい場合は”Ｌ”の信号を出力する。
従って比較手段５６は、入力されているＢ（青）信号は基準信号である１０２より小さいことを検出し”Ｈ”の信号を出力する。
論理積手段５７Ｃは、前記それぞれの比較手段５４、５５、５６の結果が全て”Ｈ”であるため、全ての条件が満たされたことを検出しその結果を補正信号生成手段６０ＣのＢ補正信号生成手段６２Ｃに出力する。
【００５７】
補正信号生成手段６０ＣのＢ補正信号生成手段６２Ｃは、検出手段５０Ｃの論理積手段５７Ｃからの信号が”Ｈ”である検出結果と入力されるＧ（緑）信号とＢ（青）信号との値に応じ一意に値が決定される補正信号を生成し、補正手段７０ＣのＢ補正手段７２Ｃに出力する。
尚、Ｂ補正信号生成手段６２Ｃが生成する補正信号の一例として、
ＢＫ１は所望する係数であり一例として２．５、
ＢＫ２は所望する係数であり一例として５、
入力されるＧ（緑）信号をＧ、ただしＧは０〜２５５
入力されるＢ（青）信号をＢ、ただしＢは０〜２５５とするとき、
（Ｇ−（Ｂ×ＢＫ１））が負の値の場合では、生成される補正信号Ｂは０、
（Ｇ−（Ｂ×ＢＫ１））が正の値の場合では、
補正信号Ｂ＝（Ｇ−（Ｂ×ＢＫ１））÷ＢＫ２、
である補正信号Ｂを生成する。
この例の補正前の信号と補正後の信号との関係の代表値例を図９に示す。
【００５８】
補正手段７０ＣのＢ補正手段７２Ｃは、入力端子４０からのＢ（青）信号に、前記Ｂ補正信号生成手段６２Ｃからの補正信号に基づき補正を行い出力端子１００に出力する。
【００５９】
その結果、「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正することができる。
【００６０】
次に図５を参照して画像信号補正手段１０Ｄを例に、入力されたＲ（赤）信号、Ｇ（緑）信号、Ｂ（青）信号をＹ（輝度）信号に変換し、そのＹ（輝度）信号の値に応じて、Ｂ（青）信号を補正する場合の説明を行う。
【００６１】
画像信号補正手段１０Ｄは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子４０と後段の補正信号生成手段６０Ｄとの間に介在し接続された検出手段５０Ｄと、
前記入力端子２０、３０、４０と検出手段５０Ｄと後段の補正手段７０Ｄとに接続された補正信号生成手段６０Ｄと、
前記入力端子４０と補正信号生成手段６０Ｄと後段の出力端子１００とに接続された補正手段７０Ｄと、
前記入力端子２０に接続された出力端子８０と、前記入力端子３０に接続された出力端子９０と、
前記補正手段７０Ｄに接続された出力端子１００とが備えられている。
【００６２】
検出手段５０Ｄは、Ｂ基準信号生成手段５３Ｄと、
入力端子４０とＢ基準信号生成手段５３Ｄと後段の補正信号生成手段６０Ｄとに接続された比較手段５６と、を備える。
比較手段５６は、入力端子４０から入力されたＢ（青）信号とＢ基準信号生成手段５３Ｄにて生成された基準信号とを比較し、その比較結果、つまり所望する条件である入力端子４０からのＢ（青）信号がＢ用基準信号値以下の値である検出結果を補正信号生成手段６０Ｄに出力する。
【００６３】
補正信号生成手段６０Ｄは、入力端子２０、３０、４０と後段のＢ補正信号生成手段６２Ｄとに接続され、入力されたＲ（赤）信号、Ｇ（緑）信号、Ｂ（青）信号をＹ（輝度）信号に変換する変換手段６３Ｄと、その変換手段６３Ｄと入力端子４０と検出手段５０Ｄの比較手段５６と後段の補正手段７０ＤのＢ補正手段７２Ｄとに接続されたＢ補正信号生成手段６２Ｄと、を備える。
Ｂ補正信号生成手段６２Ｄは、検出手段５０Ｄの比較手段５６からの検出結果と変換手段６３ＤからのＹ（輝度）信号と入力端子４０から入力されたＢ（青）信号とに基づき、補正信号を生成して補正手段７０ＤのＢ補正手段７２Ｄに出力する。
【００６４】
補正手段７０Ｄは、前記入力端子４０と補正信号生成手段６０ＤのＢ補正信号生成手段６２Ｄと出力端子１００とに接続されたＢ補正手段７２Ｄを備え、
Ｂ補正手段７２Ｄは、入力端子４０からのＢ（青）信号に、補正信号生成手段６０ＤのＢ補正信号生成手段６２Ｄからの補正信号に基づき補正を行い補正後の信号を出力端子１００に出力する。
【００６５】
出力端子８０は、前記入力端子２０に接続され、入力端子２０からの信号を出力する。
出力端子９０は、前記入力端子３０に接続され、入力端子３０からの信号を出力する。
【００６６】
出力端子１００は、前記補正手段７０ＤのＢ補正手段７２Ｄに接続され補正後の信号を出力する。
【００６７】
上記のように構成された画像信号補正手段１０Ｄに、それぞれＲ（赤）信号＝１２８（５０％）、Ｇ（緑）信号＝１２８（５０％）、Ｂ（青）信号＝２６（１０％）が入力された際に、Ｂ（青）信号を補正する場合を、図５を参照して説明を行う。
又、Ｂ基準信号生成手段５３Ｄは１０２（４０％）の値の基準信号を生成する例とする。
従って、比較手段５６は、入力端子４０から入力されたＢ（青）信号とＢ基準信号生成手段５３Ｄにて生成された基準信号とを比較し、その比較結果、つまり所望する条件である入力端子４０からのＢ（青）信号が１０２（４０％）以下の値である検出結果を、補正信号生成手段６０ＤのＢ補正信号生成手段６２Ｄに出力する。
さらにＢ補正信号生成手段６２Ｄは、Ｙ（輝度）信号とＢ（青）信号の値に応じて一意に値が決定される補正信号を生成する。
【００６８】
画像信号補正手段１０Ｄに、それぞれＲ（赤）信号＝１２８（５０％）、Ｇ（緑）信号＝１２８（５０％）、Ｂ（青）信号＝２６（１０％）が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
Ｒ（赤）信号は、補正信号生成手段６０Ｄの変換手段６３Ｄに入力されると共に出力端子８０にて出力される。
Ｇ（緑）信号は、補正信号生成手段６０Ｄの変換手段６３Ｄに入力されると共に出力端子９０にて出力される。
Ｂ（青）信号は、検出手段５０Ｄの比較手段５６と補正信号生成手段６０ＤのＢ補正信号生成手段６２Ｄと変換手段６３Ｄと補正手段７０ＤのＢ補正手段７２Ｄとに入力される。
【００６９】
検出手段５０Ｄの比較手段５６は、Ｂ基準信号生成手段５３Ｄからの基準信号（１０２）と入力されたＢ（青）信号とを比較し、Ｂ（青）信号が基準信号である１０２より小さい場合には、”Ｈ”の信号を出力し、大きい場合は”Ｌ”の信号を出力する。
従って比較手段５６は、入力されているＢ（青）信号が基準信号である１０２より小さいことを検出し”Ｈ”の信号を出力する。
【００７０】
補正信号生成手段６０Ｄの変換手段６３Ｄは、入力端子２０、３０、４０からのＲ（赤）信号、Ｇ（緑）信号、Ｂ（青）信号をＹ（輝度）信号に変換し、Ｂ補正信号生成手段６２Ｄに出力する。
尚、８bit量子化にて表したＲＧＢ信号を、ＹＣｂＣｒ信号に変換する変換式の一例としてＩＴＵ−Ｒ  ＢＴ．６０１に規定されている、色変換式のＹ信号に関する式を例として次に示す。
入力されるＲ（赤）信号をＲ、ただしＲは０〜２５５、
入力されるＧ（緑）信号をＧ、ただしＧは０〜２５５、
入力されるＢ（青）信号をＢ、ただしＢは０〜２５５とするとき、
Ｙ＝（７７×Ｒ／２５６）＋（１５０×Ｇ／２５６）＋（２９×Ｂ／２５６）
従って、Ｒ（赤）信号＝１２８、Ｇ（緑）信号＝１２８、Ｂ（青）信号＝２６が入力された際のＹ（輝度）信号の値は、約１１６である。
【００７１】
補正信号生成手段６０ＤのＢ補正信号生成手段６２Ｄは、前記検出手段５０Ｄの比較手段５６からの信号（”Ｈ”）と変換手段６３ＤからのＹ（輝度）信号と入力端子４０からのＢ（青）信号とに基づき、変換手段６３ＤからのＹ（輝度）信号と入力端子４０からのＢ（青）信号との値に応じて一意に値が決定される補正信号を生成し補正手段７２Ｄへ出力する。
尚、Ｂ補正信号生成手段６２Ｄが生成する補正信号の一例として、
ＢＫ１は所望する係数であり一例として２．５、
ＢＫ２は所望する係数であり一例として５、
入力端子２０、３０、４０からのＲ（赤）信号、Ｇ（緑）信号、Ｂ（青）信号をＹ（輝度）信号に変換したＹ（輝度）信号をＹ、ただしＹは０〜２５５、
入力されるＢ（青）信号をＢとするとき、
（Ｙ−（Ｂ×ＢＫ１））が負の値の場合では、生成される補正信号Ｂは０、
（Ｙ−（Ｂ×ＢＫ１））が正の値の場合では、生成される補正信号Ｂは、
補正信号Ｂ＝（Ｙ―（Ｂ×ＢＫ１））÷ＢＫ２、
である補正信号を生成する。
従って、補正信号Ｂ＝（（１１６−（２６×２．５））÷５）＝約１０の補正信号を生成する。
【００７２】
補正手段７０Ｄの補正手段７２Ｄは、入力端子４０からのＢ（青）信号に、Ｂ補正信号生成手段６２Ｄからの補正信号に基づき補正を行い出力端子１００へ出力する。
【００７３】
その結果、Ｒ（赤）信号、Ｇ（緑）信号、Ｂ（青）信号を変換したＹ（輝度）信号の値とＢ（青）信号との値とに応じた補正信号で、Ｂ（青）信号が１０２以上の場合には補正を行わず、Ｂ（青）信号が１０２未満の低い場合にはＢ（青）信号を補正することができる。
【００７４】
この一例の入力信号であるＲ（赤）信号、Ｇ（緑）信号、Ｂ（青）信号と変換したＹ（輝度）信号と補正信号との代表値を表２から表１２に示す。
表２は、Ｒ（赤）信号、Ｇ（緑）信号、Ｂ（青）信号が、０から２５５まで１０％刻みで増加した場合の、Ｙ（輝度）信号と補正信号との値である。
【表２】
2008286891.tif 000012
【００７５】
表３は、Ｒ（赤）信号＝約２６（１０％）、Ｇ（緑）信号＝約２６（１０％）で、Ｂ（青）信号が、０から約１０２（４０％）まで１０％刻みで増加した場合の、Ｙ（輝度）信号と補正信号との値である。
【表３】
2008286891.tif 000013
【００７６】
表４は、Ｒ（赤）信号＝約５１（２０％）、Ｇ（緑）信号＝約５１（２０％）で、Ｂ（青）信号が、０から約１０２（４０％）まで１０％刻みで増加した場合の、Ｙ（輝度）信号と補正信号との値である。
【表４】
2008286891.tif 000014
【００７７】
表５は、Ｒ（赤）信号＝約７７（３０％）、Ｇ（緑）信号＝約７７（３０％）で、Ｂ（青）信号が、０から約１０２（４０％）まで１０％刻みで増加した場合の、Ｙ（輝度）信号と補正信号との値である。
【表５】
2008286891.tif 000015
【００７８】
表６は、Ｒ（赤）信号＝約１０２（４０％）、Ｇ（緑）信号＝約１０２（４０％）で、Ｂ（青）信号が、０から約１０２（４０％）まで１０％刻みで増加した場合の、Ｙ（輝度）信号と補正信号との値である。
【表６】
2008286891.tif 000016
【００７９】
表７は、Ｒ（赤）信号＝約１２８（５０％）、Ｇ（緑）信号＝約１２８（５０％）で、Ｂ（青）信号が、０から約１０２（４０％）まで１０％刻みで増加した場合の、Ｙ（輝度）信号と補正信号との値である。
【表７】
2008286891.tif 000017
【００８０】
表８は、Ｒ（赤）信号＝約１５３（６０％）、Ｇ（緑）信号＝約１５３（６０％）で、Ｂ（青）信号が、０から約１０２（４０％）まで１０％刻みで増加した場合の、Ｙ（輝度）信号と補正信号との値である。
【表８】
2008286891.tif 000018
【００８１】
表９は、Ｒ（赤）信号＝約１７９（７０％）、Ｇ（緑）信号＝約１７９（７０％）で、Ｂ（青）信号が、０から約１０２（４０％）まで１０％刻みで増加した場合の、Ｙ（輝度）信号と補正信号との値である。
【表９】
2008286891.tif 000019
【００８２】
表１０は、Ｒ（赤）信号＝約２０４（８０％）、Ｇ（緑）信号＝約２０４（８０％）で、Ｂ（青）信号が、０から約１０２（４０％）まで１０％刻みで増加した場合の、Ｙ（輝度）信号と補正信号との値である。
【表１０】
2008286891.tif 000020
【００８３】
表１１は、Ｒ（赤）信号＝約２３０（９０％）、Ｇ（緑）信号＝約２３０（９０％）で、Ｂ（青）信号が、０から約１０２（４０％）まで１０％刻みで増加した場合の、Ｙ（輝度）信号と補正信号との値である。
【表１１】
2008286891.tif 000021
【００８４】
表１２は、Ｒ（赤）信号＝約２５５（１００％）、Ｇ（緑）信号＝約２５５（１００％）で、Ｂ（青）信号が、０から約１０２（４０％）まで１０％刻みで増加した場合の、Ｙ（輝度）信号と補正信号との値である。
【表１２】
2008286891.tif 000022
【００８５】
尚、入力３原色信号を表す量子化ｂｉｔ数は、８ｂｉｔ以外の所望のｂｉｔ数であること、若しくは８ｂｉｔ以外の所望のｂｉｔ数であり、且つ負を表すことが可能なサインビットを備える量子化方法であっても同様な効果が得られる。
【００８６】
さらに、実施例で説明に使用したＢＫ１とＢＫ２とＧＫ１とＧＫ２等の係数は、他の所望する値であっても効果が得られる。
【００８７】
補正信号生成手段は、ルックアップテーブル方式であるデジタル化された階調のデータを任意の階調に補正するために入力と出力の対照表を利用することによる所望の補正値により、入力に対する所望の直線的な出力特性とする補正値、さらに入力に対する所望の曲線的な出力特性とする補正値の生成が可能であることであっても一意に値が決定される補正信号を生成でき同様な効果が得られる。
【００８８】
又、画像信号で表わされる色空間がｓＲＧＢ表色系と、一意に変換が可能な表色系、例えばＲＧＢＡ表色系、若しくはＹＩＱ表色系、若しくはＹＣｂＣｒ表色系、若しくはＹＰｂＰｒ表色系、若しくはＸＹＺ表色系、若しくはｘｙＹ表色系、若しくはｘｖＹＣＣ表色系、で補正を行うことであっても同様な効果が得られる。
【産業上の利用可能性】
【００８９】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
「濃い赤」であるＲ（赤）信号＝２５５、Ｇ（緑）信号＝０、Ｂ（青）信号＝０を検出して、少しだけ白を混ぜた「明るい赤」Ｒ（赤）信号＝２５５、Ｇ（緑）信号＝５１、Ｂ（青）信号＝５１や、短波長（オレンジ）寄りの「朱色」Ｒ（赤）信号＝２５５、Ｇ（緑）信号＝５１、Ｂ（青）信号＝０に補正することができる。
さらに「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正する事もできる。
さらにＢ（青）信号が所望する基準値以下の値を検出したとき、Ｒ（赤）信号の値に応じた補正信号を生成してＢ（青）信号の補正を行う事や、Ｇ（緑）信号が所望する基準値以下の値を検出したとき、Ｒ（赤）信号の値に応じた補正信号を生成してＧ（緑）信号の補正を行う事もできる。
さらにＲ（赤）信号、Ｇ（緑）信号、Ｂ（青）信号がそれぞれ所望する基準値との比較により、例えば「濃い緑」であるＲ（赤）信号＝０、Ｇ（緑）信号＝２５５、Ｂ（青）信号＝０を検出したとき、Ｇ（緑）信号の値に応じた補正信号を生成して、Ｂ（青）信号の補正を行い、少しだけ青を混ぜた色Ｒ（赤）信号＝０、Ｇ（緑）信号＝２５５、Ｂ（青）信号＝５１に補正する事もできる。
従って、第１色盲を患う者でも上記の条件では判別が困難であったが、補正を行う事により判別が可能な表示とすることができ、健常者にも上記の条件以外では補正を行わないため違和感の少ない表示を可能とすることを特徴とする表示装置を提供できる。
さらにＢ（青）信号が所望する基準値以下を検出したとき、Ｒ（赤）信号、Ｇ（緑）信号、Ｂ（青）信号から変換したＹ（輝度）信号の値に応じた補正信号を生成して、Ｂ（青）信号の補正を行う事もできる。
従って、加齢ととも低下した青色系統の感度を補うため、Ｂ（青）信号の値が所望する基準値より低い場合にはＢ（青）信号を補正し、Ｂ（青）信号の値が所望する基準値より高い場合にはＢ（青）信号を補正しないことにより、高齢者にはＢ（青）信号の値が低い場合ではＢ（青）信号を補正しているため見やすくなり、Ｂ（青）信号の値が高い場合にはＢ（青）信号補正しないため高齢者以外の者にも違和感の少ない画像を表示することができることを特徴とする表示装置を提供できる。
【図面の簡単な説明】
【００９０】
【図１】本発明に係る実施の形態例の画像信号補正手段１０の構成を説明するブロック図である。（実施例１）
【図２】本発明に係る実施の形態例の画像信号補正手段１０Ａの構成を説明するブロック図である。（実施例２）
【図３】本発明に係る実施の形態例の画像信号補正手段１０Ｂの構成を説明するブロック図である。（実施例３）
【図４】本発明に係る実施の形態例の画像信号補正手段１０Ｃの構成を説明するブロック図である。（実施例４）
【図５】本発明に係る実施の形態例の画像信号補正手段１０Ｄの構成を説明するブロック図である。（実施例５）
【図６】本発明に係る実施例１と実施例２との補正前の入力信号に対する補正後の出力信号の関係を表す例の図である。
【図７】本発明に係る実施例３の補正前の入力信号に対する補正後の出力信号の関係を表す代表値の例の図である。
【図８】本発明に係る実施例３の補正前の入力信号に対する補正後の出力信号の関係を表す図７以外代表値の例の図である。
【図９】本発明に係る実施例４の補正前の入力信号に対する補正後の出力信号の関係を表す一例の図である。
【符号の説明】
【００９１】
１０    画像信号補正手段
１０Ａ  画像信号補正手段
１０Ｂ  画像信号補正手段
１０Ｃ  画像信号補正手段
１０Ｄ  画像信号補正手段
２０    入力信号Ｒ用入力端子
３０    入力信号Ｇ用入力端子
４０    入力信号Ｂ用入力端子
５０    検出手段
５０Ａ  検出手段
５０Ｂ  検出手段
５０Ｃ  検出手段
５０Ｄ  検出手段
５１    Ｒ基準信号生成手段
５１Ａ  Ｒ基準信号生成手段
５１Ｃ  Ｒ基準信号生成手段
５２    Ｇ基準信号生成手段
５２Ａ  Ｇ基準信号生成手段
５２Ｂ  Ｇ基準信号生成手段
５２Ｃ  Ｇ基準信号生成手段
５３    Ｂ基準信号生成手段
５３Ａ  Ｂ基準信号生成手段
５３Ｂ  Ｂ基準信号生成手段
５３Ｃ  Ｂ基準信号生成手段
５３Ｄ  Ｂ基準信号生成手段
５４    比較手段
５５    比較手段
５６    比較手段
５７    論理積手段
５７Ａ  論理積手段
５７Ｃ  論理積手段
６０    補正信号生成手段
６０Ａ  補正信号生成手段
６０Ｂ  補正信号生成手段
６０Ｃ  補正信号生成手段
６０Ｄ  補正信号生成手段
６１    Ｇ補正信号生成手段
６１Ｂ  Ｇ補正信号生成手段
６２    Ｂ補正信号生成手段
６２Ａ  Ｂ補正信号生成手段
６２Ｂ  Ｂ補正信号生成手段
６２Ｃ  Ｂ補正信号生成手段
６２Ｄ  Ｂ補正信号生成手段
６３Ｄ  変換手段
７０    補正手段
７０Ａ  補正手段
７０Ｂ  補正手段
７０Ｃ  補正手段
７０Ｄ  補正手段
７１    Ｇ補正手段
７１Ｂ  Ｇ補正手段
７２    Ｂ補正手段
７２Ａ  Ｂ補正手段
７２Ｂ  Ｂ補正手段
７２Ｃ  Ｂ補正手段
７２Ｄ  Ｂ補正手段
８０    出力信号Ｒ用出力端子
９０    出力信号Ｇ用出力端子
１００  出力信号Ｂ用出力端子
【手続補正３】
【補正対象書類名】図面
【補正対象項目名】全図
【補正方法】変更
【補正の内容】
【図１】
2008286891.tif 000023
【図２】
2008286891.tif 000024
【図３】
2008286891.tif 000025
【図４】
2008286891.tif 000026
【図５】
2008286891.tif 000027
【図６】
2008286891.tif 000028
【図７】
2008286891.tif 000029
【図８】
2008286891.tif 000030
【図９】
2008286891.tif 000031
【手続補正書】
【提出日】平成20年1月8日(2008.1.8)
【手続補正１】
【補正対象書類名】明細書
【補正対象項目名】００８９
【補正方法】変更
【補正の内容】
【００８９】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
「濃い赤」であるＲ（赤）信号＝２５５、Ｇ（緑）信号＝０、Ｂ（青）信号＝０を検出して、少しだけ白を混ぜた「明るい赤」Ｒ（赤）信号＝２５５、Ｇ（緑）信号＝５１、Ｂ（青）信号＝５１や、短波長（オレンジ）寄りの「朱色」Ｒ（赤）信号＝２５５、Ｇ（緑）信号＝５１、Ｂ（青）信号＝０に補正することができる。
さらに「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正する事もできる。
さらにＢ（青）信号が所望する基準値以下の値を検出したとき、Ｒ（赤）信号の値に応じた補正信号を生成してＢ（青）信号の補正を行う事や、Ｇ（緑）信号が所望する基準値以下の値を検出したとき、Ｒ（赤）信号の値に応じた補正信号を生成してＧ（緑）信号の補正を行う事もできる。
さらにＲ（赤）信号、Ｇ（緑）信号、Ｂ（青）信号がそれぞれ所望する基準値との比較により、例えば「濃い緑」であるＲ（赤）信号＝０、Ｇ（緑）信号＝２５５、Ｂ（青）信号＝０を検出したとき、Ｇ（緑）信号の値に応じた補正信号を生成して、Ｂ（青）信号の補正を行い、少しだけ青を混ぜた色Ｒ（赤）信号＝０、Ｇ（緑）信号＝２５５、Ｂ（青）信号＝５１に補正する事もできる。
従って、第１色盲を患う者でも上記の条件では判別が困難であったが、補正を行う事により判別が可能な表示とすることができ、健常者にも上記の条件以外では補正を行わないため違和感の少ない表示を可能とすることを特徴とする表示装置を提供できる。
さらにＢ（青）信号が所望する基準値以下を検出したとき、Ｒ（赤）信号、Ｇ（緑）信号、Ｂ（青）信号から変換したＹ（輝度）信号の値に応じた補正信号を生成して、Ｂ（青）信号の補正を行う事もできる。
従って、加齢と共に低下した青色系統の感度を補うため、Ｂ（青）信号の値が所望する基準値より低い場合にはＢ（青）信号を補正し、Ｂ（青）信号の値が所望する基準値より高い場合にはＢ（青）信号を補正しないことにより、高齢者にはＢ（青）信号の値が低い場合ではＢ（青）信号を補正しているため見やすくなり、Ｂ（青）信号の値が高い場合にはＢ（青）信号補正しないため高齢者以外の者にも違和感の少ない画像を表示することができることを特徴とする表示装置を提供できる。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段とを備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｒ入力端子とＧ入力端子と検出手段とに接続され、その入力端子から入力されるＲ（赤）信号とＧ（緑）信号と検出結果とに基づき補正をかけるための、Ｇ（緑）信号用の補正信号を生成するＧ補正信号生成手段と、
前記Ｒ入力端子とＢ入力端子と検出手段とに接続され、その入力端子から入力されるＲ（赤）信号とＢ（青）信号と検出結果とに基づき補正をかけるための、Ｂ（青）信号用の補正信号を生成するＢ補正信号生成手段と、を備える補正信号生成手段と、
前記Ｇ入力端子と検出手段とＧ補正信号生成手段とに接続され、検出結果と補正信号とに基づきＧ入力端子から入力されるＧ（緑）信号の補正を行うＧ補正手段と、
前記Ｂ入力端子と検出手段とＢ補正信号生成手段とに接続され、検出結果と補正信号とに基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である
入力されるＲ（赤）信号がＲ基準信号生成手段で生成される基準信号の値より大きく、且つ、
入力されるＧ（緑）信号がＧ基準信号生成手段で生成される基準信号の値より小さく、且つ、
入力されるＢ（青）信号がＢ基準信号生成手段で生成される基準信号の値より小さいことを検出し、その検出結果を補正信号生成手段に出力するステップと、
当該補正信号生成手段のＧ補正信号生成手段が、前記検出手段の所望する条件が満たされた情報である検出結果に基づき、検出手段からの所望する条件が満たされない場合には補正信号は生成せず、検出手段からの所望する条件が満たされた場合には補正信号を生成し、且つ、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、前記検出手段の所望する条件が満たされた情報である検出結果に基づき、検出手段からの所望する条件が満たされない場合には補正信号は生成せず、検出手段からの所望する条件が満たされた場合には補正信号を生成し、且つ、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記検出手段の所望する条件が満たされた情報である検出結果とＧ補正信号生成手段にて生成された補正信号に基づき、入力信号のＧ（緑）信号を前記Ｇ補正信号生成手段で生成した補正信号にて補正して、補正後のＧ（緑）信号を出力するステップ、
当該補正手段のＢ補正手段が、前記検出手段の所望する条件が満たされた情報である検出結果とＢ補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法。
【請求項２】
３原色信号であるＲ（赤）信号、Ｇ（緑）信号、Ｂ（青）信号からなる画像信号を入力するＲ入力端子、Ｇ入力端子、Ｂ入力端子と、
Ｇ（緑）信号用の所望する基準信号を生成するＧ基準信号生成手段と
Ｂ（青）信号用の所望する基準信号を生成するＢ基準信号生成手段と
前記Ｇ入力端子とＧ基準信号生成手段とに接続されたＧ比較手段と
前記Ｂ入力端子とＢ基準信号生成手段とに接続されたＢ比較手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｒ入力端子とＧ入力端子と検出手段のＧ比較手段とに接続され、その入力端子から入力されるＲ（赤）信号とＧ（緑）信号と検出結果とにより補正をかけるための、Ｇ（緑）信号用の補正信号を生成するＧ補正信号生成手段と、
前記Ｒ入力端子とＢ入力端子と検出手段のＢ比較手段とに接続され、その入力端子から入力されるＲ（赤）信号とＢ（青）信号と検出結果とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段のＧ比較手段が、所望する条件である入力されるＧ（緑）信号がＧ基準信号生成手段で生成される基準信号の値より小さいことを検出し、その検出結果をＧ補正信号生成手段に出力するステップと、
当該検出手段のＢ比較手段が、所望する条件である入力されるＢ（青）信号がＢ基準信号生成手段で生成される基準信号の値より小さいことを検出し、その検出結果をＢ補正信号生成手段に出力するステップと、
当該補正信号生成手段のＧ補正信号生成手段が、前記検出手段のＧ比較手段からの所望する条件が満たされた情報である検出結果に基づき、入力されるＧ（緑）信号がＧ（緑）信号用の基準信号より大きい場合には補正信号は生成せず、入力されるＧ（緑）信号がＧ（緑）信号用の基準信号より小さい場合には補正信号を生成し、且つ、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、前記検出手段のＢ比較手段からの所望する条件が満たされた情報である検出結果に基づき、入力されるＢ（青）信号がＢ（青）信号用の基準信号より大きい場合には補正信号は生成せず、入力されるＢ（青）信号がＢ（青）信号用の基準信号より小さい場合には補正信号を生成し、且つ、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップ、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップ、
を実行することを特徴とする画像信号補正手段の動作方法。
【請求項３】
３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｇ入力端子とＢ入力端子と検出手段とに接続され、その入力端子から入力されるＧ（緑）信号とＢ（青）信号と検出結果とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該検出手段が、所望する条件である、
入力されるＲ（赤）信号がＲ基準信号生成手段で生成される基準信号の値より小さく、且つ、
入力されるＧ（緑）信号がＧ基準信号生成手段で生成される基準信号の値より大きく、且つ、
入力されるＢ（青）信号がＢ基準信号生成手段で生成される基準信号の値より小さいことを検出し、その検出結果を補正信号生成手段に出力するステップと、
当該補正信号生成手段のＢ補正信号生成手段が、前記検出手段の所望する条件が満たされた情報である検出結果に基づき、検出手段からの所望する条件が満たされない場合には補正信号は生成せず、検出手段からの所望する条件が満たされた場合には補正信号を生成し、且つ、入力されるＧ（緑）信号の値とＢ（青）信号の値とに応じて一意に値が決定される、つまりＧ（緑）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップ、
を実行することを特徴とする画像信号補正手段の動作方法。
【請求項４】
３原色信号であるＲ（赤）信号、Ｇ（緑）信号、Ｂ（青）信号からなる画像信号を入力するＲ入力端子、Ｇ入力端子、Ｂ入力端子と、
Ｂ（青）信号用の所望する基準信号を生成するＢ基準信号生成手段と、
前記Ｂ入力端子とＢ基準信号生成手段とに接続された比較手段と、を備え、
Ｂ入力端子から入力されたＢ（青）信号と、Ｂ基準信号生成手段にて生成された基準信号とを比較し、入力されたＢ（青）信号が所望する条件を満たすかを検出する検出手段と、
前記Ｒ入力端子とＧ入力端子とＢ入力端子と検出手段とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号と前記検出手段の検出結果とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該検出手段が、所望する条件である入力されるＢ（青）信号がＢ基準信号生成手段で生成される基準信号の値より小さいことを検出し、その検出結果を補正信号生成手段のＢ補正信号生成手段に出力するステップと、
当該補正信号生成手段の変換手段が、入力端子から入力されるＲ（赤）信号、Ｇ（緑）信号、Ｂ（青）信号をＹ（輝度）信号に変換し、その変換したＹ（輝度）信号を出力するステップと、
当該補正信号生成手段のＢ補正信号生成手段が、前記検出手段のＢ比較手段からの所望する条件が満たされた情報である検出結果に基づき、入力される画像信号のＢ（青）信号がＢ（青）信号用の基準信号より大きい場合には補正信号は生成せず、入力される画像信号のＢ（青）信号がＢ（青）信号用の基準信号より小さい場合に補正信号を生成し、且つ、入力される画像信号のＲ（赤）信号、Ｇ（緑）信号、Ｂ（青）信号から変換して得られたＹ（輝度）信号の値とＢ（青）信号の値とに応じて一意に値が決定される、つまりＹ（輝度）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップ、
を実行することを特徴とする画像信号補正手段の動作方法。
【手続補正２】
【補正対象書類名】明細書
【補正対象項目名】全文
【補正方法】変更
【補正の内容】
【発明の詳細な説明】
【技術分野】
【０００１】
本発明は、表示装置等に利用されている画像信号の信号補正方法に関する。
【背景技術】
【０００２】
従来の表示装置は、３原色信号であるＲ（赤）信号、Ｇ（緑）信号、Ｂ（青）信号にて、被写体の色を忠実に再現する処理が行われていた。
又、画質調整処理として所望の色を調整することが可能であったが、一定の割合で補正を行うことや、特定の色を特定の色に変換すること等が行われている。
尚、表示装置にて一般的に採用されている画像信号としてＲ（赤）信号、Ｇ（緑）信号、Ｂ（青）信号や、Ｙ（輝度信号）、ＣｂＣｒ（色）信号等がある。これらのＲ（赤）信号、Ｇ（緑）信号、Ｂ（青）信号等の表し方としては、デジタルで表した一例として８ｂｉｔで表すと０から２５５、アナログで表すと０から１の実数、さらに０％から１００％等の表し方がある。さらには、ｘｖＹＣＣ規格の様な、さらに広い色域を表すことも規格化されている。つまりアナログで表すと０以下の負の実数、若しくは１以上の実数で表わされる色域も利用されている。
以後表記は、特にことわり無き場合は、デジタル８ｂｉｔで量子化した０〜２５５で表記する。小数点以下は四捨五入して整数で表すものとする。
【０００３】
この３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。例えば第１色盲を患う者は「濃い赤」（Ｒ＝２５５、Ｇ＝０、Ｂ＝０）は、ほとんど「黒」に見える。さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。
さらに、視覚の基本特性である分光視感度特性は加齢とともに短波長側、すなわち青色系統の感度が低下する。このため高齢者は青色系統の色画像が見づらいものである。
又、あらかじめ登録された色盲 および色弱者にとって誤認傾向のある色に関する情報を参照して、入力された画像データに誤認要因となる色が含まれているか判断し画像データの色を所定の色に変換する考案がされている。
【特許文献１】特開２００４−２６６８２１
【特許文献２】特開２００６−２４６０７２
【発明の開示】
【発明が解決しようとする課題】
【０００４】
３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。
例えば第１色盲を患う者は「濃い赤」（Ｒ＝２５５、Ｇ＝０、Ｂ＝０）は、ほとんど「黒」に見える。この「濃い赤」は使わずに、少しだけ白を混ぜた「明るい赤」（Ｒ＝２５５、Ｇ＝５１、Ｂ＝５１）や短波長（オレンジ）寄りの「朱色」（Ｒ＝２５５、Ｇ＝５１、Ｂ＝０）を使うと，同じ赤でも緑視物質や青視物質を刺激することが可能となり、黒と分別が可能になる。例えば黒い文字列の中でも「明るい赤」の文字であれば強調され、暗い背景の中でも文字が読めるようになる。
さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。一方道路標識の緑のように青みが強い緑は、茶色と間違えにくい。また明るい緑は，暖色系だと黄色や赤と間違えることがあるが、青みが強ければ間違えにくい。
道路標識や交通信号は、同じ緑でも青みの強い色に限ることが定められている。
又、視覚の基本特性である分光視感度特性は加齢とともに短波長側、すなわち青色系統の感度が低下する。このため高齢者は青色系統の色画像が見づらいものである。
この発明は、上記の事情に鑑みてなされたものであり、視覚に病を患う者に見やすい画像に補正して表示することや、高齢者の青色系統の色画像が見づらいものを補正して表示し、且つ健常者にとっても違和感の少ない表示を可能とすること、が可能な表示装置のための信号補正方法の提供を目的とする。
つまり、画像信号の３原色信号であるＲ（赤）信号、Ｇ（緑）信号、Ｂ（青）信号のそれぞれの値が、所望の条件つまり上記の不具合の条件に合致するとき、それぞれの信号の値に応じて補正量を変えて補正することができる信号補正方法である。
【課題を解決するための手段】
【０００５】
本発明は、入力される画像信号の３原色信号であるＲ（赤）信号、Ｇ（緑）信号、Ｂ（青）信号のそれぞれの値が、視覚に病を患う者が認識し難い色の条件に合致するかを検出し、その条件に合致することが検出された際は、入力される画像信号の値に応じて補正をかけるための補正信号を生成し、入力の画像信号に補正を行い出力することを最も主要な特徴とする。その詳細は以下に示す。
【０００６】
請求項１に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段とを備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｒ入力端子とＧ入力端子と検出手段とに接続され、その入力端子から入力されるＲ（赤）信号とＧ（緑）信号と検出結果とに基づき補正をかけるための、Ｇ（緑）信号用の補正信号を生成するＧ補正信号生成手段と、
前記Ｒ入力端子とＢ入力端子と検出手段とに接続され、その入力端子から入力されるＲ（赤）信号とＢ（青）信号と検出結果とに基づき補正をかけるための、Ｂ（青）信号用の補正信号を生成するＢ補正信号生成手段と、を備える補正信号生成手段と、
前記Ｇ入力端子と検出手段とＧ補正信号生成手段とに接続され、検出結果と補正信号とに基づきＧ入力端子から入力されるＧ（緑）信号の補正を行うＧ補正手段と、
前記Ｂ入力端子と検出手段とＢ補正信号生成手段とに接続され、検出結果と補正信号とに基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段が、所望する条件である
入力されるＲ（赤）信号がＲ基準信号生成手段で生成される基準信号の値より大きく、且つ、
入力されるＧ（緑）信号がＧ基準信号生成手段で生成される基準信号の値より小さく、且つ、
入力されるＢ（青）信号がＢ基準信号生成手段で生成される基準信号の値より小さいことを検出し、その検出結果を補正信号生成手段に出力するステップと、
当該補正信号生成手段のＧ補正信号生成手段が、前記検出手段の所望する条件が満たされた情報である検出結果に基づき、検出手段からの所望する条件が満たされない場合には補正信号は生成せず、検出手段からの所望する条件が満たされた場合には補正信号を生成し、且つ、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、前記検出手段の所望する条件が満たされた情報である検出結果に基づき、検出手段からの所望する条件が満たされない場合には補正信号は生成せず、検出手段からの所望する条件が満たされた場合には補正信号を生成し、且つ、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記検出手段の所望する条件が満たされた情報である検出結果とＧ補正信号生成手段にて生成された補正信号に基づき、入力信号のＧ（緑）信号を前記Ｇ補正信号生成手段で生成した補正信号にて補正して、補正後のＧ（緑）信号を出力するステップ、
当該補正手段のＢ補正手段が、前記検出手段の所望する条件が満たされた情報である検出結果とＢ補正信号生成手段にて生成された補正信号に基づき、入力信号のＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、Ｒ（赤）信号の値とＧ（緑）信号の値とに応じた補正や、Ｒ（赤）信号の値とＢ（青）信号の値とに応じた補正を、行う事ができる。
従って、「濃い赤」であるＲ（赤）信号＝２５５、Ｇ（緑）信号＝０、Ｂ（青）信号＝０を検出して、少しだけ白を混ぜた「明るい赤」例えば、Ｒ（赤）信号＝２５５、Ｇ（緑）信号＝５１、Ｂ信号（青）＝５１や、短波長（オレンジ）寄りの「朱色」（Ｒ（赤）信号＝２５５、Ｇ（緑）信号＝５１、Ｂ（青）信号＝０）に補正することができる。
【０００７】
請求項２に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｇ（緑）信号用の所望する基準信号を生成するＧ基準信号生成手段と
Ｂ（青）信号用の所望する基準信号を生成するＢ基準信号生成手段と
前記Ｇ入力端子とＧ基準信号生成手段とに接続されたＧ比較手段と
前記Ｂ入力端子とＢ基準信号生成手段とに接続されたＢ比較手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｒ入力端子とＧ入力端子と検出手段のＧ比較手段とに接続され、その入力端子から入力されるＲ（赤）信号とＧ（緑）信号と検出結果とにより補正をかけるための、Ｇ（緑）信号用の補正信号を生成するＧ補正信号生成手段と、
前記Ｒ入力端子とＢ入力端子と検出手段のＢ比較手段とに接続され、その入力端子から入力されるＲ（赤）信号とＢ（青）信号と検出結果とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該検出手段のＧ比較手段が、所望する条件である入力されるＧ（緑）信号がＧ基準信号生成手段で生成される基準信号の値より小さいことを検出し、その検出結果をＧ補正信号生成手段に出力するステップと、
当該検出手段のＢ比較手段が、所望する条件である入力されるＢ（青）信号がＢ基準信号生成手段で生成される基準信号の値より小さいことを検出し、その検出結果をＢ補正信号生成手段に出力するステップと、
当該補正信号生成手段のＧ補正信号生成手段が、前記検出手段のＧ比較手段からの所望する条件が満たされた情報である検出結果に基づき、入力されるＧ（緑）信号がＧ（緑）信号用の基準信号より大きい場合には補正信号は生成せず、入力されるＧ（緑）信号がＧ（緑）信号用の基準信号より小さい場合には補正信号を生成し、且つ、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、前記検出手段のＢ比較手段からの所望する条件が満たされた情報である検出結果に基づき、入力されるＢ（青）信号がＢ（青）信号用の基準信号より大きい場合には補正信号は生成せず、入力されるＢ（青）信号がＢ（青）信号用の基準信号より小さい場合には補正信号を生成し、且つ、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップ、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップ、
を実行することを特徴とする画像信号補正手段の動作方法である。
この発明により、画像信号の３原色信号であるＲ（赤）、Ｇ（緑）信号、Ｂ（青）信号のそれぞれの値が、所望する条件であるとき、それぞれの信号の値に応じて補正量を変えて補正することができる。
つまりＧ（緑）信号が所望する基準信号値以下を検出したときには、Ｒ（赤）信号の値とＧ（緑）信号の値とに応じた値の補正を行う事ができる。
さらにＢ（青）信号が所望する基準信号値以下を検出したときには、Ｒ（赤）信号の値とＢ（青）信号の値とに応じた値の補正を行う事ができる。
【０００８】
請求項３に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｒ（赤）信号用の所望する基準信号を生成するＲ基準信号生成手段と
Ｇ（緑）信号用の所望する基準信号を生成するＧ基準信号生成手段と
Ｂ（青）信号用の所望する基準信号を生成するＢ基準信号生成手段と
前記Ｒ入力端子とＲ基準信号生成手段とに接続されたＲ比較手段と
前記Ｇ入力端子とＧ基準信号生成手段とに接続されたＧ比較手段と
前記Ｂ入力端子とＢ基準信号生成手段とに接続されたＢ比較手段と
それぞれの比較手段の結果の論理積の演算を行う論理積手段と、を備え、
前記それぞれの入力端子から入力された画像信号と、それぞれの基準信号生成手段にて生成された基準信号とをそれぞれ比較する、つまり入力された画像信号が所望する条件を満たすかを検出する検出手段と、
前記Ｇ入力端子とＢ入力端子と検出手段とに接続され、その入力端子から入力されるＧ（緑）信号とＢ（青）信号と検出結果とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該検出手段が、所望する条件である、
入力されるＲ（赤）信号がＲ基準信号生成手段で生成される基準信号の値より小さく、且つ、
入力されるＧ（緑）信号がＧ基準信号生成手段で生成される基準信号の値より大きく、且つ、
入力されるＢ（青）信号がＢ基準信号生成手段で生成される基準信号の値より小さいことを検出し、その検出結果を補正信号生成手段に出力するステップと、
当該補正信号生成手段のＢ補正信号生成手段が、前記検出手段の所望する条件が満たされた情報である検出結果に基づき、検出手段からの所望する条件が満たされない場合には補正信号は生成せず、検出手段からの所望する条件が満たされた場合には補正信号を生成し、且つ、入力されるＧ（緑）信号の値とＢ（青）信号の値とに応じて一意に値が決定される、つまりＧ（緑）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップ、
を実行することを特徴とする画像信号補正手段の動作方法である。
この発明により、画像信号の３原色信号であるＲ（赤）信号、Ｇ（緑）信号、Ｂ（青）信号のそれぞれの値が、所望する条件であるとき、入力されるＧ（緑）信号の値とＢ（青）信号の値とに応じて補正量を変えて補正することができる。
つまり、「濃い緑」であるＲ（赤）信号＝０、Ｇ（緑）信号＝２５５、Ｂ（青）信号＝０を検出したとき、Ｇ（緑）信号とＢ（青）信号との値に応じた補正信号を生成してＢ（青）信号の補正を行い、少しだけ青を混ぜた色Ｒ（赤）信号＝０、Ｇ（緑）信号＝２５５、Ｂ（青）信号＝５１に補正する事もできる。
【０００９】
請求項４に記載の発明は、３原色信号であるＲ（赤）信号、Ｇ（緑）信号、Ｂ（青）信号からなる画像信号を入力するＲ入力端子、Ｇ入力端子、Ｂ入力端子と、
Ｂ（青）信号用の所望する基準信号を生成するＢ基準信号生成手段と、前記Ｂ入力端子とＢ基準信号生成手段とに接続された比較手段と、を備え、
Ｂ入力端子から入力されたＢ（青）信号と、Ｂ基準信号生成手段にて生成された基準信号とを比較し、入力されたＢ（青）信号が所望する条件を満たすかを検出する検出手段と、
前記Ｒ入力端子とＧ入力端子とＢ入力端子と検出手段とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号と前記検出手段の検出結果とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該検出手段が、所望する条件である入力されるＢ（青）信号がＢ基準信号生成手段で生成される基準信号の値より小さいことを検出し、その検出結果を補正信号生成手段のＢ補正信号生成手段に出力するステップと、
当該補正信号生成手段の変換手段が、入力端子から入力されるＲ（赤）信号、Ｇ（緑）信号、Ｂ（青）信号をＹ（輝度）信号に変換し、その変換したＹ（輝度）信号を出力するステップと、
当該補正信号生成手段のＢ補正信号生成手段が、前記検出手段のＢ比較手段からの所望する条件が満たされた情報である検出結果に基づき、入力される画像信号のＢ（青）信号がＢ（青）信号用の基準信号より大きい場合には補正信号は生成せず、入力される画像信号のＢ（青）信号がＢ（青）信号用の基準信号より小さい場合に補正信号を生成し、且つ、入力される画像信号のＲ（赤）信号、Ｇ（緑）信号、Ｂ（青）信号から変換して得られたＹ（輝度）信号の値とＢ（青）信号の値とに応じて一意に値が決定される、つまりＹ（輝度）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップ、
を実行することを特徴とする画像信号補正手段の動作方法である。
この発明により、Ｂ（青）信号が所望する基準信号値以下を検出したとき、Ｒ（赤）信号、Ｇ（緑）信号、Ｂ（青）信号から変換したＹ（輝度）信号の値とＢ（青）信号の値とに応じた値の補正を行う事ができる。
【発明の効果】
【００１０】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
画像信号の３原色信号であるＲ（赤）信号、Ｇ（緑）信号、Ｂ（青）信号のそれぞれの値が、所望する条件であるとき、Ｒ（赤）信号の値とＧ（緑）信号の値とに応じた補正信号を生成してＧ（緑）信号の補正を行う事や、Ｒ（赤）信号の値とＢ（青）信号の値とに応じた補正信号を生成してＢ（青）信号の補正を行う事ができる。従って、「濃い赤」であるＲ（赤）信号＝２５５、Ｇ（緑）信号＝０、Ｂ（青）信号＝０を検出して、少しだけ白を混ぜた「明るい赤」Ｒ（赤）信号＝２５５、Ｇ（緑）信号＝５１、Ｂ（青）号＝５１や、短波長（オレンジ）寄りの「朱色」Ｒ（赤）信号＝２５５、Ｇ（緑）信号＝５１、Ｂ（青）信号＝０に補正することができる。
さらにＧ（緑）信号が所望する基準信号値以下を検出したとき、Ｒ（赤）信号の値とＧ（緑）信号の値とに応じた補正信号を生成してＧ（緑）信号の補正を行う事や、Ｂ（青）信号が所望する基準信号値以下を検出したとき、Ｒ（赤）信号とＢ（青）信号の値との値に応じた補正信号を生成してＢ（青）信号の補正を行う事もできる。
さらにＲ（赤）信号、Ｇ（緑）信号、Ｂ（青）信号がそれぞれ所望する基準値との比較により、例えば「濃い緑」であるＲ（赤）信号＝０、Ｇ（緑）信号＝２５５、Ｂ（青）信号＝０を検出したとき、Ｇ（緑）信号とＢ（青）信号との値に応じた補正信号を生成してＢ（青）信号の補正を行い、少しだけ青を混ぜた色Ｒ（赤）信号＝０、Ｇ（緑）信号＝２５５、Ｂ（青）信号＝５１に補正する事もできる。
さらにＢ（青）信号が所望する基準信号値以下を検出したときの、Ｒ（赤）信号、Ｇ（緑）信号、Ｂ（青）信号から変換したＹ（輝度）信号の値に応じたＢ（青）信号の補正を行う事もできる。
【発明を実施するための最良の形態】
【００１１】
３原色の入力信号であるＲ（赤）信号、Ｇ（緑）信号、Ｂ（青）信号からなる画像信号が、所望する条件に合致するかを検出し、その検出結果に基づき補正信号を生成し、その前記補正信号に基づき前記入力の画像信号に補正を加え出力することで実現した。
【実施例】
【００１２】
以下に、本発明の実施の形態例を詳細に説明する。しかし、この実施の形態例によって、この発明が限定されるものではない。先ず、最初に図面について簡単に説明を行う。
図１は、本発明に係る実施の形態例の画像信号補正手段１０の構成を説明するブロック図である。
図２は、本発明に係る実施の形態例の画像信号補正手段１０Ｂの構成を説明するブロック図である。
図３は、本発明に係る実施の形態例の画像信号補正手段１０Ｃの構成を説明するブロック図である。
図４は、本発明に係る実施の形態例の画像信号補正手段１０Ｄの構成を説明するブロック図である。
図５は、本発明に係る実施例１と実施例２の補正前の入力信号に対する補正後の出力信号の関係を表す一例の図である。
図６は、本発明に係る実施例２の補正前の入力信号に対する補正後の出力信号の関係を表す図５以外の一例の図である。
図７は、本発明に係る実施例３の補正前の入力信号に対する補正後の出力信号の関係を表す一例の図である。
【００１３】
先ず図１を参照して、画像信号補正手段１０を例に説明を行う。
画像信号補正手段１０は、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子２０、３０、４０と後段の補正信号生成手段６０と補正手段７０とに接続された検出手段５０と、
入力端子２０、３０、４０と検出手段５０と後段の補正手段７０とに接続された補正信号生成手段６０と、
前記入力端子３０、４０と検出手段５０と補正信号生成手段６０と出力端子９０、１００とに接続された補正手段７０と、
前記入力端子２０に接続された出力端子８０と、前記補正手段７０に接続された出力端子９０、１００とが備えられている。
【００１４】
検出手段５０は、Ｒ基準信号生成手段５１と、Ｇ基準信号生成手段５２と、Ｂ基準信号生成手段５３と、
入力端子２０とＲ基準信号生成手段５１と後段の論理積手段５７とに接続された比較手段５４と、
入力端子３０とＧ基準信号生成手段５２と後段の論理積手段５７とに接続された比較手段５５と、
入力端子４０とＢ基準信号生成手段５３と後段の論理積手段５７とに接続された比較手段５６と、
前記それぞれの比較手段５４、５５、５６と後段の補正信号生成手段６０と補正手段７０とに接続された論理積手段５７とを、備える。
比較手段５４は、入力端子２０から入力されたＲ（赤）信号とＲ基準信号生成手段５１にて生成されたＲ用の基準信号とを比較し、その比較結果、つまり所望する条件である入力端子２０からのＲ（赤）信号がＲ用の基準信号値以上である検出結果を論理積手段５７に出力し、
比較手段５５は、入力端子３０から入力されたＧ（緑）信号とＧ基準信号生成手段５２にて生成されたＧ用の基準信号とを比較し、その比較結果、つまり所望する条件である入力端子３０からのＧ（緑）信号がＧ用の基準信号値以下である検出結果を論理積手段５７に出力し、
比較手段５６は、入力端子４０から入力されたＢ（青）信号とＢ基準信号生成手段５３にて生成されたＢ用の基準信号とを比較し、その比較結果、つまり所望する条件である入力端子４０からのＢ（青）信号がＢ用の基準信号値以下である検出結果を論理積手段５７に出力し、
論理積手段５７は、前記それぞれの比較手段５４、５５、５６からの結果を論理積（ＡＮＤ）の演算を行い、その演算結果を補正信号生成手段６０と補正手段７０とに出力する。
【００１５】
補正信号生成手段６０は、
前記入力端子２０と入力端子３０と検出手段５０の論理積手段５７と後段の補正手段７０のＧ補正手段７１とに接続されたＧ補正信号生成手段６１と、
前記入力端子２０と入力端子４０と検出手段５０の論理積手段５７と後段の補正手段７０のＢ補正手段７２とに接続されたＢ補正信号生成手段６２とを備え、
Ｇ補正信号生成手段６１が、入力端子２０から入力されるＲ（赤）信号と入力端子３０から入力されるＧ（緑）信号と論理積手段５７からの検出結果とに基づき、補正信号を生成してＧ補正手段７１に出力し、
Ｂ補正信号生成手段６２が、入力端子２０から入力されるＲ（赤）信号と入力端子４０から入力されるＢ（青）信号と論理積手段５７からの検出結果とに基づき、補正信号を生成してＢ補正手段７２に出力する。
【００１６】
補正手段７０は、
入力端子３０と検出手段５０の論理積手段５７と補正信号生成手段６０のＧ補正信号生成手段６１と出力端子９０とに接続されたＧ補正手段７１と、
入力端子４０と検出手段５０の論理積手段５７と補正信号生成手段６０のＢ補正信号生成手段６２と出力端子１００とに接続されたＢ補正手段７２とを備え、
Ｇ補正手段７１は、入力端子３０からのＧ（緑）信号に、論理積手段５７からの検出結果の信号とＧ補正信号生成手段６１からの補正信号とに基づき補正を行い補正後の信号を出力端子９０に出力し、
Ｂ補正手段７２は、入力端子４０からのＢ（青）信号に、論理積手段５７からの検出結果の信号とＢ補正信号生成手段６２からの補正信号とに基づき補正を行い補正後の信号を出力端子１００に出力する。
【００１７】
上記のように構成された画像信号補正手段１０に、「濃い赤」であるＲ（赤）信号＝２５５、Ｇ（緑）信号＝０、Ｂ（青）信号＝０が入力された際に、Ｒ（赤）信号はそのままで、Ｇ（緑）信号＝５１、Ｂ（青）信号＝５１に補正する場合を、図１を参照して説明を行う。
又、Ｒ基準信号生成手段５１は２３０の基準信号を生成し、Ｇ基準信号生成手段５２とＢ基準信号生成手段５３とは５１の基準信号を生成する例とする。
従って、
比較手段５４は、入力端子２０から入力されたＲ（赤）信号とＲ基準信号生成手段５１にて生成された基準信号とを比較し、その比較結果、つまり所望する条件である入力端子２０からのＲ（赤）信号が２３０以上の値である検出結果を論理積手段５７に出力し、
比較手段５５は、入力端子３０から入力されたＧ（緑）信号とＧ基準信号生成手段５２にて生成された基準信号とを比較し、その比較結果、つまり所望する条件である入力端子３０からのＧ（緑）信号が５１以下の値である検出結果を論理積手段５７に出力し、
比較手段５６は、入力端子４０から入力されたＢ（青）信号とＢ基準信号生成手段５３にて生成された基準信号とを比較し、その比較結果、つまり所望する条件である入力端子４０からのＢ（青）信号が５１以下の値である検出結果を論理積手段５７に出力する。
さらにＧ補正信号生成手段６１は、Ｒ（赤）信号とＧ（緑）信号の値に応じた補正信号を生成し、Ｂ補正信号生成手段６２は、Ｒ（赤）信号とＢ（青）信号との値に応じた補正信号を生成する。
【００１８】
画像信号補正手段１０の入力端子２０、３０、４０には、それぞれＲ（赤）信号＝２５５、Ｇ（緑）信号＝０、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、
Ｒ（赤）信号は、検出手段５０の比較手段５４と補正信号生成手段６０のＧ補正信号生成手段６１とＢ補正信号生成手段６２とに入力されと共に出力端子８０にて出力され、
Ｇ（緑）信号は、検出手段５０の比較手段５５と補正信号生成手段６０のＧ補正信号生成手段６１と補正手段７０のＧ補正手段７１とに入力され、
Ｂ（青）信号は、検出手段５０の比較手段５６と補正信号生成手段６０のＢ補正信号生成手段６２と補正手段７０のＢ補正手段７２とに入力される。
【００１９】
検出手段５０には、前記入力端子２０、３０、４０からの画像３原色信号であるＲ（赤）信号とＧ（緑）信号とＢ（青）信号とが入力される。
比較手段５４は、Ｒ基準信号生成手段５１からの基準信号（２３０）と入力されたＲ（赤）信号とを比較し、Ｒ（赤）信号が基準信号である２３０より大きい場合には”Ｈ”の信号を出力し、小さい場合は”Ｌ”の信号を出力する。
従って比較手段５４は、入力されているＲ（赤）信号は基準信号である２３０より大きいことを検出し”Ｈ”の信号を出力する。
比較手段５５は、Ｇ基準信号生成手段５２からの基準信号（５１）と入力されたＧ（緑）信号とを比較し、Ｇ（緑）信号が基準信号である５１より小さい場合には”Ｈ”の信号を出力し、大きい場合は”Ｌ”の信号を出力する。
従って比較手段５５は、入力されているＧ（緑）信号は基準信号である５１より小さいことを検出し”Ｈ”の信号を出力する。
比較手段５６は、Ｂ基準信号生成手段５３からの基準信号（５１）と入力されたＢ（青）信号とを比較し、Ｂ（青）信号が基準信号である５１より小さい場合には”Ｈ”の信号を出力し、大きい場合は”Ｌ”の信号を出力する。
従って比較手段５６は、入力されているＢ（青）信号は基準信号である５１より小さいことを検出し”Ｈ”の信号を出力する。
論理積手段５７は、前記それぞれの比較手段５４、５５、５６の結果が全て”Ｈ”であるため、全ての条件が満たされたことを検出しその結果を補正信号生成手段６０のＧ補正信号生成手段６１とＢ補正信号生成手段６２と補正手段７０のＧ補正手段７１とＢ補正手段７２とに出力する。
【００２０】
補正信号生成手段６０のＧ補正信号生成手段６１は、前記検出手段５０の論理積手段５７からの信号が”Ｈ”である検出結果と入力されているＲ（赤）信号とＧ（緑）信号の値とに基づき、一意に値が決定される補正信号を生成し、補正手段７０のＧ補正手段７１に出力する。
尚、Ｇ補正信号生成手段６１が生成する補正信号の例として、
ＧＫ１は所望する係数であり一例として２．５、
ＧＫ２は所望する係数であり一例として５、
入力されるＲ（赤）信号をＲ、ただしＲは０〜２５５、
入力されるＧ（緑）信号をＧ、ただしＧは０〜２５５とするとき、
（Ｒ−（Ｇ×ＧＫ１））が負の値の場合では、生成される補正信号Ｇは０、
（Ｒ−（Ｇ×ＧＫ１））が正の値の場合では、
補正信号Ｇ＝（Ｒ−（Ｇ×ＧＫ１））÷ＧＫ２、
である補正信号Ｇを生成する。
補正信号生成手段６０のＢ補正信号生成手段６２は、前記検出手段５０の論理積手段５７からの信号が”Ｈ”である検出結果と入力されているＲ（赤）信号とＢ（青）信号の値とに基づき、一意に値が決定される補正信号を生成し、補正手段７０のＢ補正手段７２に出力する。
尚、Ｂ補正信号生成手段６２が生成する補正信号の例として、
ＢＫ１は所望する係数であり一例として２．５、
ＢＫ２は所望する係数であり一例として５、
入力されるＲ（赤）信号をＲ、ただしＲは０〜２５５、
入力されるＢ（青）信号をＢ、ただしＢは０〜２５５とするとき、
（Ｒ−（Ｂ×ＢＫ１））が負の値の場合では、生成される補正信号Ｂは０、
（Ｒ−（Ｂ×ＢＫ１））が正の値の場合では、
補正信号Ｂ＝（Ｒ−（Ｂ×ＢＫ１））÷ＢＫ２、
である補正信号Ｂを生成する。
【００２１】
補正手段７０のＧ補正手段７１は、入力端子３０からのＧ（緑）信号に、前記検出手段５０の論理積手段５７からの検出結果の情報とＧ補正信号生成手段６１からの補正信号とに基づき補正を行い、補正後の信号を出力端子９０に出力する。
補正手段７０のＢ補正手段７２は、入力端子４０からのＢ（青）信号に、前記検出手段５０の論理積手段５７からの検出結果の情報とＢ補正信号生成手段６２からの補正信号とに基づき補正を行い、補正後の信号を出力端子１００に出力する。
【００２２】
その結果、「濃い赤」であるＲ（赤）信号＝２５５、Ｇ（緑）信号＝０、Ｂ（青）信号＝０が入力された際に、Ｒ（赤）信号＝２５５、Ｇ（緑）信号＝５１、Ｂ（青）信号＝５１に補正することができる。
尚、画像信号補正手段１０による入力Ｇ（緑）信号と出力Ｇ（緑）信号との関係、若しくは、入力Ｂ（青）信号と出力Ｂ（青）信号との関係である、補正前の入力信号と補正後の出力信号との関係を図５に示す。
【００２３】
次に図２を参照して、画像信号補正手段１０Ｂを例に、Ｒ（赤）信号の値に対応してＧ（緑）信号を補正する、若しくはＲ（赤）信号の値に対応してＢ（青）信号を補正する場合の説明を行う。
【００２４】
画像信号補正手段１０Ｂは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子３０、４０と後段の補正信号生成手段６０Ｂとの間に介在し接続された検出手段５０Ｂと、
前記入力端子２０、３０、４０と検出手段５０Ｂと後段の補正手段７０Ｂとに接続された補正信号生成手段６０Ｂと、
前記入力端子３０、４０と補正信号生成手段６０Ｂと出力端子９０、１００とに接続された補正手段７０Ｂと、
前記入力端子２０に接続された出力端子８０と、
前記補正手段７０Ｂに接続された出力端子９０、１００とが備えられている。
【００２５】
検出手段５０Ｂは、Ｇ基準信号生成手段５２Ｂと、Ｂ基準信号生成手段５３Ｂと、
入力端子３０とＧ基準信号生成手段５２Ｂと後段の補正信号生成手段６０ＢのＧ補正信号生成手段６１Ｂとに接続された比較手段５５と、
入力端子４０とＢ基準信号生成手段５３Ｂと後段の補正信号生成手段６０ＢのＢ補正信号生成手段６２Ｂとに接続された比較手段５６と、を備える。
比較手段５５は、入力端子３０から入力されたＧ（緑）信号とＧ基準信号生成手段５２Ｂにて生成されたＧ用の基準信号とを比較し、その比較結果、つまり所望する条件である入力端子３０からのＧ（緑）信号がＧ用の基準信号値以下の値である検出結果を補正信号生成手段６０ＢのＧ補正信号生成手段６１Ｂに出力し、
比較手段５６は、入力端子４０から入力されたＢ（青）信号とＢ基準信号生成手段５３Ｂにて生成されたＢ用の基準信号とを比較し、その比較結果、つまり所望する条件である入力端子４０からのＢ（青）信号がＢ用の基準信号値以下の値である検出結果を補正信号生成手段６０ＢのＢ補正信号生成手段６２Ｂに出力する。
【００２６】
補正信号生成手段６０Ｂは、
前記入力端子２０、３０と検出手段５０Ｂの比較手段５５と後段の補正手段７０ＢのＧ補正手段７１Ｂとに接続されたＧ補正信号生成手段６１Ｂと
前記入力端子２０、４０と検出手段５０Ｂの比較手段５６と後段の補正手段７０ＢのＢ補正手段７２Ｂとに接続されたＢ補正信号生成手段６２Ｂとを備え、
Ｇ補正信号生成手段６１Ｂは、Ｒ（赤）信号とＧ（緑）信号と検出手段５０Ｂの比較手段５５からの検出結果とに基づき補正信号を生成してＧ補正手段７１Ｂに出力し、
Ｂ補正信号生成手段６２Ｂは、Ｒ（赤）信号とＢ（青）信号と検出手段５０Ｂの比較手段５６からの検出結果とに基づき補正信号を生成してＢ補正手段７２Ｂに出力する。
【００２７】
補正手段７０Ｂは、
入力端子３０とＧ補正信号生成手段６１Ｂと出力端子９０とに接続されたＧ補正手段７１Ｂと、
入力端子４０とＢ補正信号生成手段６２Ｂと出力端子１００とに接続されたＢ補正手段７２Ｂとを備え、
Ｇ補正手段７１Ｂは、入力端子３０からのＧ（緑）信号にＧ補正信号生成手段６１Ｂからの補正信号に基づき補正を行い補正後の信号を出力端子９０に出力し、
Ｂ補正手段７２Ｂは、入力端子４０からのＢ（青）信号にＢ補正信号生成手段６２Ｂからの補正信号に基づき補正を行い補正後の信号を出力端子１００に出力する。
【００２８】
上記のように構成された画像信号補正手段１０Ｂに、それぞれＲ（赤）信号＝２５５、Ｇ（緑）信号＝０、Ｂ（青）信号＝０が入力された際に、Ｇ（緑）信号とＢ（青）信号とを補正する場合を、図２を参照して説明を行う。
又、Ｇ基準信号生成手段５２ＢとＢ基準信号生成手段５３Ｂとは１０２の値の基準信号を生成する例とする。
従って、比較手段５５は、入力端子３０から入力されたＧ（緑）信号とＧ基準信号生成手段５２Ｂにて生成された基準信号とを比較し、その比較結果、つまり所望する条件である入力端子３０からのＧ（緑）信号が１０２以下の値である検出結果をＧ補正信号生成手段６１Ｂに出力し、
比較手段５６は、入力端子４０から入力されたＢ（青）信号とＢ基準信号生成手段５３Ｂにて生成された基準信号とを比較し、その比較結果、つまり所望する条件である入力端子４０からのＢ（青）信号が１０２以下の値である検出結果をＢ補正信号生成手段６２Ｂに出力する。
さらにＧ補正信号生成手段６１Ｂは、Ｒ（赤）信号とＧ（緑）信号の値に応じた補正信号を生成し、Ｂ補正信号生成手段６２Ｂは、Ｒ（赤）信号とＢ（青）信号との値に応じた補正信号を生成する。
【００２９】
画像信号補正手段１０Ｂの入力端子２０、３０、４０には、それぞれＲ（赤）信号＝２５５、Ｇ（緑）信号＝０、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って
Ｒ（赤）信号は、補正信号生成手段６０ＢのＧ補正信号生成手段６１ＢとＢ補正信号生成手段６２Ｂとに入力され、さらに出力端子８０にて出力される。
Ｇ（緑）信号は、検出手段５０Ｂの比較手段５５と補正信号生成手段６０ＢのＧ補正信号生成手段６１Ｂと補正手段７０ＢのＧ補正手段７１Ｂとに入力される。
Ｂ（青）信号は、検出手段５０Ｂの比較手段５６と補正信号生成手段６０ＢのＢ補正信号生成手段６２Ｂと補正手段７０ＢのＢ補正手段７２Ｂとに入力される。
【００３０】
検出手段５０Ｂには、前記入力端子３０、４０からのＧ（緑）信号とＢ（青）信号が入力される。
比較手段５５は、Ｇ基準信号生成手段５２Ｂからの基準信号（１０２）と入力されたＧ（緑）信号とを比較し、Ｇ（緑）信号が基準信号である１０２より小さい場合には、”Ｈ”の信号を出力し、大きい場合は”Ｌ”の信号を出力する。
従って比較手段５５は、入力されているＧ（緑）信号が基準信号である１０２より小さいことを検出し”Ｈ”の信号を出力する。
比較手段５６は、Ｂ基準信号生成手段５３Ｂからの基準信号（１０２）と入力されたＢ（青）信号とを比較し、Ｂ（青）信号が基準信号である１０２より小さい場合には、”Ｈ”の信号を出力し、大きい場合は”Ｌ”の信号を出力する。
従って比較手段５６は、入力されているＢ（青）信号が基準信号である１０２より小さいことを検出し”Ｈ”の信号を出力する。
【００３１】
補正信号生成手段６０ＢのＧ補正信号生成手段６１Ｂは、前記検出手段５０Ｂの比較手段５５からの信号が”Ｈ”である検出結果と入力されているＲ（赤）信号とＧ（緑）信号の値に基づき、一意に値が決定される補正信号を生成し、補正手段７０ＢのＧ補正手段７１Ｂに出力する。
尚、Ｇ補正信号生成手段６１Ｂが生成する補正信号の例１Ｂとして、
ＧＫ１は所望する係数であり一例として２．５、
ＧＫ２は所望する係数であり一例として５、
入力されるＲ（赤）信号をＲ、ただしＲは０〜２５５、
入力されるＧ（緑）信号をＧ、ただしＧは０〜２５５とするとき、
（Ｒ−（Ｇ×ＧＫ１））が負の値の場合では、生成される補正信号Ｇは０、
（Ｒ−（Ｇ×ＧＫ１））が正の値の場合では、
補正信号Ｇ＝（Ｒ−（Ｇ×ＧＫ１））÷ＧＫ２、
である補正信号Ｇを生成する。
この例１Ｂの補正前の信号と補正後の信号との関係の代表値例を図５に示す。
【００３２】
補正信号生成手段６０ＢのＢ補正信号生成手段６２Ｂは、前記検出手段５０の比較手段５６からの信号が”Ｈ”である検出結果と入力されているＲ（赤）信号とＢ（青）信号の値に基づき、一意に値が決定される補正信号を生成し、補正手段７０ＢのＢ補正手段７２Ｂに出力する。
尚、Ｂ補正信号生成手段６２Ｂが生成する補正信号の例２Ｂとして、
ＢＫ１は所望する係数であり一例として２．５、
ＢＫ２は所望する係数であり一例として５、
入力されるＲ（赤）信号をＲ、ただしＲは０〜２５５、
入力されるＢ（青）信号をＢ、ただしＢは０〜２５５とするとき、
（Ｒ−（Ｂ×ＢＫ１））が負の値の場合では、生成される補正信号Ｂは０、
（Ｒ−（Ｂ×ＢＫ１））が正の値の場合では、
補正信号Ｂ＝（Ｒ−（Ｂ×ＢＫ１））÷ＢＫ２、
である補正信号Ｂを生成する。
この例２Ｂの補正前の信号と補正後の信号との関係の代表値例を図５に示す。
【００３３】
補正手段７０ＢのＧ補正手段７１Ｂは、入力端子３０からのＧ（緑）信号に、Ｇ補正信号生成手段６１Ｂからの補正信号に基づき補正を行い出力端子９０に出力する。
補正手段７０ＢのＢ補正手段７２Ｂは、入力端子４０からのＢ（青）信号に、Ｂ補正信号生成手段６２Ｂからの補正信号に基づき補正を行い出力端子１００に出力する。
【００３４】
その結果、Ｒ（赤）信号＝２５５、Ｇ（緑）信号＝０、Ｂ（青）信号＝０が入力された際に、Ｒ（赤）信号＝２５５、Ｇ（緑）信号＝５１、Ｂ（青）信号＝５１に補正することができる。
従って、図５のごとくＲ（赤）信号の値に対応したＧ（緑）信号、若しくはＢ（青）信号に補正することができる。
さらに又、補正信号の値を決める別な例３Ｂとして、
比較手段の結果とは無関係に、入力されるＲ（赤）信号と入力されるＢ（青）信号とに基づき、
logは、１０を低とする対数とし、
入力されるＲ（赤）信号をＲ、ただしＲは０〜１００、
入力されるＢ（青）信号をＢ、ただしＢは０〜１００とするとき、
（１−log（（Ｂ＋１０）÷１０））が負の値の場合では、生成される補正信号Ｂは０、
（１−log（（Ｂ＋１０）÷１０））が正の値の場合では、
補正信号Ｂ＝（２０×（Ｒ÷１００））×（１−log（（Ｂ＋１０）÷１０））、
である補正信号Ｂを生成する。
従って、入力されているＲ（赤）信号とＢ（青）信号の値に基づき、一意に値が決定される補正信号を生成できる。
【００３５】
この例３Ｂの補正前の信号と補正後の信号との関係の代表値例を図６に示し、さらに入力されているＲ（赤）信号とＢ（青）信号の値に基づき生成される補正信号の代表値例を表１に示す。
【表１】
2008286891.tif 000032
【００３６】
尚、上記例はＢ補正信号生成手段６２Ｂの例であるが、Ｇ補正信号生成手段６１Ｂも同様である。
【００３７】
次に図３を参照して、画像信号補正手段１０Ｃを例に説明を行う。
画像信号補正手段１０Ｃは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子２０、３０、４０と後段の補正信号生成手段６０Ｃとに接続された検出手段５０Ｃと、
前記入力端子３０、４０と検出手段５０Ｃと後段の補正手段７０Ｃとの間に介在し接続された補正信号生成手段６０Ｃと、
前記入力端子４０と補正信号生成手段６０Ｃと出力端子１００とに接続された補正手段７０Ｃと、
前記入力端子２０に接続された出力端子８０と、
前記入力端子３０に接続された出力端子９０と、
前記補正手段７０Ｃに接続された出力端子１００とが備えられている。
【００３８】
検出手段５０Ｃは、Ｒ基準信号生成手段５１Ｃと、Ｇ基準信号生成手段５２Ｃと、Ｂ基準信号生成手段５３Ｃと、
入力端子２０とＲ基準信号生成手段５１Ｃと後段の論理積手段５７Ｃとに接続された比較手段５４と、
入力端子３０とＧ基準信号生成手段５２Ｃと後段の論理積手段５７Ｃとに接続された比較手段５５と、
入力端子４０とＢ基準信号生成手段５３Ｃと後段の論理積手段５７Ｃとに接続された比較手段５６と、
前記それぞれの比較手段５４、５５、５６と後段の補正信号生成手段６０Ｃとに接続された論理積手段５７Ｃとを、備える。
比較手段５４は、入力端子２０から入力されたＲ（赤）信号とＲ基準信号生成手段５１Ｃにて生成されたＲ用の基準信号とを比較し、その比較結果、つまり所望する条件である入力端子２０からのＲ（赤）信号がＲ用の基準信号値以下である検出結果を論理積手段５７Ｃに出力し、
比較手段５５は、入力端子３０から入力されたＧ（緑）信号とＧ基準信号生成手段５２Ｃにて生成されたＧ用の基準信号とを比較し、その比較結果、つまり所望する条件である入力端子３０からのＧ（緑）信号がＧ用の基準信号値以上である検出結果を論理積手段５７Ｃに出力し、
比較手段５６は、入力端子４０から入力されたＢ（青）信号とＢ基準信号生成手段５３Ｃにて生成されたＢ用の基準信号とを比較し、その比較結果、つまり所望する条件である入力端子４０からのＢ（青）信号がＢ用の基準信号値以下である検出結果を論理積手段５７Ｃに出力し、
論理積手段５７Ｃは、前記それぞれの比較手段５４、５５、５６の結果を論理積（ＡＮＤ）の演算を行い、その演算結果を補正信号生成手段６０Ｃに出力する。
【００３９】
補正信号生成手段６０Ｃは、
前記入力端子３０、４０と検出手段５０Ｃの論理積手段５７Ｃと後段の補正手段７０ＣのＢ補正手段７２Ｃとに接続されたＢ補正信号生成手段６２Ｃを備え、
入力されるＧ（緑）信号とＢ（青）信号と検出手段５０Ｃの論理積手段５７Ｃからの検出結果とに基づき、Ｂ補正信号生成手段６２Ｃが補正信号を生成して補正手段７０ＣのＢ補正手段７２Ｃに出力する。
【００４０】
補正手段７０Ｃは、
入力端子４０と補正信号生成手段６０ＣのＢ補正信号生成手段６２Ｃと出力端子１００とに接続されたＢ補正手段７２Ｃを備え、
Ｂ補正手段７２Ｃは、入力端子４０からのＢ（青）信号に、Ｂ補正信号生成手段６２Ｃからの補正信号に基づき補正を行い補正後の信号を出力端子１００に出力する。
【００４１】
上記のように構成された画像信号補正手段１０Ｃに、「濃い緑」であるＲ（赤）信号＝０、Ｇ（緑）信号＝２５５、Ｂ（青）信号＝０が入力された際に、少しだけ青を混ぜた色Ｒ（赤）信号＝０、Ｇ（緑）信号＝２５５、Ｂ（青）信号＝５１に補正する場合の説明を行う。
尚、Ｒ基準信号生成手段５１Ｃは５１の値の基準信号を生成し、Ｇ基準信号生成手段５２Ｃは２３０の値の基準信号を生成し、Ｂ基準信号生成手段５３Ｃは１０２の値の基準信号を生成する例とする。
従って、比較手段５４は、入力端子２０から入力されたＲ（赤）信号とＲ基準信号生成手段５１Ｃにて生成された基準信号とを比較し、その比較結果、つまり所望する条件である入力端子２０からのＲ（赤）信号が５１以下の値である検出結果を論理積手段５７Ｃに出力し、
比較手段５５は、入力端子３０から入力されたＧ（緑）信号とＧ基準信号生成手段５２Ｃにて生成された基準信号とを比較し、その比較結果、つまり所望する条件である入力端子３０からのＧ（緑）信号が２３０以上の値である検出結果を論理積手段５７Ｃに出力し、
比較手段５６は、入力端子４０から入力されたＢ（青）信号とＢ基準信号生成手段５３Ｃにて生成された基準信号とを比較し、その比較結果、つまり所望する条件である入力端子４０からのＢ（青）信号が１０２以下の値である検出結果を論理積手段５７Ｃに出力する。
さらに、Ｂ補正信号生成手段６２Ｃは入力されたＧ（緑）信号とＢ（青）信号との値に応じた補正信号を生成するものとする。
【００４２】
画像信号補正手段１０Ｃの入力端子２０、３０、４０には、それぞれＲ（赤）信号＝０、Ｇ（緑）信号＝２５５、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、
Ｒ（赤）信号は、検出手段５０Ｃの比較手段５４に入力されると共に出力端子８０にて出力され、
Ｇ（緑）信号は、検出手段５０Ｃの比較手段５５と補正信号生成手段６０ＣのＢ補正信号生成手段６２Ｃに入力されると共に出力端子９０にて出力され、
Ｂ（青）信号は、検出手段５０Ｃの比較手段５６と補正信号生成手段６０ＣのＢ補正信号生成手段６２Ｃと補正手段７０ＣのＢ補正手段７２Ｃとに入力される。
【００４３】
検出手段５０Ｃには、前記入力端子２０、３０、４０からの画像３原色信号であるＲ（赤）信号とＧ（緑）信号とＢ（青）信号とが入力される。
比較手段５４は、Ｒ基準信号生成手段５１Ｃからの基準信号（５１）と入力されたＲ（赤）信号とを比較し、Ｒ（赤）信号が基準信号である５１より小さい場合には、”Ｈ”の信号を出力し、大きい場合は”Ｌ”の信号を出力する。
従って比較手段５４は、入力されているＲ（赤）信号は基準信号である５１より小さいことを検出し”Ｈ”の信号を出力する。
比較手段５５は、Ｇ基準信号生成手段５２Ｃからの基準信号（２３０）と入力されたＧ（緑）信号とを比較し、Ｇ（緑）信号が基準信号である２３０より大きい場合には、”Ｈ”の信号を出力し、小さい場合は”Ｌ”の信号を出力する。
従って比較手段５５は、入力されているＧ（緑）信号は基準信号である２３０より大きいことを検出し”Ｈ”の信号を出力する。
比較手段５６は、Ｂ基準信号生成手段５３Ｃからの基準信号（１０２）と入力されたＢ（青）信号とを比較し、Ｂ（青）信号が基準信号である１０２より小さい場合には、”Ｈ”の信号を出力し、大きい場合は”Ｌ”の信号を出力する。
従って比較手段５６は、入力されているＢ（青）信号は基準信号である１０２より小さいことを検出し”Ｈ”の信号を出力する。
論理積手段５７Ｃは、前記それぞれの比較手段５４、５５、５６の結果が全て”Ｈ”であるため、全ての条件が満たされたことを検出しその結果を補正信号生成手段６０ＣのＢ補正信号生成手段６２Ｃに出力する。
【００４４】
補正信号生成手段６０ＣのＢ補正信号生成手段６２Ｃは、検出手段５０Ｃの論理積手段５７Ｃからの信号が”Ｈ”である検出結果と入力されるＧ（緑）信号とＢ（青）信号との値に応じ一意に値が決定される補正信号を生成し、補正手段７０ＣのＢ補正手段７２Ｃに出力する。
尚、Ｂ補正信号生成手段６２Ｃが生成する補正信号の一例として、
ＢＫ１は所望する係数であり一例として２．５、
ＢＫ２は所望する係数であり一例として５、
入力されるＧ（緑）信号をＧ、ただしＧは０〜２５５
入力されるＢ（青）信号をＢ、ただしＢは０〜２５５とするとき、
（Ｇ−（Ｂ×ＢＫ１））が負の値の場合では、生成される補正信号Ｂは０、
（Ｇ−（Ｂ×ＢＫ１））が正の値の場合では、
補正信号Ｂ＝（Ｇ−（Ｂ×ＢＫ１））÷ＢＫ２、
である補正信号Ｂを生成する。
この例の補正前の信号と補正後の信号との関係の代表値例を図７に示す。
【００４５】
補正手段７０ＣのＢ補正手段７２Ｃは、入力端子４０からのＢ（青）信号に、前記Ｂ補正信号生成手段６２Ｃからの補正信号に基づき補正を行い出力端子１００に出力する。
【００４６】
その結果、「濃い緑」であるＲ（赤）信号＝０、Ｇ（緑）信号＝２５５、Ｂ（青）信号＝０を検出して、少しだけ青を混ぜた色Ｒ（赤）信号＝０、Ｇ（緑）信号＝２５５、Ｂ（青）信号＝５１に補正することができる。
【００４７】
次に図４を参照して画像信号補正手段１０Ｄを例に、入力されたＲ（赤）信号、Ｇ（緑）信号、Ｂ（青）信号をＹ（輝度）信号に変換し、そのＹ（輝度）信号の値に応じて、Ｂ（青）信号を補正する場合の説明を行う。
【００４８】
画像信号補正手段１０Ｄは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
その入力端子４０と後段の補正信号生成手段６０Ｄとの間に介在し接続された検出手段５０Ｄと、
前記入力端子２０、３０、４０と検出手段５０Ｄと後段の補正手段７０Ｄとに接続された補正信号生成手段６０Ｄと、
前記入力端子４０と補正信号生成手段６０Ｄと後段の出力端子１００とに接続された補正手段７０Ｄと、
前記入力端子２０に接続された出力端子８０と、前記入力端子３０に接続された出力端子９０と、
前記補正手段７０Ｄに接続された出力端子１００とが備えられている。
【００４９】
検出手段５０Ｄは、Ｂ基準信号生成手段５３Ｄと、
入力端子４０とＢ基準信号生成手段５３Ｄと後段の補正信号生成手段６０Ｄとに接続された比較手段５６と、を備える。
比較手段５６は、入力端子４０から入力されたＢ（青）信号とＢ基準信号生成手段５３Ｄにて生成された基準信号とを比較し、その比較結果、つまり所望する条件である入力端子４０からのＢ（青）信号がＢ用基準信号値以下の値である検出結果を補正信号生成手段６０Ｄに出力する。
【００５０】
補正信号生成手段６０Ｄは、入力端子２０、３０、４０と後段のＢ補正信号生成手段６２Ｄとに接続され、入力されたＲ（赤）信号、Ｇ（緑）信号、Ｂ（青）信号をＹ（輝度）信号に変換する変換手段６３Ｄと、その変換手段６３Ｄと入力端子４０と検出手段５０Ｄの比較手段５６と後段の補正手段７０ＤのＢ補正手段７２Ｄとに接続されたＢ補正信号生成手段６２Ｄと、を備える。
Ｂ補正信号生成手段６２Ｄは、検出手段５０Ｄの比較手段５６からの検出結果と変換手段６３ＤからのＹ（輝度）信号と入力端子４０から入力されたＢ（青）信号とに基づき、補正信号を生成して補正手段７０ＤのＢ補正手段７２Ｄに出力する。
【００５１】
補正手段７０Ｄは、前記入力端子４０と補正信号生成手段６０ＤのＢ補正信号生成手段６２Ｄと出力端子１００とに接続されたＢ補正手段７２Ｄを備え、
Ｂ補正手段７２Ｄは、入力端子４０からのＢ（青）信号に、補正信号生成手段６０ＤのＢ補正信号生成手段６２Ｄからの補正信号に基づき補正を行い補正後の信号を出力端子１００に出力する。
【００５２】
出力端子８０は、前記入力端子２０に接続され、入力端子２０からの信号を出力する。
出力端子９０は、前記入力端子３０に接続され、入力端子３０からの信号を出力する。
【００５３】
出力端子１００は、前記補正手段７０ＤのＢ補正手段７２Ｄに接続され補正後の信号を出力する。
【００５４】
上記のように構成された画像信号補正手段１０Ｄに、それぞれＲ（赤）信号＝１２８（５０％）、Ｇ（緑）信号＝１２８（５０％）、Ｂ（青）信号＝２６（１０％）が入力された際に、Ｂ（青）信号を補正する場合を、図４を参照して説明を行う。
又、Ｂ基準信号生成手段５３Ｄは１０２（４０％）の値の基準信号を生成する例とする。
従って、比較手段５６は、入力端子４０から入力されたＢ（青）信号とＢ基準信号生成手段５３Ｄにて生成された基準信号とを比較し、その比較結果、つまり所望する条件である入力端子４０からのＢ（青）信号が１０２（４０％）以下の値である検出結果を、補正信号生成手段６０ＤのＢ補正信号生成手段６２Ｄに出力する。
さらにＢ補正信号生成手段６２Ｄは、Ｙ（輝度）信号とＢ（青）信号の値に応じて一意に値が決定される補正信号を生成する。
【００５５】
画像信号補正手段１０Ｄに、それぞれＲ（赤）信号＝１２８（５０％）、Ｇ（緑）信号＝１２８（５０％）、Ｂ（青）信号＝２６（１０％）が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
Ｒ（赤）信号は、補正信号生成手段６０Ｄの変換手段６３Ｄに入力されると共に出力端子８０にて出力される。
Ｇ（緑）信号は、補正信号生成手段６０Ｄの変換手段６３Ｄに入力されると共に出力端子９０にて出力される。
Ｂ（青）信号は、検出手段５０Ｄの比較手段５６と補正信号生成手段６０ＤのＢ補正信号生成手段６２Ｄと変換手段６３Ｄと補正手段７０ＤのＢ補正手段７２Ｄとに入力される。
【００５６】
検出手段５０Ｄの比較手段５６は、Ｂ基準信号生成手段５３Ｄからの基準信号（１０２）と入力されたＢ（青）信号とを比較し、Ｂ（青）信号が基準信号である１０２より小さい場合には、”Ｈ”の信号を出力し、大きい場合は”Ｌ”の信号を出力する。
従って比較手段５６は、入力されているＢ（青）信号が基準信号である１０２より小さいことを検出し”Ｈ”の信号を出力する。
【００５７】
補正信号生成手段６０Ｄの変換手段６３Ｄは、入力端子２０、３０、４０からのＲ（赤）信号、Ｇ（緑）信号、Ｂ（青）信号をＹ（輝度）信号に変換し、Ｂ補正信号生成手段６２Ｄに出力する。
尚、８bit量子化にて表したＲＧＢ信号を、ＹＣｂＣｒ信号に変換する変換式の一例としてＩＴＵ−Ｒ  ＢＴ．６０１に規定されている、色変換式のＹ信号に関する式を例として次に示す。
入力されるＲ（赤）信号をＲ、ただしＲは０〜２５５、
入力されるＧ（緑）信号をＧ、ただしＧは０〜２５５、
入力されるＢ（青）信号をＢ、ただしＢは０〜２５５とするとき、
Ｙ＝（７７×Ｒ／２５６）＋（１５０×Ｇ／２５６）＋（２９×Ｂ／２５６）
従って、Ｒ（赤）信号＝１２８、Ｇ（緑）信号＝１２８、Ｂ（青）信号＝２６が入力された際のＹ（輝度）信号の値は、約１１６である。
【００５８】
補正信号生成手段６０ＤのＢ補正信号生成手段６２Ｄは、前記検出手段５０Ｄの比較手段５６からの信号（”Ｈ”）と変換手段６３ＤからのＹ（輝度）信号と入力端子４０からのＢ（青）信号とに基づき、変換手段６３ＤからのＹ（輝度）信号と入力端子４０からのＢ（青）信号との値に応じて一意に値が決定される補正信号を生成し補正手段７２Ｄへ出力する。
尚、Ｂ補正信号生成手段６２Ｄが生成する補正信号の一例として、
ＢＫ１は所望する係数であり一例として２．５、
ＢＫ２は所望する係数であり一例として５、
入力端子２０、３０、４０からのＲ（赤）信号、Ｇ（緑）信号、Ｂ（青）信号をＹ（輝度）信号に変換したＹ（輝度）信号をＹ、ただしＹは０〜２５５、
入力されるＢ（青）信号をＢとするとき、
（Ｙ−（Ｂ×ＢＫ１））が負の値の場合では、生成される補正信号Ｂは０、
（Ｙ−（Ｂ×ＢＫ１））が正の値の場合では、生成される補正信号Ｂは、
補正信号Ｂ＝（Ｙ―（Ｂ×ＢＫ１））÷ＢＫ２、
である補正信号を生成する。
従って、補正信号Ｂ＝（（１１６−（２６×２．５））÷５）＝約１０の補正信号を生成する。
【００５９】
補正手段７０Ｄの補正手段７２Ｄは、入力端子４０からのＢ（青）信号に、Ｂ補正信号生成手段６２Ｄからの補正信号に基づき補正を行い出力端子１００へ出力する。
【００６０】
その結果、Ｒ（赤）信号、Ｇ（緑）信号、Ｂ（青）信号を変換したＹ（輝度）信号の値とＢ（青）信号との値とに応じた補正信号で、Ｂ（青）信号が１０２以上の場合には補正を行わず、Ｂ（青）信号が１０２未満の低い場合にはＢ（青）信号を補正することができる。
【００６１】
この一例の入力信号であるＲ（赤）信号、Ｇ（緑）信号、Ｂ（青）信号と変換したＹ（輝度）信号と補正信号との代表値を表２から表１２に示す。
表２は、Ｒ（赤）信号、Ｇ（緑）信号、Ｂ（青）信号が、０から２５５まで１０％刻みで増加した場合の、Ｙ（輝度）信号と補正信号との値である。
【表２】
2008286891.tif 000033
【００６２】
表３は、Ｒ（赤）信号＝約２６（１０％）、Ｇ（緑）信号＝約２６（１０％）で、Ｂ（青）信号が、０から約１０２（４０％）まで１０％刻みで増加した場合の、Ｙ（輝度）信号と補正信号との値である。
【表３】
2008286891.tif 000034
【００６３】
表４は、Ｒ（赤）信号＝約５１（２０％）、Ｇ（緑）信号＝約５１（２０％）で、Ｂ（青）信号が、０から約１０２（４０％）まで１０％刻みで増加した場合の、Ｙ（輝度）信号と補正信号との値である。
【表４】
2008286891.tif 000035
【００６４】
表５は、Ｒ（赤）信号＝約７７（３０％）、Ｇ（緑）信号＝約７７（３０％）で、Ｂ（青）信号が、０から約１０２（４０％）まで１０％刻みで増加した場合の、Ｙ（輝度）信号と補正信号との値である。
【表５】
2008286891.tif 000036
【００６５】
表６は、Ｒ（赤）信号＝約１０２（４０％）、Ｇ（緑）信号＝約１０２（４０％）で、Ｂ（青）信号が、０から約１０２（４０％）まで１０％刻みで増加した場合の、Ｙ（輝度）信号と補正信号との値である。
【表６】
2008286891.tif 000037
【００６６】
表７は、Ｒ（赤）信号＝約１２８（５０％）、Ｇ（緑）信号＝約１２８（５０％）で、Ｂ（青）信号が、０から約１０２（４０％）まで１０％刻みで増加した場合の、Ｙ（輝度）信号と補正信号との値である。
【表７】
2008286891.tif 000038
【００６７】
表８は、Ｒ（赤）信号＝約１５３（６０％）、Ｇ（緑）信号＝約１５３（６０％）で、Ｂ（青）信号が、０から約１０２（４０％）まで１０％刻みで増加した場合の、Ｙ（輝度）信号と補正信号との値である。
【表８】
2008286891.tif 000039
【００６８】
表９は、Ｒ（赤）信号＝約１７９（７０％）、Ｇ（緑）信号＝約１７９（７０％）で、Ｂ（青）信号が、０から約１０２（４０％）まで１０％刻みで増加した場合の、Ｙ（輝度）信号と補正信号との値である。
【表９】
2008286891.tif 000040
【００６９】
表１０は、Ｒ（赤）信号＝約２０４（８０％）、Ｇ（緑）信号＝約２０４（８０％）で、Ｂ（青）信号が、０から約１０２（４０％）まで１０％刻みで増加した場合の、Ｙ（輝度）信号と補正信号との値である。
【表１０】
2008286891.tif 000041
【００７０】
表１１は、Ｒ（赤）信号＝約２３０（９０％）、Ｇ（緑）信号＝約２３０（９０％）で、Ｂ（青）信号が、０から約１０２（４０％）まで１０％刻みで増加した場合の、Ｙ（輝度）信号と補正信号との値である。
【表１１】
2008286891.tif 000042
【００７１】
表１２は、Ｒ（赤）信号＝約２５５（１００％）、Ｇ（緑）信号＝約２５５（１００％）で、Ｂ（青）信号が、０から約１０２（４０％）まで１０％刻みで増加した場合の、Ｙ（輝度）信号と補正信号との値である。
【表１２】
2008286891.tif 000043
【００７２】
尚、入力３原色信号を表す量子化ｂｉｔ数は、８ｂｉｔ以外の所望のｂｉｔ数であること、若しくは８ｂｉｔ以外の所望のｂｉｔ数であり、且つ負を表すことが可能なサインビットを備える量子化方法であっても同様な効果が得られる。
【００７３】
さらに、実施例で説明に使用したＢＫ１とＢＫ２とＧＫ１とＧＫ２等の係数は、他の所望する値であっても効果が得られる。
【００７４】
補正信号生成手段は、ルックアップテーブル方式であるデジタル化された階調のデータを任意の階調に補正するために入力と出力の対照表を利用することによる所望の補正値により、入力に対する所望の直線的な出力特性とする補正値、さらに入力に対する所望の曲線的な出力特性とする補正値の生成が可能であることであっても一意に値が決定される補正信号を生成でき同様な効果が得られる。
【００７５】
又、画像信号で表わされる色空間がｓＲＧＢ表色系と、一意に変換が可能な表色系、例えばＲＧＢＡ表色系、若しくはＹＩＱ表色系、若しくはＹＣｂＣｒ表色系、若しくはＹＰｂＰｒ表色系、若しくはＸＹＺ表色系、若しくはｘｙＹ表色系、若しくはｘｖＹＣＣ表色系、で補正を行うことであっても同様な効果が得られる。
【産業上の利用可能性】
【００７６】
本発明は、画像信号の３原色信号であるＲ（赤）、Ｇ（緑）信号、Ｂ（青）信号のそれぞれの値が所望の条件を満たすかを検出する検出手段と、その検出手段の検出結果と前記入力の画像信号の値に応じて補正をかけるための補正信号を生成する補正信号生成手段と、その補正信号生成手段の補正信号に基づき前記入力の画像信号に補正を加え出力する補正手段と、を備えた画像信号の信号補正手段の動作方法であるため、
Ｒ（赤）信号、Ｇ（緑）信号、Ｂ（青）信号のそれぞれの値が、所望する条件であるとき、Ｒ（赤）信号の値とＧ（緑）信号の値とに応じた補正信号を生成してＧ（緑）信号の補正を行う事や、Ｒ（赤）信号の値とＢ（青）信号の値に応じた補正信号を生成してＢ（青）信号の補正を行う事ができる。
従って、「濃い赤」であるＲ（赤）信号＝２５５、Ｇ（緑）信号＝０、Ｂ（青）信号＝０を検出して、少しだけ白を混ぜた「明るい赤」Ｒ（赤）信号＝２５５、Ｇ（緑）信号＝５１、Ｂ（青）信号＝５１や、短波長（オレンジ）寄りの「朱色」Ｒ（赤）信号＝２５５、Ｇ（緑）信号＝５１、Ｂ（青）信号＝０に補正することができる。
さらにＧ（緑）信号が所望する基準信号値以下を検出したとき、Ｒ（赤）信号の値とＧ（緑）信号の値とに応じた補正信号を生成してＧ（緑）信号の補正を行う事や、Ｂ（青）信号が所望する基準信号値以下を検出したとき、Ｒ（赤）信号とＢ（青）信号の値との値に応じた補正信号を生成してＢ（青）信号の補正を行う事もできる。
さらにＲ（赤）信号、Ｇ（緑）信号、Ｂ（青）信号がそれぞれ所望する基準値との比較により、例えば「濃い緑」であるＲ（赤）信号＝０、Ｇ（緑）信号＝２５５、Ｂ（青）信号＝０を検出したとき、Ｇ（緑）信号とＢ（青）信号との値に応じた補正信号を生成して、Ｂ（青）信号の補正を行い、少しだけ青を混ぜた色Ｒ（赤）信号＝０、Ｇ（緑）信号＝２５５、Ｂ（青）信号＝５１に補正する事もできる。
従って、第１色盲を患う者でも上記の条件では判別が困難であったが、補正を行う事により判別が可能な表示とすることができ、健常者にも上記の条件以外では補正を行わないため違和感の少ない表示を可能とすることを特徴とする表示装置を提供できる。
さらにＢ（青）信号が所望する基準値以下を検出したとき、Ｒ（赤）信号、Ｇ（緑）信号、Ｂ（青）信号から変換したＹ（輝度）信号とＢ（青）信号の値との値に応じた補正信号を生成して、Ｂ（青）信号の補正を行う事もできる。
従って、加齢と共に低下した青色系統の感度を補うため、Ｂ（青）信号の値が所望する基準値より低い場合にはＢ（青）信号を補正し、Ｂ（青）信号の値が所望する基準値より高い場合にはＢ（青）信号を補正しないことにより、高齢者にはＢ（青）信号の値が低い場合ではＢ（青）信号を補正しているため見やすくなり、Ｂ（青）信号の値が高い場合にはＢ（青）信号補正しないため高齢者以外の者にも違和感の少ない画像を表示することができることを特徴とする表示装置を提供できる。
【図面の簡単な説明】
【００７７】
【図１】本発明に係る実施の形態例の画像信号補正手段１０の構成を説明するブロック図である。（実施例１）
【図２】本発明に係る実施の形態例の画像信号補正手段１０Ｂの構成を説明するブロック図である。（実施例２）
【図３】本発明に係る実施の形態例の画像信号補正手段１０Ｃの構成を説明するブロック図である。（実施例３）
【図４】本発明に係る実施の形態例の画像信号補正手段１０Ｄの構成を説明するブロック図である。（実施例４）
【図５】本発明に係る実施例１と実施例２の補正前の入力信号に対する補正後の出力信号の関係を表す代表値の例の図である。
【図６】本発明に係る実施例２の補正前の入力信号に対する補正後の出力信号の関係を表す図５以外代表値の例の図である。
【図７】本発明に係る実施例３の補正前の入力信号に対する補正後の出力信号の関係を表す一例の図である。
【符号の説明】
【００７８】
１０    画像信号補正手段
１０Ｂ  画像信号補正手段
１０Ｃ  画像信号補正手段
１０Ｄ  画像信号補正手段
２０    入力信号Ｒ用入力端子
３０    入力信号Ｇ用入力端子
４０    入力信号Ｂ用入力端子
５０    検出手段
５０Ｂ  検出手段
５０Ｃ  検出手段
５０Ｄ  検出手段
５１    Ｒ基準信号生成手段
５１Ｃ  Ｒ基準信号生成手段
５２    Ｇ基準信号生成手段
５２Ｂ  Ｇ基準信号生成手段
５２Ｃ  Ｇ基準信号生成手段
５３    Ｂ基準信号生成手段
５３Ｂ  Ｂ基準信号生成手段
５３Ｃ  Ｂ基準信号生成手段
５３Ｄ  Ｂ基準信号生成手段
５４    比較手段
５５    比較手段
５６    比較手段
５７    論理積手段
５７Ｃ  論理積手段
６０    補正信号生成手段
６０Ｂ  補正信号生成手段
６０Ｃ  補正信号生成手段
６０Ｄ  補正信号生成手段
６１    Ｇ補正信号生成手段
６１Ｂ  Ｇ補正信号生成手段
６２    Ｂ補正信号生成手段
６２Ｂ  Ｂ補正信号生成手段
６２Ｃ  Ｂ補正信号生成手段
６２Ｄ  Ｂ補正信号生成手段
６３Ｄ  変換手段
７０    補正手段
７０Ｂ  補正手段
７０Ｃ  補正手段
７０Ｄ  補正手段
７１    Ｇ補正手段
７１Ｂ  Ｇ補正手段
７２    Ｂ補正手段
７２Ｂ  Ｂ補正手段
７２Ｃ  Ｂ補正手段
７２Ｄ  Ｂ補正手段
８０    出力信号Ｒ用出力端子
９０    出力信号Ｇ用出力端子
１００  出力信号Ｂ用出力端子
【手続補正３】
【補正対象書類名】図面
【補正対象項目名】全図
【補正方法】変更
【補正の内容】
【図１】
2008286891.tif 000044
【図２】
2008286891.tif 000045
【図３】
2008286891.tif 000046
【図４】
2008286891.tif 000047
【図５】
2008286891.tif 000048
【図６】
2008286891.tif 000049
【図７】
2008286891.tif 000050
【手続補正書】
【提出日】平成20年3月11日(2008.3.11)
【手続補正１】
【補正対象書類名】明細書
【補正対象項目名】００１７
【補正方法】変更
【補正の内容】
【００１７】
上記のように構成された画像信号補正手段１０に、「濃い赤」であるＲ（赤）信号＝２５５、Ｇ（緑）信号＝０、Ｂ（青）信号＝０が入力された際に、Ｒ（赤）信号はそのままで、Ｇ（緑）信号＝５１、Ｂ（青）信号＝５１に補正する場合を、図１を参照して説明を行う。
又、Ｒ基準信号生成手段５１は２３０の基準信号を生成し、Ｇ基準信号生成手段５２とＢ基準信号生成手段５３とは１０２の基準信号を生成する例とする。
従って、
比較手段５４は、入力端子２０から入力されたＲ（赤）信号とＲ基準信号生成手段５１にて生成された基準信号とを比較し、その比較結果、つまり所望する条件である入力端子２０からのＲ（赤）信号が２３０以上の値である検出結果を論理積手段５７に出力し、
比較手段５５は、入力端子３０から入力されたＧ（緑）信号とＧ基準信号生成手段５２にて生成された基準信号とを比較し、その比較結果、つまり所望する条件である入力端子３０からのＧ（緑）信号が１０２以下の値である検出結果を論理積手段５７に出力し、
比較手段５６は、入力端子４０から入力されたＢ（青）信号とＢ基準信号生成手段５３にて生成された基準信号とを比較し、その比較結果、つまり所望する条件である入力端子４０からのＢ（青）信号が１０２以下の値である検出結果を論理積手段５７に出力する。
さらにＧ補正信号生成手段６１は、Ｒ（赤）信号とＧ（緑）信号の値に応じた補正信号を生成し、Ｂ補正信号生成手段６２は、Ｒ（赤）信号とＢ（青）信号との値に応じた補正信号を生成する。
【手続補正２】
【補正対象書類名】明細書
【補正対象項目名】００１９
【補正方法】変更
【補正の内容】
【００１９】
検出手段５０には、前記入力端子２０、３０、４０からの画像３原色信号であるＲ（赤）信号とＧ（緑）信号とＢ（青）信号とが入力される。
比較手段５４は、Ｒ基準信号生成手段５１からの基準信号（２３０）と入力されたＲ（赤）信号とを比較し、Ｒ（赤）信号が基準信号である２３０より大きい場合には”Ｈ”の信号を出力し、小さい場合は”Ｌ”の信号を出力する。従って比較手段５４は、入力されているＲ（赤）信号は基準信号である２３０より大きいことを検出し”Ｈ”の信号を出力する。
比較手段５５は、Ｇ基準信号生成手段５２からの基準信号（１０２）と入力されたＧ（緑）信号とを比較し、Ｇ（緑）信号が基準信号である１０２より小さい場合には”Ｈ”の信号を出力し、大きい場合は”Ｌ”の信号を出力する。従って比較手段５５は、入力されているＧ（緑）信号は基準信号である１０２より小さいことを検出し”Ｈ”の信号を出力する。
比較手段５６は、Ｂ基準信号生成手段５３からの基準信号（１０２）と入力されたＢ（青）信号とを比較し、Ｂ（青）信号が基準信号である１０２より小さい場合には”Ｈ”の信号を出力し、大きい場合は”Ｌ”の信号を出力する。従って比較手段５６は、入力されているＢ（青）信号は基準信号である１０２より小さいことを検出し”Ｈ”の信号を出力する。
論理積手段５７は、前記それぞれの比較手段５４、５５、５６の結果が全て”Ｈ”であるため、全ての条件が満たされたことを検出しその結果を補正信号生成手段６０のＧ補正信号生成手段６１とＢ補正信号生成手段６２と補正手段７０のＧ補正手段７１とＢ補正手段７２とに出力する。
【手続補正書】
【提出日】平成20年4月16日(2008.4.16)
【手続補正１】
【補正対象書類名】図面
【補正対象項目名】図１
【補正方法】変更
【補正の内容】
【図１】
2008286891.tif 000051